(57)【要約】低背化を図ることができる綴じ具を提供する。綴具１０は、複数の綴杆１２，１４を間隔をおいて設けることができる長さを備えた保持部材１６と、保持部材１６の内側に固定された作動部材１８と、開閉部材４０とを備え、前記作動部材１８は、前記綴杆１２，１４が固定された一対の作動片３０，３２からなり、開閉部材４０を収容するために、開閉部材収容部３６が綴杆１２，１４を固定された表面とは反対側の裏面側より表面側に向けて凹設され、前記開閉部材４０は、綴杆１２，１４を固定された表面とは反対側の裏面側において、作動部材１８の前記開閉部材収容部３６に固定され、前記綴杆１２，１４を開くときに、保持部材１６内で、前記作動片を保持部材１６の長手方向に移動させるとともに保持部材１６の内面に近づいた方向に保持されるように、綴杆１２，１４を開く方向に変化させるように形成された、綴具である。
2008093434.tif 000002
【特許請求の範囲】
【請求項１】
複数の開閉自在の綴杆と、
前記綴杆を間隔をおいて設けることができる長さを備えた保持部材と、
各綴杆が間隔をおいてその表面に固定され、綴杆が保持部材に固定されるように保持部材の内側に固定された作動部材と、
前記綴杆を開く方向に付勢する開閉部材とを備えた、綴具であって、
前記作動部材は、一対の作動片からなり、
一方の作動片には綴杆の一方の基部が固定され、他方の作動片には綴杆の他方の基部が固定され、
前記綴杆が閉じるときには、保持部材の内面より離れた位置において、その突き合わせ縁が突き合わせた状態において保持され、
前記綴杆が開くときには、保持部材の内面に近づいた方向に向いて保持されるように、保持部材に固定され、
前記作動部材は、前記開閉部材を収容するために、開閉部材収容部が、綴杆を固定された表面とは反対側の裏面側より表面側に向けて凹設され、
前記開閉部材は、綴杆を固定された表面とは反対側の裏面側において、作動部材の前記開閉部材収容部に固定され、前記綴杆を開くときに、保持部材内で、前記作動片を保持部材の長手方向に移動させるとともに保持部材の内面に近づいた方向に保持されるように、綴杆を開く方向に変化させるように形成された、綴具。
【請求項２】
前記開閉部材は、弾性部材からなり、
前記開閉部材の一端は、前記作動部材を構成する一方の作動片における綴杆の基部が固定された表面とは反対側の面の前記開閉部材収容部内において固定され、
前記開閉部材の他端は、前記作動部材を構成する他方の作動片における綴杆の基部が固定された表面とは反対側の面の前記開閉部材収容部内において固定され、
一方の作動片と他方の作動片との間に架け渡された、請求項１に記載の綴具。
【請求項３】
前記作動部材は、一対の作動片の突き合わせ縁の近傍が綴杆の突き出る方向に向けて凹まされることにより開閉部材収容部を形成された、請求項１又は２のいずれかに記載の綴具。
【請求項４】
前記開閉部材収容部は、一方の作動片に形成された凹みと他方の作動片に形成された凹みとが、突き合わせ縁を軸として線対称形に形成された、請求項１ないし３のいずれかに記載の綴具。
【請求項５】
複数の開閉自在の綴杆と、
前記綴杆を間隔をおいて設けることができる長さを備えた保持部材と、
各綴杆が保持部材に固定されるように、表面側よりのびるように綴杆を固定された一対の板状の作動片が保持部材の内側に固定された、作動部材と、
前記綴杆を固定された表面側とは反対側の裏面側において、作動部材に固定され、綴杆を開く方向に付勢する開閉部材とを備えた、綴具であって、
前記作動部材は、
一方の作動片には綴杆の一方の基部が固定され、他方の作動片には綴杆の他方の基部が固定され、
前記綴杆を閉じたときには、作動片が、保持部材の内面より離れた位置において、その突き合わせ縁が突き合わせた状態において、平面状に保持され、
前記綴杆を開いたときには、その突き合わせ縁が保持部材の内面に近づいた方向に向いて山折り状に保持されるように、保持部材に固定され、
前記作動片及び開閉部材を保持部材の保持空間内において保持され且つ移動できるように、一対の作動片の突き合わせ縁に、移動中にも突き合わせ状態を維持するための係合部を、開閉部材を固定された面側に向けて突出して形成され、
前記係合部は、作動片の表面側の基準面と同じ高さか基準面より低い高さに形成され、
前記開閉部材及び作動部材は、前記綴杆を開くときに、保持部材内で、前記作動片を保持部材の長手方向に移動させるとともに保持部材の内面に近づいた方向に保持されるように形成された、綴具。
【請求項６】
前記開閉部材は、弾性部材からなり、
前記開閉部材は、
前記作動部材を構成する一対の作動片の間において、一対の作動片をそれぞれ逆方向に移動させるとともに、綴杆の開閉状態を保持させるように、作動片に間隔をおいて固定された綴杆の基部を結ぶ方向と斜めに交差する方向に、架け渡された、請求項１ないし５のいずれかに記載の綴具。
【請求項７】
前記開閉部材の一端は、前記作動部材を構成する一方の作動片に固定され、
前記開閉部材の他端は、前記作動部材を構成する他方の作動片に固定され、
一方の作動片と他方の作動片との間に架け渡された、請求項６に記載の綴具。
【請求項８】
前記開閉部材は、コイルばねからなり、コイルの中心軸まわりにねじりモーメントを受けるばねであり、
前記開閉部材は、
一対の綴杆が綴じた状態においてばねに荷重が加わり、素線に曲げ応力を発生した状態で、前記開閉部材の一端は、前記作動部材を構成する一方の作動片に固定され、前記開閉部材の他端は、前記作動部材を構成する他方の作動片に固定された、請求項６又は７に記載の綴具。
【請求項９】
前記開閉部材は、ばねに荷重を加える荷重の方向がコイルを巻き込む方向である、請求項８に記載の綴具。
【請求項１０】
前記作動部材は、保持部材内で、一対の作動片の突き合わせ縁を中心として揺動し且つ間隔をおいて設けられた綴杆の基部を結ぶ方向に移動するように、一対の作動片が可動自在に保持部材に固定された、請求項１ないし請求項９のいずれかに記載の綴具。
【請求項１１】
前記保持部材は、作動部材を保持部材の内側に保持するための保持部が形成され、
前記保持部は、保持部材の内側に嵌装された作動部材を保持するように、内側に向けて凹まされてなる及び／又は折り曲げてなる、請求項１ないし請求項１０のいずれかに記載の綴具。
【請求項１２】
前記保持部材は、作動部材に間隔をおいて設けられた綴杆の基部を結ぶ方向に近い方向にのびる保持壁及び被綴じ物載置部を有し、
前記保持部材の保持壁及び被綴じ物載置部により、作動部材を保持部材の内側に保持するための保持空間が形成され、
前記作動部材及び開閉部材は、前記綴杆を開閉するとき、前記保持空間内において移動するように構成された、請求項１ないし１１のいずれかに記載の綴具。
【請求項１３】
前記保持部材は、保持壁及び被綴じ物載置部により作動部材を保持部材の内側に保持するための保持空間が形成され、前記保持空間は、綴杆を開いたときに一対の山折状の作動片の突き合わせ縁を収容する窪み部を形成するための膨出部の内面を含み、
前記作動部材は、一方の作動片と他方の作動片とを突き合わせ縁において突き合わせるとともに外側端縁を保持壁の内側において移動自在に固定され、綴杆が被綴じ物載置部側に向けて突き出るように固定された、請求項１ないし１２のいずれかに記載の綴具。
【請求項１４】
前記一方の作動片は、突き合わせ縁を周囲の基準面より開閉部材を固定される面側に曲げて凹まされ且つ開閉部材を固定される面とは反対側に曲げて基準面より低い係合面を有する第１係合部を形成されるとともに、前記他方の作動片は、突き合わせ縁を周囲の基準面より開閉部材を固定される面側に曲げて凹まされ前記基準面より低い係合面を有する第２係合部を形成され、
前記一方の作動片の第１係合部の係合面と前記他方の作動片の第２係合部の係合面とは、前記基準面と略々同じ高さ又は低い高さにおいて、係合された、請求項５ないし１３のいずれかに記載の綴具。
【請求項１５】
前記一方の作動片は、突き合わせ縁の両端近傍を突き合わせ縁に沿って周囲の基準面より開閉部材を固定される面側に曲げて凹まされて凹み部を形成され、該凹み部を開閉部材を固定される面とは反対側に曲げて、その周囲より高いが基準面より低い係合面を有する第１係合部を形成されるとともに、
前記他方の作動片は、突き合わせ縁の両端近傍を突き合わせ縁に沿って周囲の基準面より開閉部材を固定される面側に曲げて凹まされて凹み部を形成され、該凹み部により前記基準面より低い係合面を有する第２係合部を形成され、
前記一方の作動片の第１係合部の係合面と前記他方の作動片の第２係合部の係合面とを、前記基準面と略々同じ高さ又は低い高さにおいて係合された、請求項５ないし１４のいずれかに記載の綴具。
【請求項１６】
前記一方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部を開閉部材と固定される面とは反対側に曲げて、その周囲より高いが基準面より低い係合面を有する第１係合部を形成されるとともに、
前記他方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部により前記基準面より低い係合面を有する第２係合部を形成され、
前記一方の作動片の第１係合部の係合面と前記他方の作動片の第２係合部の係合面とを、前記基準面と略々同じ高さ又は低い高さにおいて係合された、請求項１ないし１５のいずれかに記載の綴具。
【請求項１７】
前記一方の作動片は、第１の係合部が形成され且つ他方の作動片と同じように第２の係合部が形成されるとともに、前記他方の作動片は、第２の係合部が形成され、且つ一方の作動片と同じように第１の係合部が形成された、請求項１５又は１６に記載の綴具。
【請求項１８】
前記一方の作動片と他方の作動片とは、
綴杆の開閉時における移動方向にのびる長さ方向を有する平面方形状の板体であり、
突き合わせ縁の長さ方向における中央を対称の中心とする点対称形である、請求項１ないし１７のいずれかに記載の綴具。
【発明の詳細な説明】
【技術分野】
【０００１】
この発明は、綴具に関し、特にたとえば、リングバインダないしファイルとして用いられる綴具に関する。
【背景技術】
【０００２】
この発明の背景となる従来の綴具として、国際公開第２００４／０２８８２８号パンフレットに開示された綴じ具がある。
この綴じ具は、綴杆と、綴杆を間隔をおいて設けることができる長さを備えた保持部材と、各綴杆がその基部において間隔をおいてその表面に固定され、綴杆が保持部材に固定されるように保持部材の内側に可動自在に固定された作動部材とを備えた、綴具であって、作動部材は、保持部材内で保持部材の長手方向に移動する一対の作動片からなり、一方の作動片には綴杆の一方の基部が固定され、他方の作動片には綴杆の他方の基部が固定され、綴杆を開くときに、作動片を保持部材の長手方向に移動させるとともに、保持部材の内面に近づいた方向に保持されるように、綴杆を開く方向に変化させる開閉部材を備える。
【特許文献１】国際公開第２００４／０２８８２８号パンフレット
【発明の開示】
【発明が解決しようとする課題】
【０００３】
しかしながら、従来の綴じ具は、綴杆を開閉するとき作動部材を円滑に作動させる必要があるので保持部材に一定の高さを要するために低背化に限界がある。
一方、綴具は、ファイルとバインダの表紙に綴具を取り付けたときに、一般のファイル・バインダの表紙と同じ寸法の表紙に取り付けられることが望まれている。【０００４】
それゆえに、この発明の主たる目的は、低背化を図ることができる綴じ具を提供することである。
【課題を解決するための手段】
【０００５】
この発明の請求項１にかかる綴具は、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に固定された作動部材と、前記綴杆を開く方向に付勢する開閉部材とを備えた、綴具であって、前記作動部材は、一対の作動片からなり、一方の作動片には綴杆の一方の基部が固定され、他方の作動片には綴杆の他方の基部が固定され、前記綴杆が閉じるときには、保持部材の内面より離れた位置において、その突き合わせ縁が突き合わせた状態において保持され、前記綴杆が開くときには、保持部材の内面に近づいた方向に向いて保持されるように保持部材に固定され、前記作動部材は、前記開閉部材を収容するために、開閉部材収容部が、綴杆を固定された表面とは反対側の裏面側より表面側に向けて凹設され、前記開閉部材は、綴を固定された表面とは反対側の裏面側において、作動部材の前記開閉部材収容部に固定され、前記綴杆を開くときに、保持部材内で、前記作動片を保持部材の長手方向に移動させるとともに保持部材の内面に近づいた方向に保持されるように、綴杆を開く方向に変化させるように形成された、綴具である。
この発明の請求項２にかかる綴具は、前記開閉部材は、弾性部材からなり、前記開閉部材は、前記作動部材を構成する一対の作動片の間において、一対の作動片をそれぞれ逆方向に移動させるとともに、綴杆の開閉状態を保持させるように、作動片に間隔をおいて固定された綴杆の基部を結ぶ方向と斜めに交差する方向に、架け渡された、請求項１に記載の綴具である。
この発明の請求項３にかかる綴具は、前記開閉部材の一端は、前記作動部材を構成する一方の作動片に固定され、前記開閉部材の他端は、前記作動部材を構成する他方の作動片に固定され、一方の作動片と他方の作動片との間に架け渡された、請求項２に記載の綴具である。
この発明の請求項４にかかる綴具は、前記開閉部材は、弾性部材からなり、前記開閉部材の一端は、前記作動部材を構成する一方の作動片における綴杆の基部が固定された表面とは反対側の面の前記開閉部材収容部内において固定され、前記開閉部材の他端は、前記作動部材を構成する他方の作動片における綴杆の基部が固定された表面とは反対側の面の前記開閉部材収容部内において固定され、一方の作動片と他方の作動片との間に架け渡された、請求項３に記載の綴具である。
この発明の請求項５にかかる綴具は、前記開閉部材は、コイルばねからなり、コイルの中心軸まわりにねじりモーメントを受けるばねであり、前記開閉部材は、一対の綴杆が綴じた状態においてばねに荷重が加わり、素線に曲げ応力を発生した状態で、前記開閉部材の一端は、前記作動部材を構成する一方の作動片に固定され、前記開閉部材の他端は、前記作動部材を構成する他方の作動片に固定された、請求項２ないし４のいずれかに記載の綴具である。
この発明の請求項６にかかる綴具は、前記開閉部材は、ばねに荷重を加える荷重の方向がコイルを巻き込む方向である、請求項５に記載の綴具である。
この発明の請求項７にかかる綴具は、前記作動部材は、保持部材内で、一対の作動片の突き合わせ縁を中心として揺動し且つ間隔をおいて設けられた綴杆の基部を結ぶ方向に移動するように、一対の作動片が可動自在に保持部材に固定された、請求項１ないし請求項６のいずれかに記載の綴具である。
この発明の請求項８にかかる綴具は、前記保持部材は、作動部材を保持部材の内側に保持するための保持部が形成され、前記保持部は、保持部材の内側に嵌装された作動部材を保持するように、内側に向けて凹まされてなる及び／又は折り曲げてなる、請求項１ないし請求項７のいずれかに記載の綴具である。
この発明の請求項９にかかる綴具は、前記保持部材は、作動部材に間隔をおいて設けられた綴杆の基部を結ぶ方向に近い方向にのびる保持壁及び被綴じ物載置部を有し、前記保持部材の保持壁及び被綴じ物載置部により、作動部材を保持部材の内側に保持するための保持空間が形成され、前記作動部材及び開閉部材は、前記綴杆を開閉するとき、前記保持空間内において移動するように構成された、請求項１ないし８のいずれかに記載の綴具である。
この発明の請求項１０にかかる綴具は、前記作動部材は、一対の作動片の突き合わせ縁の近傍が綴杆の突き出る方向に向けて凹まされることにより開閉部材収容部を形成された、請求項１ないし９のいずれかに記載の綴具である。
この発明の請求項１１にかかる綴具は、前記開閉部材収容部は、一方の作動片に形成された凹みと他方の作動片に形成された凹みとが、突き合わせ縁を軸として線対称形に形成された、請求項１ないし１０のいずれかに記載の綴具である。
この発明の請求項１２にかかる綴具は、前記一方の作動片と他方の作動片とは、綴杆の開閉時における移動方向にのびる長さ方向を有する平面方形状の板体であり、突き合わせ縁の長さ方向における中央を対称の中心とする点対称形である、請求項１ないし１１のいずれかに記載の綴具である。
この発明の請求項１３にかかる綴具は、前記保持部材は、保持壁及び被綴じ物載置部により作動部材を保持部材の内側に保持するための保持空間が形成され、前記作動部材は、一方の作動片と他方の作動片とを突き合わせ縁において突き合わせるとともに外側端縁を保持壁の内側において移動自在に固定され、綴杆が被綴じ物載置部側に向けて突き出るように固定された、請求項１ないし１２のいずれかに記載の綴具である。
この発明の請求項１４にかかる綴具は、前記一方の作動片は、突き合わせ縁を周囲の基準面より開閉部材を固定される面側に曲げて凹まされ且つ開閉部材を固定される面とは反対側に曲げて基準面より低い係合面を有する第１係合部を形成されるとともに、前記他方の作動片は、突き合わせ縁を周囲の基準面より開閉部材を固定される面側に曲げて凹まされ前記基準面より低い係合面を有する第２係合部を形成され、前記一方の作動片の第１係合部の係合面と前記他方の作動片の第２係合部の係合面とは、前記基準面と略々同じ高さ又は低い高さにおいて、係合された、請求項５ないし１３のいずれかに記載の綴具である。
この発明の請求項１５にかかる綴具は、前記一方の作動片は、突き合わせ縁の両端近傍を突き合わせ縁に沿って周囲の基準面より開閉部材を固定される面側に曲げて凹まされて凹み部を形成され、該凹み部を開閉部材を固定される面とは反対側に曲げて、その周囲より高いが基準面より低い係合面を有する第１係合部を形成されるとともに、前記他方の作動片は、突き合わせ縁の両端近傍を突き合わせ縁に沿って周囲の基準面より開閉部材を固定される面側に曲げて凹まされて凹み部を形成され、該凹み部により前記基準面より低い係合面を有する第２係合部を形成され、前記一方の作動片の第１係合部の係合面と前記他方の作動片の第２係合部の係合面とを、前記基準面と略々同じ高さ又は低い高さにおいて係合された、請求項５ないし１４のいずれかに記載の綴具である。
この発明の請求項１６にかかる綴具は、前記一方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部を開閉部材と固定される面とは反対側に曲げて、その周囲より高いが基準面より低い係合面を有する第１係合部を形成されるとともに、前記他方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部により前記基準面より低い係合面を有する第２係合部を形成され、前記一方の作動片の第１係合部の係合面と前記他方の作動片の第２係合部の係合面とを、前記基準面と略々同じ高さ又は低い高さにおいて係合された、請求項１ないし１５のいずれかに記載の綴具である。
この発明の請求項１７にかかる綴具は、前記一方の作動片は、第１の係合部が形成され且つ他方の作動片と同じように第２の係合部が形成されるとともに、前記他方の作動片は、第２の係合部が形成され、且つ一方の作動片と同じように第１の係合部が形成された、請求項１５又は１６に記載の綴具である。
この発明の請求項１８にかかる綴具は、前記一方の作動片と他方の作動片とは、綴杆の開閉時における移動方向にのびる長さ方向を有する平面方形状の板体であり、突き合わせ縁の長さ方向における中央を対称の中心とする点対称形である、請求項１ないし１７のいずれかに記載の綴具である。
【発明の効果】
【０００６】
この発明によれば、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に固定された作動部材と、前記綴杆を開く方向に付勢する開閉部材とを備えた、綴具であって、前記作動部材は、一対の作動片からなり、一方の作動片には綴杆の一方の基部が固定され、他方の作動片には綴杆の他方の基部が固定され、前記綴杆が閉じるときには、保持部材の内面より離れた位置において、その突き合わせ縁が突き合わせた状態において保持され、前記綴杆が開くときには、保持部材の内面に近づいた方向に向いて保持されるように保持部材に固定され、前記作動部材は、前記開閉部材を収容するために、開閉部材収容部が、綴杆を固定された表面とは反対側の裏面側より表面側に向けて凹設され、前記開閉部材は、綴杆を固定された表面とは反対側の裏面側において、作動部材の前記開閉部材収容部に固定され、前記綴杆を開くときに、保持部材内で、前記作動片を保持部材の長手方向に移動させるとともに保持部材の内面に近づいた方向に保持されるように、綴杆を開く方向に変化させるように形成されているので、低背化を図ることができる綴じ具を提供することができる。
請求項２の発明によれば、前記開閉部材は、弾性部材からなり、前記開閉部材の一端は、前記作動部材を構成する一方の作動片における綴杆の基部が固定された表面とは反対側の面の前記開閉部材収容部内において固定され、前記開閉部材の他端は、前記作動部材を構成する他方の作動片における綴杆の基部が固定された表面とは反対側の面の前記開閉部材収容部内において固定され、一方の作動片と他方の作動片との間に架け渡されているので、保持部材内に作動部材を比較的容易に装填して綴具を製造することができる。
請求項３の発明によれば、前記作動部材は、一対の作動片の突き合わせ縁の近傍が綴杆の突き出る方向に向けて凹まされることにより開閉部材収容部を形成されているので、突出部を形成した後、プレス加工で比較的容易に突条を形成できる。
請求項４の発明によれば、前記開閉部材収容部は、一方の作動片に形成された凹みと他方の作動片に形成された凹みとが、突き合わせ縁を軸として線対称形に形成されているので、プレス加工等により比較的容易に形成でき、作動片の強化を図ることができる。
請求項５の発明によれば、複数の開閉自在の綴杆と、前記綴杆を間隔をおいて設けることができる長さを備えた保持部材と、各綴杆が保持部材に固定されるように、表面側よりのびるように綴杆を固定された一対の板状の作動片が保持部材の内側に固定された、作動部材と、前記綴杆を固定された表面側とは反対側の裏面側において、作動部材に固定され、綴杆を開く方向に付勢する開閉部材とを備えた、綴具であって、前記作動部材は、一方の作動片には綴杆の一方の基部が固定され、他方の作動片には綴杆の他方の基部が固定され、  前記綴杆を閉じたときには、作動片が、保持部材の内面より離れた位置において、その突き合わせ縁が突き合わせた状態において、平面状に保持され、前記綴杆を開いたときには、その突き合わせ縁が保持部材の内面に近づいた方向に向いて山折り状に保持されるように、保持部材に固定され、前記作動片及び開閉部材を保持部材の保持空間内において保持され且つ移動できるように、一対の作動片の突き合わせ縁に、移動中にも突き合わせ状態を維持するための係合部を、開閉部材を固定された面側に向けて突出して形成され、前記係合部は、作動片の表面側の基準面と同じ高さか基準面より低い高さに形成され、前記開閉部材及び作動部材は、前記綴杆を開くときに、保持部材内で、前記作動片を保持部材の長手方向に移動させるとともに保持部材の内面に近づいた方向に保持されるように形成されるので、低背化を図ることができる綴じ具を提供することができる。
請求項６の発明によれば、前記開閉部材は、弾性部材からなり、前記開閉部材は、
前記作動部材を構成する一対の作動片の間において、一対の作動片をそれぞれ逆方向に移動させるとともに、綴杆の開閉状態を保持させるように、作動片に間隔をおいて固定された綴杆の基部を結ぶ方向と斜めに交差する方向に、架け渡されているので、綴杆の開閉を容易に行うことができる。
請求項７の発明によれば、前記開閉部材の一端は、前記作動部材を構成する一方の作動片に固定され、前記開閉部材の他端は、前記作動部材を構成する他方の作動片に固定され、一方の作動片と他方の作動片との間に架け渡されているので、綴杆の開閉を容易に行うことができる。
請求項８の発明によれば、前記開閉部材は、コイルばねからなり、コイルの中心軸まわりにねじりモーメントを受けるばねであり、前記開閉部材は、一対の綴杆が綴じた状態においてばねに荷重が加わり、素線に曲げ応力を発生した状態で、前記開閉部材の一端は、前記作動部材を構成する一方の作動片に固定され、前記開閉部材の他端は、前記作動部材を構成する他方の作動片に固定されているので、閉じている綴杆を円滑に開くことができる。
請求項９の発明によれば、前記開閉部材は、ばねに荷重を加える荷重の方向がコイルを巻き込む方向であるので、作動片が保持部材内の最適な位置に装填され、作動片の移動が円滑になされる。
請求項１０の発明によれば、前記作動部材は、保持部材内で間隔をおいて設けられた綴杆の基部を結ぶ方向に移動するように、可動自在に保持部材に固定されているので、綴杆の開閉を容易に行うことができる。
請求項１１の発明によれば、前記保持部材は、作動部材を保持部材の内側に保持するための保持部が形成され、前記保持部は、保持部材の内側に嵌装された作動部材を保持するように、内側に向けて凹まされてなる及び／又は折り曲げてなるので、プレス加工により比較的容易に保持部を形成できる。
請求項１２の発明によれば、前記保持部材は、作動部材に間隔をおいて設けられた綴杆の基部を結ぶ方向に近い方向にのびる保持壁及び被綴じ物載置部を有し、前記保持部材の保持壁及び被綴じ物載置部により、作動部材を保持部材の内側に保持するための保持空間が形成され、前記作動部材及び開閉部材は、前記綴杆を開閉するとき、前記保持空間内において移動するように構成されているので、作動片が保持部材内の最適な位置に装填され、作動片の移動が円滑になされる。
請求項１３の発明によれば、前記保持部材は、保持壁及び被綴じ物載置部により作動部材を保持部材の内側に保持するための保持空間が形成され、前記保持空間は、綴杆を開いたときに一対の山折状の作動片の突き合わせ縁を収容する窪み部を形成するための膨出部の内面を含み、前記作動部材は、一方の作動片と他方の作動片とを突き合わせ縁において突き合わせるとともに外側端縁を保持壁の内側において移動自在に固定され、綴杆が被綴じ物載置部側に向けて突き出るように固定されているので、保持部材の低背化に対応でき、全体的に低背化を図ることができる綴じ具を提供することができる。
請求項１４の発明によれば、前記一方の作動片は、突き合わせ縁を周囲の基準面より開閉部材を固定される面側に曲げて凹まされ且つ開閉部材を固定される面とは反対側に曲げて基準面より低い係合面を有する第１係合部を形成されるとともに、前記他方の作動片は、突き合わせ縁を周囲の基準面より開閉部材を固定される面側に曲げて凹まされ前記基準面より低い係合面を有する第２係合部を形成され、前記一方の作動片の第１係合部の係合面と前記他方の作動片の第２係合部の係合面とは、前記基準面と略々同じ高さ又は低い高さにおいて、係合されているので、保持部材の低背化に対応でき、全体的に低背化を図ることができる綴じ具を提供することができる。
請求項１５の発明によれば、前記一方の作動片は、突き合わせ縁の両端近傍を突き合わせ縁に沿って周囲の基準面より開閉部材を固定される面側に曲げて凹まされて凹み部を形成され、該凹み部を開閉部材を固定される面とは反対側に曲げて、その周囲より高いが基準面より低い係合面を有する第１係合部を形成されるとともに、前記他方の作動片は、突き合わせ縁の両端近傍を突き合わせ縁に沿って周囲の基準面より開閉部材を固定される面側に曲げて凹まされて凹み部を形成され、該凹み部により前記基準面より低い係合面を有する第２係合部を形成され、前記一方の作動片の第１係合部の係合面と前記他方の作動片の第２係合部の係合面とを、前記基準面と略々同じ高さ又は低い高さにおいて係合されているので、保持部材の低背化に対応でき、全体的に低背化を図ることができる綴じ具を提供することができる。
請求項１６の発明によれば、前記一方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部を開閉部材と固定される面とは反対側に曲げて、その周囲より高いが基準面より低い係合面を有する第１係合部を形成されるとともに、前記他方の作動片は、突き合わせ縁の両端近傍であって、綴杆の基部が固定された領域より突き合わせ縁寄りを、突き合わせ縁に沿って周囲の基準面より開閉部材を固定される面側に曲げて凹まされて凹み部を形成され、該凹み部により前記基準面より低い係合面を有する第２係合部を形成され、前記一方の作動片の第１係合部の係合面と前記他方の作動片の第２係合部の係合面とを、前記基準面と略々同じ高さ又は低い高さにおいて係合されているので、綴杆の開閉時における作動部材の移動を円滑に行うことができ、且つ全体的に低背化を図ることができる綴じ具を提供することができる。
請求項１７の発明によれば、前記一方の作動片は、第１の係合部が形成され且つ他方の作動片と同じように第２の係合部が形成されるとともに、前記他方の作動片は、第２の係合部が形成され、且つ一方の作動片と同じように第１の係合部が形成されているので、綴杆の開閉時における作動部材の移動を円滑に行うことができ、且つ全体的に低背化を図ることができる綴じ具を提供することができる。
請求項１８の発明によれば、前記一方の作動片と他方の作動片とは、綴杆の開閉時における移動方向にのびる長さ方向を有する平面方形状の板体であり、突き合わせ縁の長さ方向における中央を対称の中心とする点対称形であるので、プレス加工等により比較的容易に形成でき、作動片の強化を図ることができる。
【図面の簡単な説明】
【０００７】
【図１】本発明にかかる一実施の形態である綴具を用いたファイルを示す斜視図であ    る。
【図２】本発明にかかる一実施の形態である綴具の一例を示す斜視図である。
【図３】保持部材の斜視図である。
【図４】作動部材及び開閉部材の斜視図解図である。
【図５】開閉部材の平面図である。
【図６】開閉部材の側面図解図で、（Ａ）は元の状態の側面図解図で（Ｂ）は巻線部    の  円周方向に力を加えて作動片に固定された状態の側面（図５Ａ方向矢視）図解図    であり、（Ｃ）は巻線部の円周方向に力を加えて作動片に固定された状態の側面（図    ５Ｂ方向矢視）図解図である。
【図７】綴杆及び作動部材の図解図であり、（Ａ）は閉じた状態における綴杆と作動 部材を示す平面図解図であり、（Ｂ）は第２の作動片の左側図解図である。
【図８】閉じた状態における綴具の平面図解図である。
【図９】閉じた状態における綴具の底面図である。
【図１０】閉じた状態における綴具の横断面図であり、（Ａ）は、図９Ａ−Ａ断面図    であり、（Ｂ）は、図９Ｂ−Ｂ断面図である。
【図１１】綴杆を開く状態を示す綴具の底面図である。
【図１２】綴杆を開く状態を示す綴具の綴杆の図解図である。
【図１３】開いた状態における綴具の平面図解図である。
【図１４】開く状態を示す綴具の底面図解図であり、（Ａ）は、ほぼ開いた綴具の底    面図解図であり、（Ｂ）は、開き終わった底面図解図である。
【図１５】開いた状態における綴具の横断面図であり、（Ａ）は、図１４Ａ−Ａ断面    図であり、（Ｂ）は、図１４Ｂ−Ｂ断面図である。
【図１６】綴杆の係止部を示す図解図であり、（Ａ）は、平面図解図であり、（Ｂ）    は、（Ａ）のＡ−Ａ断面図解図であり、（Ｃ）は、正面図解図である。
【図１７】綴杆の係止部を示す図解図であり、（Ａ）は、側面図解図であり、（Ｂ）    は、（Ａ）のＢ−Ｂ断面図解図である。
【図１８】綴杆を綴じる状態を示す綴杆の図解図であり、（Ａ）は、平面図解図であ    り、（Ｂ）は、正面図解図である。
【図１９】綴杆を綴じる状態を示す綴杆の図解図であり、（Ａ）は、平面図解図であ    り、（Ｂ）は、正面図解図である。
【図２０】綴杆を綴じる状態を示す綴杆の図解図であり、（Ａ）は、平面図解図であ    り、（Ｂ）は、正面図解図である。
【図２１】綴杆を綴じる状態を示す綴杆の図解図であり、（Ａ）は、平面図解図であ    り、（Ｂ）は、正面図解図である。
【図２２】保持部材の形成方法を示す図解図であり、（Ａ）は保持部材の側面図解図    であり、（Ｂ）は底面図解図である。
【図２３】保持部材の形成方法を示す底面図解図である。
【図２４】保持部材の変形例の形成方法を示す底面図解図である。
【図２５】図２４Ａ方向矢視図である。
【図２６】作動部材の変形例を示す底面図解図である。
【図２７】作動部材の変形例を示す断面図解図である。
【図２８】表紙を閉じた状態における斜視図解図である。
【図２９】表紙を閉じた状態における側面図解図である。
【図３０】表紙を閉じた状態における横断図解図である。
【図３１】綴杆の変形例を示す図解図であり、（Ａ）は平面図解図であり、（Ｂ）は    正面図解図である。
【図３２】別の実施の形態である綴具の一例を示す斜視図である。
【図３３】別の実施の形態である綴具の一例を示す平面図である。
【図３４】図３２図示綴具の全体の底面図である。
【図３５】（Ａ）（Ｂ）は図３４の一部を拡大した底面図である。
【図３６】（Ａ）は図３２図示綴具の側面図であり、（Ｂ）は図３２図示綴具の綴杆    の断面図である。
【図３７】別の実施の形態である綴具の一例を示す斜視図である。
【図３８】別の実施の形態である綴具の一例を示す平面図である。
【図３９】図３７図示綴具の全体の底面図である。
【図４０】（Ａ）（Ｂ）は図３９の一部を拡大した底面図である。
【図４１】（Ａ）は図３７図示綴具の側面図であり、（Ｂ）は図３７図示綴具の綴杆    の断面図である。
【図４２】開閉部材及び作動部材の変形例を示す底面図解図である。
【図４３】開閉部材の変形例を示す平面図である。
【図４４】作動部材及び開閉部材の変形例を示す斜視図解図である。
【図４５】本発明にかかる一実施の形態である綴具を用いたファイルを示す斜視図で    ある。
【図４６】本発明にかかる一実施の形態である綴具の一例を示す斜視図である。
【図４７】保持部材の斜視図である。
【図４８】作動部材及び開閉部材の斜視図解図である。
【図４９】開閉部材の平面図である。
【図５０】開閉部材の側面図解図で、（Ａ）は元の状態の側面図解図で（Ｂ）（Ｃ）    は巻線部の円周方向に力を加えた状態の側面図解図である。
【図５１Ａ】閉じた状態における綴杆と作動部材を示す平面図解図である。
【図５１Ｂ】閉じた状態における綴杆と作動部材を示す左側図解図である。
【図５１Ｃ】閉じた状態における綴杆と作動部材を示す正面図解図である。
【図５１Ｄ】閉じた状態における綴杆と作動部材を示す底面図解図である。
【図５２】閉じた状態における綴具の平面図解図である。
【図５３】閉じた状態における綴具の底面図である。
【図５４】閉じた状態における綴具の横断面図であり、（Ａ）は、図５３Ａ−Ａ断面    図であり、（Ｂ）は、概略を示した図５３Ｂ−Ｂ断面図である。
【図５５】綴杆を開く状態を示す綴具の底面図である。
【図５６】綴杆を開く状態を示す綴具の綴杆の図解図である。
【図５７】開いた状態における綴具の平面図解図である。
【図５８】開く状態を示す綴具の底面図解図であり、（Ａ）は、ほぼ開いた綴具の底    面図解図であり、（Ｂ）は、開き終わった底面図解図である。
【図５９】開いた状態における綴具の横断面図であり、（Ａ）は、図５８Ａ−Ａ断面    図であり、（Ｂ）は、概略を示した図５８Ｂ−Ｂ断面図である。
【図６０】綴杆の係止部を示す図解図であり、（Ａ）は、平面図解図であり、（Ｂ）    は、（Ａ）のＡ−Ａ断面図解図であり、（Ｃ）は、正面図解図である。
【図６１】綴杆の係止部を示す図解図であり、（Ａ）は、側面図解図であり、（Ｂ）    は、（Ａ）のＢ−Ｂ断面図解図である。
【図６２】綴杆を綴じる状態を示す綴杆の図解図であり、（Ａ）は、平面図解図であ    り、（Ｂ）は、正面図解図である。
【図６３】綴杆を綴じる状態を示す綴杆の図解図であり、（Ａ）は、平面図解図であ    り、（Ｂ）は、正面図解図である。
【図６４】綴杆を綴じる状態を示す綴杆の図解図であり、（Ａ）は、平面図解図であ    り、（Ｂ）は、正面図解図である。
【図６５】綴杆を綴じる状態を示す綴杆の図解図であり、（Ａ）は、平面図解図であ    り、（Ｂ）は、正面図解図である。
【図６６】保持部材の形成方法を示す図解図であり、（Ａ）は保持部材の側面図解図    であり、（Ｂ）は底面図解図である。
【図６７】保持部材の形成方法を示す底面図解図である。
【図６８】保持部材の変形例の形成方法を示す底面図解図である。
【図６９】図６８Ａ方向矢視図である。
【図７０】作動部材の変形例を示す底面図解図である。
【図７１】作動部材の変形例を示す断面図解図である。
【図７２】表紙を閉じた状態における斜視図解図である。
【図７３】表紙を閉じた状態における側面図解図である。
【図７４】表紙を閉じた状態における横断図解図である。
【図７５】綴杆の変形例を示す図解図であり、（Ａ）は平面図解図であり、（Ｂ）は    正面図解図である。
【図７６】別の実施の形態である綴具の一例を示す斜視図である。
【図７７】別の実施の形態である綴具の一例を示す平面図である。
【図７８】図７６図示綴具の全体の底面図である。
【図７９】（Ａ）（Ｂ）は図７８の一部を拡大した底面図である。
【図８０】（Ａ）は図７６図示綴具の側面図であり、（Ｂ）は図７６図示綴具の綴杆    の断面図である。
【図８１】別の実施の形態である綴具の一例を示す斜視図である。
【図８２】別の実施の形態である綴具の一例を示す平面図である。
【図８３】図８１図示綴具の全体の底面図である。
【図８４】（Ａ）（Ｂ）は図８３の一部を拡大した底面図である。
【図８５】（Ａ）は図８１図示綴具の側面図であり、（Ｂ）は図８１図示綴具の綴杆    の断面図である。
【符号の説明】
【０００８】
Ａ  表紙
Ｓ  被綴じ物
１０，５１０，６１０  綴具
１２，４１２，５１２，６１２  第１の綴杆
１４，４１４，５１３，６１３  第２の綴杆
５１４，６１４  第３の綴杆
５１５  第４の綴杆
１２ａ，４１２ａ，５１２ａ，６１２ａ  第１の半割杆
１２ｂ，４１２ｂ，５１２ｂ，６１２ｂ  第２の半割杆
１４ａ，４１４ａ，５１３ａ，６１３ａ    第３の半割杆
１４ｂ，４１４ｂ，５１３ｂ，６１３ｂ  第４の半割杆
５１４ａ，６１４ａ  第５の半割杆
５１４ｂ，６１４ｂ  第６の半割杆
５１５ａ  第７の半割杆
５１５ｂ  第８の半割杆
１６，５１６，６１６  保持部材
１８，５１８，６１８  作動部材
２０，５２０，６２０  取付孔
２２，５２２，６２２  被綴じ物載置部
２２ａ，膨出部
２４，５２４，６２４  保持壁
２４ａ，５２４ａ，６２４ａ  第１の保持壁
２４ｂ，５２４ｂ，６２４ｂ  第２の保持壁
２６，５２６，６２６  第１の貫通孔
２８，５２７，６２７  第２の貫通孔
５２８，６２８  第３の貫通孔
５２９  第４の貫通孔
３０，５３０，６３０  第１の作動片
３０ａ，５３０ａ，６３０ａ，７３０ａ  突き合わせ縁
３０ｂ，５３０ｂ，６３０ｂ  外側端縁
３０ｃ1，３０ｃ2，５３０ｃ1，５３０ｃ2，５３０ｃ3，６３０ｃ3，６３０ｃ1，
６３０ｃ2 突出部
３０ｄ，３０ｅ  係合部
３０ｆ，１３０ｆ  規制凹部
３０ｇ，１３０ｇ  規制凸起
１３０ｄ，７３０ｄ，８３０ｄ  第１の作動片の向こう側凹み部
１３０ｅ，７３０ｅ，８３０ｅ  第１の作動片の手前側凹み部
２３０ｈ，５３０ｈ，６３０ｈ  突条
３２，５３２，６３２  第２の作動片
３２ａ，５３２ａ，６３２ａ，７３２ａ  突き合わせ縁
３２ｂ，５３２ｂ，６３２ｂ  外側端縁
３２ｃ1，３２ｃ2，５３２ｃ1，５３２ｃ2，５３２ｃ3，６３２ｃ１，６３２ｃ2，
６３２ｃ3 突出部
３２ｄ，３２ｅ  係合部
３２ｆ，１３２ｆ  規制凹部
３２ｇ，１３２ｇ  規制凸起
１３２ｄ，７３２ｄ，８３２ｄ  第２の作動片の向こう側凹み部
１３２ｅ，７３２ｅ，８３２ｅ  第２の作動片の手前側凹み部
２３２ｈ，５３２ｈ，６３２ｈ  突条
２３４ａ，２３４ｂ，２３４ｃ，２３４ｄ，５３４ａ，５３４ｂ，５３４ｃ，５３４ｄ，５３４ｅ，５３４ｆ，６３４ａ，６３４ｂ，６３４ｃ，６３４ｄ，６３４ｅ，６３４ｆ  ビード
２３４ａ1，２３４ｂ1，２３４ｃ1，２３４ｄ1，５３４ａ1，５３４ｂ1，５３４ｃ1
，５３４ｄ1，６３４ａ1，６３４ｂ1，６３４ｃ1，６３４ｄ1，６３４ｅ1，６３４ｆ1 第１直線部
２３４ａ2，２３４ｂ2，２３４ｃ2，２３４ｄ2，５３４ａ2，５３４ｂ2，５３４ｃ2
，５３４ｄ2，６３４ａ2，６３４ｂ2，６３４ｃ2，６３４ｄ2，６３４ｅ2，６３４ｆ2 第２直線部
２３４ａ3，２３４ｂ3，２３４ｃ3，２３４ｄ3，５３４ａ3，５３４ｂ3，５３４ｃ3
，５３４ｄ3，６３４ａ3，６３４ｂ3，６３４ｃ3，６３４ｄ3，６３４ｅ3，６３４ｆ3 斜線部
３６ａ，３６ｂ，  凹み
１３６ａ  第１係合部
１３６ａ1，５３６ａ1，６３６ａ1  第１の作動片の向こう側第１係合部
１３６ａ2，５３６ａ2，６３６ａ2  第１の作動片の手前側第１係合部
１３６ａ3，５３６ａ3，６３６ａ3  第２の作動片の手前側第１係合部
１３６ａ4，５３６ａ4，６３６ａ4  第２の作動片の向こう側第１係合部
１３６ｂ  第２係合部
１３６ｂ1，５３６ｂ1，６３６ｂ1  第２の作動片の向こう側第２係合部
１３６ｂ2，５３６ｂ2，６３６ｂ2  第２の作動片の手前側第２係合部
１３６ｂ3，５３６ｂ3，６３６ｂ3  第１の作動片の手前側第２係合部
１３６ｂ4，５３６ｂ4，６３６ｂ4  第１の作動片の向こう側第２係合部
３８ａ，３８ｂ，５３８ａ1，５３８ａ2，５３８ｂ1，５３８ｂ2，６３８ａ1，６３
８ａ2，６３８ｂ1，６３８ｂ2   ７３８ａ，７３８ｂ  開閉部材固定部
３８ａ1，３８ｂ1  係止基部
３８ａ2，３８ｂ2  係止外れ止め部
３６，５３６Ａ，５３６Ｂ，６３６Ａ，６３６Ｂ  開閉部材収容部
４０，５４０，５４２，６４０，６４２  開閉部材
４２ａ，５４０ａ，５４２ａ，６４０ａ，６４２ａ，７４２ａ  開閉部材の一方の固定先端部
４２ｂ，５４０ｂ，５４２ｂ，６４０ｂ，６４２ｂ，７４２ｂ  開閉部材の他方の固定先端部
４４，７４４  巻線部
４６ａ，４６ｂ，７４６ａ，７４６ｂ  規制腕部
５０，５５０，６５０  綴杆係止部
５２ａ，５４ａ，５６ａ，５８ａ  凸部
５２ｂ，５４ｂ，５６ｂ，５８ｂ  凹部
５２ｃ，５４ｃ，５６ｃ，５８ｃ  凸部の傾斜対向面
５２ｄ，５４ｄ，５６ｄ，５８ｄ  凹部の傾斜対向面
６０，６２，１６０，１６２，５６０，５６２，６６０，６６２  第１の保持部
６４，６６，１６４，１６６，５６４，５６６，６６４，６６６  第２の保持部
５６１，５６５，６６１，６６５  第３の保持部
６８ａ，７０ａ，７２ａ，７４ａ  切り込み
３００  ファイル・バインダ
３１０  表紙
３１２  表表紙
３１４  裏表紙
３１６  背表紙
３１８Ａ，３１８Ｂ  薄肉ヒンジ部
３２０  連設部
３２２，３２４  綴杆固定手段
【０００９】
この発明の上述の目的、その他の目的、特徴および利点は、図面を参照して行う以下の発明を実施するための最良の形態の説明から一層明らかとなろう。
【発明を実施するための最良の形態】
【００１０】
この発明にかかる実施の形態である２穴真円型リング綴具について説明する。
図１は、本発明にかかる一実施の形態である綴具を用いたファイルを示す斜視図である。図２は、本発明にかかる一実施の形態である綴具の一例を示す斜視図であり、図３は、保持部材の斜視図である。図４は、作動部材及び開閉部材の斜視図解図である。図５は、開閉部材の平面図である。図６は、開閉部材の側面図解図で、（Ａ）は元の状態の側面図解図で（Ｂ）（Ｃ）は巻線部の円周方向に力を加えた状態の側面図解図である。図７は、綴杆及び作動部材の図解図であり、（Ａ）は閉じた状態における綴杆と作動部材を示す平面図解図であり、（Ｂ）は第２の作動片の左側図解図である。図８は、閉じた状態における綴具の平面図である。図９は、閉じた状態における綴具の底面図である。図１０は、閉じた状態における綴具の横断面図であり、（Ａ）は、図９Ａ−Ａ断面図であり、（Ｂ）は、図９Ｂ−Ｂ断面図である。図１１は、綴杆を開く状態を示す綴具の底面図である。図１２は、綴杆を開く状態を示す綴具の綴杆の図解図である。【００１１】
図１ないし２に示す綴具１０は、厚紙その他の比較的硬質なシート材からなる表紙Ａの略中央に形成される左右一対の折り線の内側の背表紙の内側表面に固定される。固定する方法としては、綴具１０の長手方向の両端に形成された取付孔２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。【００１２】
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８とを備える。【００１３】
この綴具１０の綴杆は、主綴杆たる第１の綴杆１２と副綴杆たる第２の綴杆１４とからなる開閉自在の２穴タイプである。
第１の綴杆１２と第２の綴杆１４とは、同一方向に向けて、その綴杆係止部５０を指で外すことができるように構成されている。
そして、綴杆を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。【００１４】
保持部材１６は、第１の綴杆１２と第２の綴杆１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴杆１２および第２の綴杆１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。【００１５】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２を構成する第１の半割杆１２ａおよび第２の半割杆１２ｂと、第２の綴杆１４を構成する第３の半割杆１４ａおよび第４の半割杆１４ｂとに対応して、保持部材１６の幅方向において左右に分かれて一定の間隔をおいて、２つずつ穿設されている。【００１６】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図７及び図９図示）を対称の中心とする点対称形で、保持部材１６の保持空間内において各々をその長手方向において並置したとき、各々その内側縁において屈曲自在に係合する。【００１７】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図７図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図７図示平面Ｐxyより上側）に向いて、その谷折りまたは山折りの状態を維持するように、保持部材１６の内側の保持空間部に内設されている。
平面Ｐxyとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，
Ｘ2（図７図示）を含む平面である。【００１８】
作動部材１８は、一方の作動片、すなわち第１の作動片３０における保持部材１６の被綴じ物載置部２２の内側面と対向する表面（すなわち上面）には、第１の綴杆１２を構成する第１の半割杆１２ａの基部が固定され、且つ、前記第１の半割杆１２ａとは一定の間隔をおいて、第２の綴杆１４を構成する第３の半割杆１４ａの基部が固定されている。
また、他方の作動片、すなわち第２の作動片３２における保持部材１６の被綴じ物載置部２２と対向する表面（すなわち上面）には、第１の綴杆１２を構成する第２の半割杆１２ｂの基部が固定され、且つ、前記第２の半割杆１２ｂと一定の間隔をおいて、第２の綴杆１４を構成する第４の半割杆１４ｂの基部が固定されている。【００１９】
一方の作動片、すなわち第１の作動片３０は、前記保持部材１６に形成された第１の貫通孔２６に通される突出部３０ｃ1（第１の半割杆１２ａの近傍に形成）および前記保持
部材１６に形成された第２の貫通孔２８に通される突出部３０ｃ2（第３の半割杆１４ａ
の近傍に形成）が形成されている。
第２の作動片３２は、前記保持部材１６に形成された第１の貫通孔２６に通される突出部３２ｃ1（第２の半割杆１２ｂの近傍に形成）及び前記保持部材１６に形成された第２
の貫通孔２８に通される突出部３２ｃ2（第４の半割杆１４ｂの近傍に形成）が形成され
ている。
そして、一対の第１の作動片３０及び第２の作動片３２は、前記突出部３０ｃ1と突出
部３０ｃ2および突出部３２ｃ1と突出部３２ｃ2が第１の貫通孔２６と第１の貫通孔２６
及び第２の貫通孔２８と第２の貫通孔２８に通された状態で、突き合わされている。
第１の作動片３０及び第２の作動片３２は、突き合わせ縁３０ａおよび突き合わせ縁３２ａが、綴杆、すなわち第１の綴杆１２及び第２の綴杆１４を開いた際には前記保持部材１６の内面に近づき且つ前記第１の綴杆１２及び第２の綴杆１４を閉じた際には前記保持部材１６の内面から離れるように、前記第１の綴杆１２及び第２の綴杆１４を開閉する方向に揺動可能に、前記保持部材１６に保持される。【００２０】
第１の作動片３０は、一対の作動片が突き合わされる略直線状の突き合わせ縁３０ａが内側に形成され、前記突き合わせ縁３０ａと略平行な略直線状の外側端縁３０ｂが外側に形成されている。
第２の作動片３２は、一対の作動片が突き合わされる略直線状の突き合わせ縁３２ａが内側に形成され、前記突き合わせ縁３２ａと略平行な略直線状の外側端縁３２ｂが外側に形成されている。
第１の作動片３０の外側端縁３０ｂは、突出部３０ｃ1及び突出部３０ｃ2が、形成されている。
第２の作動片３２の外側端縁３２ｂは、突出部３２ｃ1及び突出部３２ｃ2が、形成されている。
すなわち、その突き合わせ縁３０ａおよび突き合わせ縁３２ａが突き合わされ且つ外側端縁３０ｂおよび外側端縁３２ｂが保持部材１６の第１の保持壁２４ａと第２の保持壁２４ｂとの両壁内内側面に接近する。【００２１】
前記突出部３０ｃ1と突出部３０ｃ2とは、第１の半割杆１２ａと第３の半割杆１４ａの基部の取付け位置に近い位置である第１の作動片３０の幅方向において外側で、それぞれ前後に間隔をあけて一対形成され、且つ、突出部３２ｃ1と突出部３２ｃ2とは、第２の半割杆１２ｂと第４の半割杆１４ｂの基部の取付け位置に近い位置である第２の作動片３２の幅方向において外側で、それぞれ前後に間隔をあけて一対形成され、第１の綴杆１２及び第２の綴杆１４の開閉ができるように、保持部材１６の第１の保持壁２４ａ及び第２の保持壁２４ｂより外側に突出している。
突出部３０ｃ1と突出部３０ｃ2とは、保持部材１６の第１の保持壁２４ａの第１の貫通孔２６及び第１の貫通孔２６より外側に突き出る長さを備え、また、突出部３２ｃ1と突
出部３２ｃ2とは、保持部材１６の第２の保持壁２４ｂの第２の貫通孔２８及び第２の貫
通孔２８より外側に突き出る長さを備え、且つ、作動部材１８が綴杆の開閉時に保持部材１６の長手方向に移動可能な幅を有する舌状である。
作動片３０及び作動片３２は、金属またプラスチックの薄板からなり、作動片３０及び作動片３２と突出部３０ｃ1、突出部３０ｃ2、突出部３２ｃ1及び突出部３２ｃ2とは一体成形されてなる。【００２２】
前記作動部材１８は、前記開閉部材４０を収容するために、開閉部材収容部３６が、第１の綴杆１２及び第２の綴杆１４が固定された表面とは反対側の裏面側より表面側に向けて凹設されている。
前記作動部材１８は、第１の作動片３０の突き合わせ縁３０ａの近傍が第１の綴杆１２の突き出る方向に向けて凹まされ且つ第２の作動片３２の突き合わせ縁３２ａの近傍が第２の綴杆１４の突き出る方向に向けて凹まされることにより、第１の作動片３０に形成された凹み３６ａと第２の作動片３２に形成された凹み３６ｂとを形成されてなる開閉部材収容部３６が形成されている。
凹み３６ａは、突き合わせ縁３０ａ側が深く凹まされ、第１の綴杆１２側の上縁及び第２の綴杆１４側の下縁は略平行で、突き合わせ縁３０ａと略直交する平面視略方形状である。
凹み３６ｂは、突き合わせ縁３２ａ側が深く凹まされ、第１の綴杆１２側の上縁及び第２の綴杆１４側の下縁は略平行で、突き合わせ縁３２ａと略直交する平面視略方形状である。
前記開閉部材収容部３６は、第１の作動片３０に形成された凹み３６ａと第２の作動片３２に形成された凹み３６ｂとが、突き合わせ縁３０ａ及び突き合わせ縁３２ａを軸として線対称形に形成されて構成されている。
前記開閉部材４０は、第１の綴杆１２及び第２の綴杆１４が固定された表面とは反対側の裏面側において、作動部材１８の前記開閉部材収容部３６に固定され、前記第１の綴杆１２及び第２の綴杆１４を開くときに、保持部材１６内で、前記作動片３０及び作動片３２を保持部材１６の長手方向に移動させるとともに保持部材１６の内面に近づいた方向に保持されるように、第１の綴杆１２及び第２の綴杆１４を開く方向に変化させるように形成されているので、開閉部材収容部３６は、開閉部材４０を収容し、開閉部材４０の作用により第１の作動片３０と第２の作動片３２とが低背化を図るように構成されている。【００２３】
前記第１の作動片３０は、一対の作動片を係合させるための係合部３０ｄ及び係合部３０ｅが、第１の作動片３０の突き合わせ縁３０ａから第２の作動片３２の突き合わせ縁３２ａに向けて突き出し設けられ、且つ、一対の作動片を係合させるための係合部３２ｄ及び係合部３２ｅが、第２の作動片３２の突き合わせ縁３２ａから第１の作動片３０の突き合わせ縁３０ａに向けて突き出し設けられている。
係合部３０ｄ及び係合部３０ｅと係合部３２ｄ及び係合部３２ｅは、対向する第１の作動片３０及び第２の作動片３２の上側に向けて延びて突き合わせ縁３０ａ及び突き合わせ縁３２ａを中心にして第１の作動片３０と第２の作動片３２とが揺動するように形成されている。【００２４】
係合部３０ｄ及び係合部３０ｅと係合部３２ｄ及び係合部３２ｅは、保持部材１６の被綴じ物載置部２２の内面側に向けて、作動部材１８の厚み分を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備え、係合部３０ｄ及び係合部３０ｅと係合部３２ｄ及び係合部３２ｅは、保持部材１６の被綴じ物載置部２２の内面側に向けて突き出されて、一対の作動片たる第１の作動片３０及び第２の作動片３２の片一方の作動片、すなわち第１の作動片３０または第２の作動片３２の保持部材１６の被綴じ物載置部２２の内面側において接近している。
最も外側の係合部３０ｄ及び係合部３２ｄは、第１の作動片３０と第２の作動片３２を逆方向に移動させたときにおいても作動部材１８の端縁より内側に位置する幅を備えている。
最も外側の係合部３０ｄ及び３２ｄと内側の係合部３０ｅ及び３２ｅとは、第１の綴杆１２及び第２の綴杆１４の基部が取付けられた部位を挟んで適宜な間隔をおいて形成されている。【００２５】
そして、前記第１の綴杆１２および第２の綴杆１４が閉じるときには、図１０に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち谷折りの状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図１５に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。【００２６】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図７図示
））および第２の半割杆１２ｂと第４の半割杆１４ｂとを結ぶ線（Ｘ2（図７図示））と
平行な方向に、第１の作動片３０と第２の作動片３２とを移動させることができるように摺動自在に内設されている。【００２７】
第１の作動片３０及び第２の作動片３２は、開閉部材収容部３６の外側近傍において、第１の作動片３０及び第２の作動片３２の長手方向への移動を規制する移動規制部が形成される。
移動規制部は、第１の作動片３０の突き合わせ縁３０ａに形成された規制凹部３０ｆ及び規制凸起３０ｇと、第２の作動片３２の突き合わせ縁３２ａに形成された規制凹部３２ｆ及び規制凸起３２ｇとから形成される。
規制凹部３０ｆは、凹み３６ａの外側近傍において、突き合わせ縁３０ａより幅方向において凹んだ平面視コ字型の欠きであり、規制凸起３２ｇは、前記規制凹部３０ｆと遊嵌するように形成された平面視コ字型の凸起であり、規制凹部３０ｆに規制凸起３２ｇが遊嵌されて、規制凹部３０ｆ内において第１の作動片３０及び第２の作動片３２がその長手方向に互い違いに移動するように形成されている。
規制凹部３２ｆは、凹み３６ｂの外側近傍において、突き合わせ縁３２ａより幅方向において凹んだ平面視コ字型の欠きであり、規制凸起３０ｇは、前記規制凹部３２ｆと遊嵌するように形成された平面視コ字型の凸起であり、規制凹部３２ｆに規制凸起３０ｇが遊嵌されて、規制凹部３２ｆ内において第１の作動片３０及び第２の作動片３２がその長手方向に互い違いに移動するように形成されている。【００２８】
第１の作動片３０の凹み３６ａ内で突き合わせ縁３０ａ側及び第２の作動片３２の凹み３６ｂ内で突き合わせ縁３２ａ側において、第１の綴杆１２と第２の綴杆１４とを開閉方向に変化させる開閉部材４０が設けられている。
前記開閉部材４０は、前記作動部材１８を構成する一対の作動片すなわち作動片３０と作動片３２との間において、一対の作動片３０と作動片３２をそれぞれ逆方向に移動させるとともに、綴杆すなわち第１の綴杆１２及び第２の綴杆１４の開閉状態を保持させるように、第１の作動片３０に間隔をおいて固定された綴杆すなわち第１の半割杆１２ａ及び第３の半割杆１４ａの基部を結ぶ方向と斜めに交差する方向であり、且つ作動片３２に間隔をおいて固定された綴杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図６（Ａ）に示すように、巻線部４４の円周方向に規制腕部４６ａと規制腕部４６ｂとが平行に突き出されている。【００２９】
前記開閉部材４０は、第１の綴杆１２と第２の綴杆１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図６（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図５及び図６（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。【００３０】
規制腕部４６ａ及び規制腕部４６ｂは、固定先端部４２ａ及び固定先端部４２ｂの第１の作動片３０及び第２の作動片３２に固定される側から巻線部４４の中心軸と直交する方向にのび、一方の規制腕部４６ａと他方の規制腕部４６ｂとは、ねじりモーメントが発生しない元の状態は、図５及び図６（Ａ）に示すように、巻線部４４の円周方向に略平行に突き出され、互いに反対向きにのびる。
一方の規制腕部４６ａは、固定先端部４２ａが第１の作動片３０の開閉部材固定部３８ａに固定されたとき、第１の作動片３０の裏面にその先端が突き当たり、他方の規制腕部４６ｂは、固定先端部４２ｂが第２の作動片３２の開閉部材固定部３８ｂに固定されたとき、第２の作動片３２の裏面（下面）にその先端が突き当たり、丸フックの固定先端部４２ａ及び固定先端部４２ｂが大きく傾くことなく、常に正規の状態にて開閉部材固定部３８ａ及び開閉部材固定部３８ｂに固定されるように構成されている。
ねじりモーメントが発生しない元の状態においては、一方の規制腕部４６ａともう一方の規制腕部４６ｂとは平行になるように形成されている。【００３１】
開閉部材４０は、その固定先端部４２ａの一端が一方の作動片、すなわち第１の作動片３０の裏面（下面）に形成された開閉部材固定部３８ａに係止固定され、開閉部材４０の固定先端部４２ｂ一端が、他方の作動片、すなわち第２の作動片３２の裏面（下面）に形成された開閉部材固定部３８ｂに係止固定されている。
開閉部材固定部３８ａは、開閉部材収容部３６の凹み３６ａの裏面（下面）であって、第１の作動片３０の長手方向の中心Ｃ（図７及び図９図示）より第１の綴杆１２及び第２の綴杆１４を開くときに第１の作動片３０の移動する方向側にずれた位置に形成され、開閉部材固定部３８ｂは、開閉部材収容部３６の凹み３６ｂの裏面（下面）であって、第２の作動片３２の長手方向の中心Ｃ（図７及び図９図示）より第１の綴じ杆１２及び第２の綴じ杆１４を開くときに第２の作動片３２の移動する方向側にずれた位置に形成されている。【００３２】
開閉部材固定部３８ａは、第１の作動片３０の裏面に続く係止基部３８ａ1と、係止基
部３８ａ1の先端（下端）に開閉部材４０とは反対側に向けてのびる係止外れ止め部３８
ａ2が突設された、側面Ｌ字形である。
開閉部材固定部３８ｂは、第２の作動片３２の裏面に続く係止基部３８ｂ1と、係止基
部３８ｂ1の先端（下端）に開閉部材４０とは反対側に向けてのびる係止外れ止め部３８
ｂ2が突設された、側面Ｌ字形である。
開閉部材固定部３８ａと開閉部材固定部３８ｂとは、第１の作動片３０及び第２の作動片３２の長手方向の中心Ｃを中心として、点対称に形成されている。【００３３】
開閉部材４０は、第１の作動片３０と第２の作動片３２との突き合わせ縁３０ａおよび突き合わせ縁３２ａが、谷折り状態（図１０図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の半割杆１２ａを固定する部位と半割杆１４ａを固定する部位とを結ぶ線（前後軸Ｘ1（図７図示））および第２の作動片３２の半割杆１２ｂを固定する
部位と半割杆１４ｂを固定する部位とを結ぶ線（前後軸Ｘ2（図７図示））と斜めに交差
する方向に架け渡されている。【００３４】
第１の作動片３０の開閉部材固定部３８ａと第２の作動片３２の開閉部材固定部３８ｂとは、突き合わせ縁３０ａ及び突き合わせ縁３２ａの長手方向における中央Ｃ（図７及び図９図示）を回転軸として点対称となるように形成され、開閉部材４０が突き合わせ縁３０ａ及び突き合わせ縁３２ａの長手方向における中央Ｃ（図７及び図９図示）より均一な長さによって固定先端部４２ａが開閉部材固定部３８ａに、固定先端部４２ｂが開閉部材固定部３８ｂに係止されて、均一な力が第１の作動片３０及び第２の作動片３２にかかるように構成されている。
第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴杆１２及び第２の綴杆１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態（中立状態）になったときにおいても、第１の作動片３０の最も外側の縁（外側端縁３０ｂ）と保持部材１６の第１の保持壁２４ａとの間及び第２の作動片３２の最も外側の縁（外側端縁３２ｂ）と保持部材１６の第２の保持壁２４ｂとの間に適宜な間隙が生じ、保持部材１６の保持空間内において作動部材１８の第１の作動片３０及び第２の作動片３２が円滑に移動できる。【００３５】
そして、１対の前記第１の作動片３０及び第２の作動片３２は、前記保持部材１６の長手方向において互いに逆方向に移動させることにより、前記半割杆の組み合わせによる前記第１の綴杆１２及び第２の綴杆１４が分離され、前記第１の綴杆１２及び第２の綴杆１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。【００３６】
そして、開閉部材４０の弾性により、作動部材１８を構成する第１の作動片３０及び第２の作動片３２は、第１の綴杆１２と第２の綴杆１４を手で開き始めたとき、すなわち、第１の綴杆１２と第２の綴杆１４のそれぞれの綴杆係止部５０を外したとき、伸びていた開閉部材４０の巻線部４４を更に伸ばす方向に作用させ、第１の綴杆１２の第１の半割杆１２ａと第２の半割杆１２ｂとが離れる方向（第１の半割杆１２ａはＯ1方向で、第２の
半割杆１２ｂはＯ2方向（図７図示））および第２の綴杆１４の第３の半割杆１４ａと第
４の半割杆１４ｂとが離れる方向（第３の半割杆１４ａはＯ1方向で、第４の半割杆１４
ｂはＯ2方向（図７図示））に移動し、第１の作動片３０と第２の作動片３２とをそれぞ
れ逆方向（第１の作動片３０はＯ1方向で、第２の作動片３２はＯ2方向（図７図示））に移動させるように作用する（図１１参照）。【００３７】
さらに、開閉部材４０は、第１の半割杆１２ａと第２の半割杆１２ｂとをおよび第３の半割杆１４ａと第４の半割杆１４ｂとを円周方向（図７図示の左右軸Ｙ1および左右軸Ｙ2方向）に引き離すように作用する。ねじられていた開閉部材４０は、図６（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴杆１２及び第２の綴杆１４の円周方向（第１の半割杆１２ａおよび第３の半割杆１４ａはＯ3方向、第２の半
割杆１２ｂおよび第４の半割杆１４ｂはＯ4方向（図７図示））に引き離すように作用す
る（図１４（Ａ）参照）。【００３８】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図７図示））に移動し、且つ、第２の作動片３２は、綴杆
係止部５０を閉じる位置の方向（Ｏ2とは反対の方向（図７図示））に移動する。（図１
４（Ｂ）及び１５参照）。
すなわち、第１の作動片３０及び第２の作動片３２は、谷折り状態から徐々に平面状態（中立状態）となり、更に平面状態（中立状態）から山折り状態に変わる。第１の綴杆１２及び第２の綴杆１４は、開く方向（第１の半割杆１２ａ及び第３の半割杆１４ａはＯ3
方向、第２の半割杆１２ｂ及び第４の半割杆１４ｂはＯ4方向）に回転して開く。
開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。【００３９】
保持部材１６の被綴じ物載置部２２には、被綴じ物載置部２２の長手方向に延びる膨出部２２ａが形成され、膨出部２２ａは、作動部材１８の係合部３０ｄ及び３２ｅが上側に向いて回転し且つ係合部３０ｅ及び３２ｄが上側に向いて回転するとともに、開閉部材４０が上側に向いて移動したときに、被綴じ物載置部２２の内面と当接しないようにするために、被綴じ物載置部２２の長手方向に延びて形成されている。
そして、前記保持部材１６は、作動部材１８に間隔をおいて設けられた第１の綴杆１２及び第２の綴杆１４の基部を結ぶ方向に近い方向にのびる保持壁２４及び被綴じ物載置部２２を有し、前記保持部材１６の保持壁２４及び被綴じ物載置部２２により、作動部材１８を保持部材１６の内側に保持するための保持部が形成され、前記作動部材１６及び開閉部材４０は、前記第１の綴杆１２及び第２の綴杆１４を開閉するとき、前記保持空間内において移動するように構成されている。【００４０】
前記保持部材１６は、前記したように、作動部材１８に間隔をおいて設けられた第１の綴杆１２と第２の綴杆１４との基部を結ぶ方向（図７図示Ｘ1及びＸ2方向）に近い方向にのびる、第１の保持壁２４ａと第２の保持壁２４ｂとからなる保持壁２４を有し、前記保持壁２４は、作動部材１８に間隔をおいて設けられた第１の綴杆１２と第２の綴杆１４の基部を結ぶ方向（図７図示Ｘ1及びＸ2方向）と交差する方向にのびて、保持壁２４の外側に向いて突出する第１の作動片３０の突出部３０ｃ1と突出部３０ｃ2及び第２の作動片３２の突出部３２ｃ1と突出部３２ｃ2を保持する保持部、すなわち第１の保持壁２４ａに形成された第１の保持部６０及び第１の保持部６２と、第２の保持壁２４ｂに形成された第２の保持部６４及び第２の保持部６６とを有している。
該第１の保持部６０及び第１の保持部６２は、前記保持壁２４の一部を作動部材１８の突出部３０ｃ1と突出部３０ｃ2より外側に打ち出された第１の保持部６０及び第１の保持部６２が、保持部材１６の内側に嵌装された作動部材１８の突出部３０ｃ1と突出部３０
ｃ2を保持するように、保持壁２４（第１の保持壁２４ａ）の内側に向けて凹まされてな
る。
また、第２の保持部６４及び第２の保持部６６は、前記保持壁２４の一部を作動部材１８の突出部３２ｃ1と突出部３２ｃ2より外側に打ち出された第２の保持部６４及び第２の保持部６６が、保持部材１６の内側に嵌装された作動部材１８の突出部３２ｃ1と突出部
３２ｃ2を保持するように、保持壁２４（第２の保持壁２４ｂ）の内側に向けて凹まされ
てなる。【００４１】
前記第１の保持部６０及び第１の保持部６２と第２の保持部６４及び第２の保持部６６は、前記作動部材１８の第１の作動片３０及び第２の作動片３２の下面に沿って、前記保持壁２４の下縁との間に間隔をおいて細い切り込み６８ａと切り込み７０ａ及び切り込み７２ａと切り込み７４ａが形成され、該切り込み６８ａと切り込み７０ａ及び切り込み７２ａと切り込み７４ａと保持壁２４の下縁との間における保持壁２４の外方に向けて打ち出された領域により、第１の保持部６０及び第１の保持部６２と第２の保持部６４及び第２の保持部６６が形成されている（図２２（Ａ）（Ｂ）参照）。
そして、第１の保持部６０及び第１の保持部６２と第２の保持部６４及び第２の保持部６６を構成する該領域が、保持部材１６の内側に嵌装された作動部材１８の突出部３０ｃ1と突出部３０ｃ2及び突出部３２ｃ1と突出部３２ｃ2の下面を保持するように内側に向けて打ち出され、保持壁２４の該切り込み６８ａと切り込み７０ａ及び切り込み７２ａと切り込み７４ａと保持壁２４の下縁との間の領域以外の領域より内側に向けて凹まされて、第１の保持部６０及び第１の保持部６２と第２の保持部６４及び第２の保持部６６が形成されている（図２３（Ａ）（Ｂ）参照）。【００４２】
第１の綴杆１２は、略円環状の綴杆となるように、半円弧状の第１の半割杆１２ａと第２の半割杆１２ｂとから構成され、第２の綴杆１４は、略円環状の綴杆となるように、半円弧状の第３の半割杆１４ａと第４の半割杆１４ｂとから構成されている。そして、用紙等の被綴じ物Ｓに予め穿設された綴じ孔に挿通して、用紙等の被綴じ物Ｓを綴じることができるように、第１の半割杆１２ａおよび第２の半割杆１２ｂと、第３の半割杆１４ａと第４の半割杆１４ｂの先端、すなわち第１の綴杆１２および第２の綴杆１４の頂部において、綴杆係止部５０が形成されている。【００４３】
前記綴杆を構成する第１の綴杆１２及び第２の綴杆１４は、断面円形状金属製線材を、綴杆係止部５０を外す方向（図7のＯ1及びＯ2の方向）にのばし、且つ中央部分を押さえ
ることによって綴杆を閉じる方向に対してわん曲させて形成されている。そして、第１の綴杆１２及び第２の綴杆１４は、中央が綴杆を開く方向（第１の半割杆１２ａ及び第３の半割杆１４ａは、図7のＯ3方向、第２の半割杆１２ｂ及び第４の半割杆１４ｂは、図7の
Ｏ4方向）に膨み且つ両端が綴杆を閉じる方向にわん曲した断面略空豆（ビーンズ）型の
形状に形成されている。
すなわち、環状の第１の綴杆１２及び第２の綴杆１４を開閉方向に見て、第１の綴杆１２及び第２の綴杆１４の内側は波状起伏面が形成され、第１の綴杆１２及び第２の綴杆１４の外側は半円弧状に形成されている。そして、第１の綴杆１２及び第２の綴杆１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆１２及び第２の綴杆１４は、細いならば綴杆係止部５０の嵌合がうまくゆかないときがある。
そのために、第１の綴杆１２及び第２の綴杆１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。【００４４】
この実施の形態においては、第１の綴杆１２を構成する第１の半割杆１２ａ及び第２の半割杆１２ｂと第２の綴杆１４を構成する第３の半割杆１４ａ及び第４の半割杆１４ｂとは、同じ形状、すなわち曲率（曲率半径）が同じものである。
第１の綴杆１２を構成する第１の半割杆１２ａ及び第２の半割杆１２ｂは、第１の半割杆１２ａの自由端の綴杆係止部５０と、第２の半割杆１２ｂの自由端の綴杆係止部５０とを係止することにより、環状に連結される。
また、第２の綴杆１４を構成する第３の半割杆１４ａと第４の半割杆１４ｂとは、第３の半割杆１４ａの自由端の綴杆係止部５０と、第４の半割杆１４ｂの自由端の綴杆係止部５０とを係止することにより、環状に連結される。【００４５】
第１の綴杆１２及び第２の綴杆１４は、それぞれの基部が第１の作動片３０及び第２の作動片３２に固着された部分（４箇所）を通る左右軸Ｙ1，Ｙ2および前後軸Ｘ1，Ｘ2（第７図図示）を含む平面Ｐxyと垂直な平面を構成するように、第１の作動片３０と第２の作動片３２より立設されている。そして、第１の綴杆１２の軸Ｚ1（図７図示）が構成する
円形面と第２の綴杆１４の軸Ｚ2（図７図示）が構成する円形面とは、平行で、且つ、第
１の綴杆１２と第２の綴杆１４が第１の作動片３０と第２の作動片３２と固着された部位を通る平面Ｐxyと垂直となるように構成されている。【００４６】
前記綴杆は、第１６図〜第２１図に示すように、直接指で閉じられる主綴杆たる第１の綴杆１２と、該第１の綴杆１２の閉じる方向に向けての作動に追動する副綴杆たる第２の綴杆１４とにより構成されている。
そして、第１の綴杆１２と第２の綴杆１４とは、同一方向（図11のＯ1及びＯ2方向）に向けて、その綴杆係止部５０を指で外すことができるように構成されている。
第１の綴杆１２を構成する第１の半割杆１２ａの先端に形成された綴杆係止部５０を構成する先端の凸部５２ａ及びその凸部５２ａに続く凹部５２ｂと、第２の半割杆１２ｂの綴杆係止部５０を構成する先端の凸部５４ａ及びその先端の凸部５４ａに続く凹部５４ｂとは、第１の綴杆１２を閉じたとき係合するように逆方向に向けて突き出しあるいは凹み形成されている。
凸部５２ａ及び凸部５４ａは、それぞれ先端から内側に向けて湾曲凸面を有する傾斜対向面５２ｃ及び湾曲凸面を有する傾斜対向面５４ｃと、傾斜対向面５２ｃ及び傾斜対向面５４ｃに続き、凸部５２ａ及び凸部５４ａの後端（基部側）から除々に先端側（すなわち閉じる方向）に入り込んだ傾斜対向面５２ｄ及び傾斜対向面５４ｄが形成され、後端近傍が鉤状で、全体として鉤鼻状に形成されている。
凹部５２ｂは、基部側から先端に向けて湾曲凹面を有する傾斜対向面を備え、凹部５４ｂは、同様に基部側から先端に向けて湾曲凹面を有する傾斜対向面を備えている。
また、第２の綴杆１４を構成する第３の半割杆１４ａの先端に形成された綴杆係止部５０を構成する凸部５６ａ及びその凸部５６ａに続く凹部５６ｂと、第４の半割杆１４ｂの綴杆係止部５０を構成する先端の凸部５８ａ及びその先端の凸部５８ａに続く凹部５８ｂとは、第２の綴杆１４を閉じたとき係合するように逆方向に向けて突き出しあるいは凹み形成されている。
凸部５６ａ及び凸部５８ａは、それぞれ先端から内側に向けて湾曲凸面を有する傾斜対向面５６ｃ及び湾曲凸面を有する傾斜対向面５８ｃと、傾斜対向面５６ｃ及び傾斜対向面５８ｃに続き、凸部５６ａ及び凸部５８ａの後端（基部側）から除々に先端側（すなわち閉じる方向）に入り込んだ傾斜対向面５６ｄ及び傾斜対向面５８ｄが形成され、後端近傍が鉤状で、全体として鉤鼻状に形成されている。
凹部５６ｂは、基部側から先端に向けて湾曲凹面を有する傾斜対向面を備え、凹部５８ｂは、同様に湾曲凹面を有する傾斜対向面を備えている。【００４７】
第１の半割杆１２ａの綴杆係止部５０を構成する凸部５２ａ及び第３の半割杆１４ａの綴杆係止部５０を構成する凸部５６ａは、同一方向に向けて突き出し設けられ、先端部から基部側にかけて形成された湾曲凸面を備え、両方が同一形状に形成されている。
また、第１の半割杆１２ａの綴杆係止部５０を構成する凹部５２ｂ及び第３の半割杆１４ａの綴杆係止部５０を構成する凹部５６ｂは、同一方向に向けて凹み形成され、凸部５４ａ及び凸部５６ａの後端から基部側にかけて形成された湾曲凹面を備え、両方が同一形状に形成されている。
第２の半割杆１２ｂの綴杆係止部５０を構成する凸部５４ａ及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆１２ｂの綴杆係止部５０を構成する凹部５４ｂ及び第４の半割杆１４ｂの綴杆係止部５０を構成する凹部５８ｂは、同一方向に向けて凹み形成され、凸部５４ａ及び凸部５８ａの後端から基部側にかけて形成された湾曲凹面を備え、両方が同一形状に形成されている。
第１の半割杆１２ａの凸部５２ａ及び凹部５２ｂと第２の半割杆１２ｂの凸部５４ａ及び凹部５４ｂとは点対称に形成され、第３の半割杆１４ａの凸部５６ａ及び凹部５６ｂと第４の半割杆１４ｂの凸部５８ａ及び凹部５８ｂとは点対称に形成されている。【００４８】
第１の綴杆１２の凸部５２ａの傾斜対向面５２ｃ及び凹部５４ｂの傾斜対向面は、第１の綴杆１２の軸方向とは斜交するように形成され、開閉するときには、傾斜対向面５２ｃと凹部５４ｂの傾斜対向面とが一点を共有し合う内接関係で接する。
第１の綴杆１２の凸部５２ａの傾斜対向面５２ｃ及び凸部５４ａの傾斜対向面５４ｃは、第１の綴杆１２の軸方向とは斜交するように形成され、開閉するときには、傾斜対向面５２ｃと傾斜対向面５４ｃとが一点を共有し合う外接関係で接する。
第２の綴杆１４の凸部５６ａの傾斜対向面５６ｃ及び凹部５８ｂの傾斜対向面は、第２の綴杆１４の軸方向とは斜交するように形成され、開閉するときには、傾斜対向面５６ｃと凹部５８ｂの傾斜対向面とが一点を共有し合う内接関係で接する。
第２の綴杆１４の凸部５６ａの傾斜対向面５６ｃ及び凸部５８ａの傾斜対向面５８ｃは、第２の綴杆１４の軸方向とは斜交するように形成され、開閉するときには傾斜対向面５６ｃと傾斜対向面５８ｃとが一点を共有し合う外接関係で接する。【００４９】
主綴杆たる第１の綴杆１２を２本の指で挟んで綴杆を閉じ始めるとき、第２の綴杆１４の第３の半割杆１４ａの凸部５６ａと第２の綴杆１４の第４の半割杆１４ｂの凹部５８ｂとが当接する前に（図１９参照）、第１の綴杆１２の第１の半割杆１２ａの凸部５２ａと第１の綴杆１２の第２の半割杆１２ｂの凸部５４ａとが当接し、更に第１の綴杆１２を閉じるように作動させると、第１の綴杆１２の第１の半割杆１２ａの凹部５２ｂが第２の半割杆１２ｂの凸部５４ａ上を摺動するとともに、第１の綴杆１２の第１の半割杆１２ａの凸部５２ａが第２の半割杆１２ｂの凹部５４ｂに嵌合される正規の係止位置を通り過ぎて、第１の半割杆１２ａの凸部５２ａが第２の半割杆１２ｂの凹部５４ｂの傾斜対向面上を摺動してずり上がる（図２０参照）。
このように、第１の綴杆１２を閉じる方向に作動させると、第２の綴杆１４の第３の半割杆１４ａの凸部５６ａと第２の綴杆１４の第４の半割杆１４ｂの凸部５８ａとが当接し、更に、第１の綴杆１２を閉じるように作動させると、第２の綴杆１４の第３の半割杆１４ａの凸部５６ａが第４の半割杆１４ｂの凸部５８ａの傾斜対向面５８ｃ上を摺動し（図１９参照）、更に第１の綴杆１２の第１の半割杆１２ａの凸部５２ａが第２の半割杆１２ｂの凹部５４ｂの傾斜対向面をずり上がると、第２の綴杆１４の第３の半割杆１４ａの凸部５６ａ（第４の半割杆１４ｂの凸部５８ａ）が第４の半割杆１４ｂの凹部５８ｂ（第３の半割杆１４ａの凹部５６ｂ）に嵌まり込み嵌合する（図２０参照）。
その後、第１の綴杆１２から指を離し閉じる力を解放すると、開閉部材４０の作用により第１の綴杆１２はわずかに開く方向に逆戻りして、第１の綴杆１２は、第２の綴杆１４と同様に、第１の半割杆１２ａの凸部５２ａ（第２の半割杆１２ｂの凸部５４ａ）が第２の半割杆１２ｂの凹部５４ｂ（第１の半割杆１２ａの凹部５２ｂ）に嵌まり込み嵌合する（図２１参照）。【００５０】
綴杆を閉じるとき、第１の作動片３０及び第２の作動片３２は、山折り状態（図１５参照）から徐々に平面状態（中立状態）となり、更に平面状態（中立状態）から谷折り状態（図１０参照）に変わるとともに、同列に並んだ状態から、一旦綴杆係止部５０の外れる方向（第１の作動片３０はＯ1方向、第２の作動片３２はＯ2方向）に移動して、たがいちがいに並んだ状態となり（図２０参照）、その後逆戻りして同列に並ぶ。
それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に当接し、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に当接する（図１１参照）。そのために、綴杆を閉じるとき、第１の綴杆１２の第１の半割杆１２ａの凸部５２ａが第２の半割杆１２ｂの凹部５４ｂに嵌合される正規の停止位置を通り過ぎて、第１の半割杆１２ａの凸部５２ａが第２の半割杆１２ｂの凹部５４ｂの傾斜対向面上を摺動してずり上がりオーバーランするとき、第１の綴杆１２の移動距離を規制して適宜な位置でオーバーランが停止され、第１の綴杆１２の綴杆係止部５０から指を外せば開閉部材４０の元の状態に戻ろうとする力が作用して、第１の作動片３０及び第２の作動片３２は、一旦綴杆係止部５０の外れる方向（第１の作動片３０はＯ1方向、第２の作動片３２はＯ2方向）に移動してたがいちがいに並んだ状態から、逆戻りして同列に並び、綴杆係止部５０が嵌合する（図９、１０、１９、２０及び２１参照）。【００５１】
このように、主綴杆たる第１の綴杆１２を閉じ始めると、直接指で閉じられない副綴杆たる第２の綴杆１４が閉じる方向に移動を始め、更に第１の綴杆１２が閉じて正規の係止位置を通り過ぎるまで移動すると、第２の綴杆１４の係合が進み第１の綴杆１２より先に第２の綴杆１４が完全に係止されるので、直接指で閉じられない副綴杆たる第２の綴杆１４が確実に係止された後、主綴杆たる第１の綴杆１２が確実に係止される。
したがって、第１の綴杆１２を指で摘んで先に閉じる方向に移動させたときに、オーバーランするように第１の綴杆１２を摘まめば、確実に第２の綴杆１４を正規の位置に係止でき、第１の綴杆１２の操作のみで、閉じることができる。
このように、第１の綴杆１２を指で操作することにより第２の綴杆１４を閉じることができるので、ワンタッチ綴具としての利便性が高い。【００５２】
また、第１の綴杆１２の頂部を指でねじることにより第１の綴杆１２の綴杆係止部５０を外したとき、第１の作動片３０と第２の作動片３２には、ねじられていた開閉部材４０が元の状態に戻ろうとする力、すなわち一方の固定先端部４２ａと他方の固定先端部４２ｂとが、図６（Ｂ）（Ｃ）矢印方向に示すように、巻線部４４の円周方向に回転して元の状態に戻ろうとするように力が働くことにより、第１の綴杆１２は開く。
そして、第１の綴杆１２及び第２の綴杆１４は、その綴杆係止部５０が外され（図１１参照）、第１の作動片３０及び第２の作動片３２は、谷折り状態から徐々に平面状態（中立状態）となり更に平面状態から山折り状態に変わるとともに、綴杆係止部５０の外れる方向（第１の作動片３０はＯ1方向、第２の作動片３２はＯ2方向）に移動する（図１４（Ａ）参照）。それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に突き当たり、且つ移動規制部を構成する第２の作動片３２の規制凸起３２ｇが第１の作動片３０の規制凹部３０ｆ内を移動して、規制凹部３０ｆにおける綴杆係止部２方向とは反対側の端縁に突き当たる（図１４（Ｂ）参照）。
第１の綴杆１２から手を離すと、第１の綴杆１２及び第２の綴杆１４は、開閉部材４０の一方の固定先端部４２ａと他方の固定先端部４２ｂとが、図６（Ｂ）（Ｃ）矢印方向に示すように、巻線部４４の円周方向に回転して元の状態に戻ろうとするように第１の作動片３０及び第２の作動片３２に力を働かせることにより、更に開き（第１の半割杆１２ａ及び第３の半割杆１４ａはＯ3方向、第２の半割杆１２ｂ及び第４の半割杆１４ｂはＯ4方向）、且つ、開閉部材４０の巻線部４４が縮むことにより開閉部材４０の固定先端部４２ａと他方の固定先端部４２ｂとを平面視反対方向に移動するように力が働くことにより、第１の作動片３０と第２の作動片３２とは、逆方向に移動する（図１４（Ａ）（Ｂ）参照）。
すなわち、作動部材１８及び開閉部材４０は、第２の綴杆１４を構成する第３の半割杆１４ａの凸部５６ａと第４の半割杆１４ｂの凸部５８ａとを開く方向に作用し、そして、第１の綴杆１２の第１の半割杆１２ａの凸部５２ａと第２の半割杆１２ｂの凸部５４ａとを引き離す方向に作用するとともに、第２の綴杆１４を構成する第３の半割杆１４ａの凸部５６ａと第４の半割杆１４ｂの凸部５８ａとを引き離すように作用する。【００５３】
このように、この実施の形態においては、第１の綴杆１２又は第２の綴杆１４の頂部を指でねじることにより、第１の綴杆１２の第１の半割杆１２ａおよび第２の半割杆１２ｂの綴杆係止部５０と、第２の綴杆１４の第３の半割杆１４ａおよび第４の半割杆１４ｂの綴杆係止部５０を外すことができる。【００５４】
また、第１の綴杆１２の第１の半割杆１２ａと第２の半割杆１２ｂの綴杆係止部５０および第２の綴杆１４の第３の半割杆１４ａと第４の半割杆１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。【００５５】
次に、作動部材１８を保持部材１６の保持空間内に装填する方法について、主として図２２及び図２３に基づいて説明する。
保持部材１６は、第１の作動片３０と第２の作動片３２を装填する前には、第１の保持壁２４ａの第１の保持部６０及び第１の保持部６２と第２の保持壁２４ｂの第２の保持部６４及び第２の保持部６６とが、第１の保持壁２４ａ及び第２の保持壁２４ｂの他の領域より外側に向けて膨出している（図２２（Ｂ）参照）。
すなわち、第１の保持壁２４ａは、第１の貫通孔２６の近傍において第１の保持部６０及び第１の保持部６２を形成するための第１の保持壁２４ａの下縁との間に間隔をおいて細い切り込み６８ａ及び切り込み７０ａが形成され、該切り込み６８ａ及び切り込み７０ａと第１の保持壁２４ａの下縁との間における領域が第１の保持壁２４ａより外側に向けて打ち出されて、第１の保持部６０及び第１の保持部６２が形成される（図２２（Ｂ）参照）。
また、第２の保持壁２４ｂは、第２の貫通孔２８の近傍において第２の保持部６４及び第２の保持部６６を形成するための第２の保持壁２４ｂの下縁との間に間隔をおいて細い切り込み７２ａ及び切り込み７４ａが形成され、該切り込み７２ａ及び切り込み７４ａと第２の保持壁２４ｂの下縁との間における領域が第２の保持壁２４ｂより外側に向けて打ち出されて、第２の保持部６４及び第２の保持部６６が形成される（図２２（Ａ）参照）。
作動部材１８を保持部材１６の保持空間内に装填するときは、まず、第１の作動片３０を保持部材１６内に装填し、次に、第２の作動片３２を保持部材１６内に装填する（図２３（Ａ）参照）。
このとき、第１の作動片３０の突出部３０ｃ1が第１の保持部６０の内側に、第１の作
動片３０の突出部３０ｃ2が第１の保持部６２の内側に位置し、第２の作動片３２の突出
部３２ｃ1が第２の保持部６４の内側に、第２の作動片３２の突出部３２ｃ2が第２の保持部６６の内側に位置する。
次に、第１の保持部６０、第１の保持部６２、第２の保持部６４及び第２の保持部６６を、第１の保持壁２４ａ及び第２の保持壁２４ｂの内側に向けて打ち込み、平面円弧状の第１の保持部６０、第１の保持部６２、第２の保持部６４及び第２の保持部６６を形成する（図２３（Ｂ）参照）。
而して、第１の保持部６０が突出部３０ｃ1の下面を、第１の保持部６２が突出部３０
ｃ2の下面を、第２の保持部６４が突出部３２ｃ1の下面を、第２の保持部６６が突出部３２ｃ2の下面をそれぞれ保持するように形成される。そして、突出部３０ｃ1は第１の貫通孔２６より外側に、突出部３０ｃ2は第２の貫通孔２８より外側に、突出部３２ｃ1は第１の貫通孔２６より外側に、突出部３２ｃ2は第２の貫通孔２８より外側に突き出る。【００５６】
次に、開閉部材４０を作動部材１８に装填する方法について、図４ないし６に基づいて説明する。
第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向にばねに荷重を加えて、巻線部４４（コイル）の中心軸まわりにねじりモーメントを受け、素線に曲げ応力を発生させるようにして、開閉部材４０を固定先端部４２ａが第１の作動片３０に、固定先端部４２ｂが第２の作動片３２に固定する。
この場合、開閉部材４０は、巻線部４４にねじりモーメントなどの負荷が加わっていない状態（図６（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図５及び図６（Ａ）図示））で、固定先端部４２ａ及び４２ｂが開閉部材固定部３８ａ及び開閉部材固定部３８ｂにそれぞれ固定する。
ばねに荷重を加える荷重の方向としては、巻線部４４（コイル）を巻き込む方向に向くように構成されている。【００５７】
前記実施の形態によれば、一対の作動片（第１の作動片３０及び第２の作動片３２）には、保持部材１６に形成された貫通孔（第１の貫通孔２６及び第２の貫通孔２８）に通される突出部（突出部３０ｃ1、突出部３０ｃ2、突出部３２ｃ1、及び突出部３２ｃ2）が形成されているので、作動片（第１の作動片３０及び第２の作動片３２）に綴杆（第１の綴杆１２、第２の綴杆１４）の基部を例えばカシメ止めをしても作動片（第１の作動片３０及び第２の作動片３２）にかかるストレスを少なくするために面積を大きくすることができる。そのために、作動片（第１の作動片３０及び第２の作動片３２）全体の強度を増すことができる。【００５８】
前記実施の形態の保持部とは異なり、図２４及び図２５において示すように、保持壁の下端縁より突き出し設けられた方形凸部を内側に向けて折り曲げて、第１の保持壁２４ａに第１の保持部１６０及び第１の保持部１６２が、第２の保持壁２４ｂに第２の保持部１６４及び第２の保持部１６６が形成され、作動部材１８の第１の作動片３０及び第２の作動片３２に形成された（第１の綴杆１２及び第２の綴杆１４が突出する方向とは反対側に向けて突設されている）突条２３０ｈ及び突条２３２ｈの下端縁を、第１の保持壁２４ａの第１の保持部１６０及び第１の保持部１６２、第２の保持壁２４ｂの第２の保持部１６４及び第２の保持部１６６により保持するように構成してもよい。
第１の作動片３０及び第２の作動片３２は、その長さ方向に、第１の保持壁２４ａの第１の保持部１６０と第１の保持部１６２及び第２の保持壁２４ｂの第２の保持部１６４と第２の保持部１６６の上面を摺動して移動することができる。【００５９】
前記実施の形態とは異なり、作動部材を、図２６及び図２７に示すように変更してもよい。
図２６及び図２７図示第１の作動片３０は、突き合わせ縁３０ａとは離れた位置で、間隔をおいて設けられた第１の綴杆１２の基部と第２の綴杆１４の基部とを結ぶ方向（図２６図示Ｘ1及びＸ2方向）に近い方向にのびる突条２３０ｈが形成されている。この実施の形態においては、第１の綴杆１２の基部と第２の綴杆１４の基部とを結ぶ方向と平行で第１の作動片３０の長さ方向にのびる。
前記突条２３０ｈは、間隔をおいて設けられた第１の綴杆１２の基部と第２の綴杆１４の基部の間で外側端縁３０ｂの突出部３０ｃ1と突出部３０ｃ2との間において、連続して、第１の綴杆１２及び第２の綴杆１４が突出する方向とは反対側に向けて突設されている。
前記突条２３０ｈは、第１の作動片３０を構成する平板状の金属製板体を断面Ｌ字形に折り曲げて形成されている。
また、図２６及び図２７図示第２の作動片３２は、突き合わせ縁３２ａとは離れた位置で、間隔をおいて設けられた第１の綴杆１２の基部と第２の綴杆１４の基部とを結ぶ方向（図２６図示Ｘ1及びＸ2方向）に近い方向にのびる突条２３２ｈが形成されている。この実施の形態においては、第１の綴杆１２の基部と第２の綴杆１４の基部とを結ぶ方向と平行で第２の作動片３２の長さ方向にのびる。
前記突条２３２ｈは、間隔をおいて設けられた第１の綴杆１２の基部と第２の綴杆１４の基部の間で外側端縁３２ｂの突出部３２ｃ1と突出部３２ｃ2との間において、連続して、第１の綴杆１２及び第２の綴杆１４が突出する方向とは反対側に向けて突設されている。
前記突条２３２ｈは、第２の作動片３２を構成する平板状の金属製板体を断面Ｌ字形に折り曲げて形成されている。
したがって、第１の作動片３０及び第２の作動片３２は、第１の綴杆１２の基部と第２の綴杆１４の基部間におけるしなりが、突条２３０ｈ及び突条２３２ｈにより防止される。【００６０】
図２６及び図２７図示第１の作動片３０は、基部で固定された第１の半割杆１２ａ及び第３の半割杆１４ａの基部の近傍に、第１の作動片３０を補強してしなりを少なくするために、ビード２３４ａ及びビード２３４ｂが上面に向けて突設されている。
図２６及び図２７図示第２の作動片３２は、基部で固定された第２の半割杆１２ｂ及び第４の半割杆１４ｂの基部の近傍に、第２の作動片３２を補強してしなりを少なくするために、ビード２３４ｃ及びビード２３４ｄが上面に向けて突設されている。【００６１】
ビード２３４ａは、第１の半割杆１２ａの基部と突出部３０ｃ1との間において第１の
作動片３０の長手方向にのびる第１直線部２３４ａ１と、突条２３０ｈの内側（第１の作動片３０の幅方向における略々中央において）で第１の半割杆１２ａの基部の近傍から第１の作動片３０の長手方向にのびる第２直線部２３４ａ2と、第１直線部２３４ａ１の内
側端と第２直線部２３４ａ２の外側端との間を結ぶ斜線部２３４ａ3とを備え、第１の作
動片３０の下面から上面に向けて一定幅を有する直線状凸部を突設してなる。
ビード２３４ｂは、第３の半割杆１４ａの基部と突出部３０ｃ2との間において第１の
作動片３０の長手方向にのびる第１直線部２３４ｂ１と、突条２３０ｈの内側（第１の作動片３０の幅方向における略々中央において）で第３の半割杆１４ａの基部の近傍から第１の作動片３０の長手方向にのびる第２直線部２３４ｂ2と、第１直線部２３４ｂ１の内
側端と第２直線部２３４ｂ２の外側端との間を結ぶ斜線部２３４ｂ3とを備え、第１の作
動片３０の下面から上面に向けて一定幅を有する直線状凸部を突設してなる。
ビード２３４ｃは、第２の半割杆１２ｂの基部と突出部３２ｃ1との間において第２の
作動片３２の長手方向にのびる第１直線部２３４ｃ１と、突条２３２ｈの内側（第２の作動片３２の幅方向における略々中央において）で第２の半割杆１２ｂの基部の近傍から第２の作動片３２の長手方向にのびる第２直線部２３４ｃ2と、第１直線部２３４ｃ1の内側端と第２直線部２３４ｃ2の外側端との間を結ぶ斜線部２３４ｃ3とを備え、第２の作動片３２の下面から上面に向けて一定幅を有する直線状凸部を突設してなる。
ビード２３４ｄは、第４の半割杆１４ｂの基部と突出部３２ｃ2との間において第２の
作動片３２の長手方向にのびる第１直線部２３４ｄ１と、突条２３２ｈの内側（第２の作動片３２の幅方向における略々中央において）で第３の半割杆１４ｂの基部の近傍から第２の作動片３２の長手方向にのびる第２直線部２３４ｄ2と、第１直線部２３４ｄ１の内
側端と第２直線部２３４ｄ２の外側端との間を結ぶ斜線部２３４ｄ3とを備え、第２の作
動片３２の下面から上面に向けて一定幅を有する直線状凸部を突設してなる。【００６２】
表紙は、第１の綴杆１２及び第２の綴杆１４に綴じられた用箋等の被綴じ物Ｓが多くなったとき、第１の綴杆１２及び第２の綴杆１４がたわむことを防止するために、次のような表紙３１０としてもよい。
表紙３１０は、前記綴具の保持部材を固定する背表紙３１６と、前記背表紙３１６の両端に、開閉自在に延設された表表紙３１２及び裏表紙３１４とを備え、図２８ないし３０に示すように、表表紙３１２と裏表紙３１４が背表紙３１６に対して立設状態となるように連設されている。
そして、表表紙３１２及び裏表紙３１４は、背表紙３１６寄りに開閉用の薄肉ヒンジ部３１８Ａ，３１８Ｂが設けられている。表表紙３１２及び裏表紙３１４と背表紙３１６との連設部の構成としては、プラスチック型表紙体に略Ｖ字溝からなる連設部３２０を形成してその溝底で折り曲げる構成を採用している。すなわち、図３０に示す通り、表表紙３１２及び裏表紙３１４と背表紙３１６との連設部３２０となる略Ｖ字溝を設け、この連設部３２０の溝底で折り曲げて背表紙３１６に対し表表紙３１２及び裏表紙３１４が立設状態に連設されるようにしたものである。連設部３２０を利用した場合、この連設部３２０の開き角度を変えることによって背表紙３１６の構造を変更することができる。【００６３】
表表紙３１２及び裏表紙３１４の開閉を可能にする薄肉ヒンジ部３１８Ａ，３１８Ｂは、断面略Ｖ字溝であり、連設部３２０から若干小口寄りの位置において表表紙３１２及び裏表紙３１４に設けられる。【００６４】
このような表紙３１０を熱可塑性樹脂製シート材からなる表紙体を用いて成形する一例たる製造としては、例えば熱可塑性樹脂のシート材からなる表紙体に互いに平行な２本の略Ｖ字溝からなる連設部３２０を形成し、この連設部３２０のやや内側寄りの位置において互いに平行な略Ｖ字溝からなる連設部３２０をヒートプレス成形すると同時に表紙体に略Ｖ字溝からなる連設部３２０を閉塞する方向の加圧力を加えて互いの溝底を折り曲げるようにしている。熱可塑性樹脂製のシート材単体以外に、熱可塑性樹脂製シート材と表装材との２層構造も利用し得る。また、この２層構造において、厚紙とクロスの２層構造とすれば、略Ｖ字溝からなる連設部３２０の溝壁同志を接着剤で接着する構成も採用し得る。【００６５】
前記表表紙３１２及び／又は裏表紙３１４は、前記閉じられた第１の綴杆１２及び第２の綴杆１４と対向する領域に、綴具１０の一部分を挿入して第１の綴杆１２及び第２の綴杆１４の移動を規制する綴杆固定手段３２２，３２４が設けられている。
綴杆固定手段３２２，３２４は、第１の綴杆１２及び第２の綴杆１４の移動側の側面と対向するように、第１の綴杆１２及び第２の綴杆１４が嵌挿又は緩挿される貫通孔又は段差によって構成されている。
この綴杆固定手段３２２，３２４は、第１の綴杆１２及び第２の綴杆１４の回転方向に伸びる長孔であり、長孔は、第１の綴杆１２及び第２の綴杆１４の嵌挿又は緩挿される部位の長さ及び幅に対応した長さ及び幅を有する上下一対の直線状孔縁と、該直線状孔縁の両左端及び両右端の間に連設された円弧状孔縁とを有する長孔によって形成されている。【００６６】
閉じた第１の綴杆１２及び第２の綴杆１４の幅は、表紙３１０の背表紙３１６の背幅及び平行に対向した表表紙３１２と裏表紙３１４との間の幅よりも広く形成されている。
第１の綴杆１２及び第２の綴杆１４は、第１の作動片３０及び第２の作動片３２に取り付けられた基部よりやや上部から綴杆係止部５０のやや外側に至るまで、略平行に閉じられた表表紙３１２と裏表紙３１４に形成された綴杆固定手段３２２，３２４を構成する長孔の中に嵌挿される。長孔の上下一対の直線状孔縁は、第１の綴杆１２及び第２の綴杆１４の上下側面に当接し、円弧状孔縁は、第１の綴杆１２及び第２の綴杆１４の左右の円周面に当接する。【００６７】
そして、ファイル・バインダ３００の表表紙３１２と裏表紙３１４とを平行に閉じた状態で第１の綴杆１２を天側とし第２の綴杆１４を地側にしてファイル・バインダ３００を立てたとき、第１の綴杆１２の第１の半割杆１２ａ及び第２の綴杆１４の第３の半割杆１４ａ側に綴じられた用箋等の被綴じ物Ｐが偏っているときに衝撃が加わったりして、第１の綴杆１２の第１の半割杆１２ａ及び第２の綴杆１４の第３の半割杆１４ａが第１の綴杆１２の第２の半割杆１２ｂ及び第２の綴杆１４の第４の半割杆１４ｂと外れる下向きに移動したとしても、第１の綴杆１２及び第２の綴杆１４の移動が綴杆固定手段３２４で規制され、綴杆固定手段３２４の下側の孔縁に係止されて、第１の綴杆１２の第１の半割杆１２ａと第１の綴杆１２の第２の半割杆１２ｂ及び第２の綴杆１４の第３の半割杆１４ａと第２の綴杆１４の第４の半割杆１４ｂとが綴杆係止部５０で外れることがない。【００６８】
綴具１０を表紙Ａに取り付けるには、第１の保持壁２４ａおよび第２の保持壁２４ｂの下端縁を接合して取付孔２０，２０にボルトナットや鋲により取り付ければよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。
綴杆の数に対応して、保持部材及び作動部材の長さがのびるとともに保持部材の第１の貫通孔及び第２の貫通孔の間に１または複数の第１の貫通孔及び第２の貫通孔と同様な貫通孔を形成し、作動部材に固定された綴杆を貫挿できるようにすればよい。
また、綴杆の形状は、略Ｏの字型ではなく、図３１において示すように、略Ｄの字型にしてもよい。略Ｄの字型の第１の綴杆４１２及び第２の綴杆４１４を形成するには、第２の半割杆４１２ｂ及び第４の半割杆４１４ｂは、前記実施の形態と比較的近い略Ｃの字型に形成し、第１の半割杆４１２ａ及び第３の半割杆４１４ａは略倒Ｌ字型に形成し、第１の半割杆４１２ａと第２の半割杆４１２ｂ及び第３の半割杆４１４ａと第４の半割杆４１４ｂとを閉じたとき、略Ｄの字型となるように形成する。【００６９】
開閉部材は、前記実施の形態の綴具においては、一対の作動片に対応して、１個が装填されていたが、合計２個の開閉部材を装填してもよい。
また、作動部材を構成する第１の作動片及び第２の作動片は、それぞれ一体成形されていたが、綴杆の数が増加（４穴、２０穴、２６穴、３０穴など）するに従って、第１の作動片及び第２の作動片をそれぞれ分割してもよい。【００７０】
次に、本発明にかかる別の実施の形態である４穴真円型リング綴具について、図３２ないし図３３に基づいて説明する。
この実施の形態の綴具５１０は、前記実施の形態の綴具１０と略同様の構成であるが、主として、綴杆の数が増加したことに伴う、保持部材の構成、作動部材の構成および開閉部材の構成が異なるので、それらを中心に以下説明する。【００７１】
綴具５１０は、一対のそれぞれ略円環状の金属製の第１の綴杆５１２、第２の綴杆５１３、第３の綴杆５１４および第４の綴杆５１５と、前記第１の綴杆５１２および第４の綴杆５１５をそれぞれ間隔をおいて設けることができる長さを備えた保持部材５１６と、その表面に第１の綴杆５１２および第４の綴杆５１５が間隔をおいてそれぞれの基部が固定され、第１の綴杆５１２第２の綴杆５１３、第３の綴杆５１４および第４の綴杆５１５が前記保持部材５１６に固定されるように保持部材５１６の内側に可動自在に固定された作動部材５１８とを備える。【００７２】
綴杆は、４穴タイプのために、第１の綴杆５１２、第２の綴杆５１３、第３の綴杆５１４および第４の綴杆５１５の４個の綴杆からなる。第１の綴杆５１２は、第１の半割杆５１２ａおよび第２の半割杆５１２ｂを備え、第２の綴杆５１３は、第３の半割杆５１３ａおよび第４の半割杆５１３ｂを備え、第３の綴杆５１４は、第５の半割杆５１４ａおよび第６の半割杆５１４ｂを備え、第４の綴杆５１５は、第７の半割杆５１５ａおよび第８の半割杆５１５ｂを備える。
そして、用紙等の被綴じ物Ｓに予め穿設された綴じ孔に挿通して、用紙等の被綴じ物Ｓを綴じることができるように、第１の半割杆５１２ａおよび第２の半割杆５１２ｂの先端と、第３の半割杆５１３ａおよび第４の半割杆５１３ｂの先端と、第５の半割杆５１４ａおよび第６の半割杆５１４ｂの先端と、第７の半割杆５１５ａおよび第８の半割杆５１５ｂの先端とにおいて、すなわち第１の綴杆５１２、第２の綴杆５１３、第３の綴杆５１４および第４の綴杆５１５の頂部において、綴杆係止部５５０が形成されている。
第１の綴杆５１２を構成する第１の半割杆５１２ａと第２の半割杆５１２ｂとは、第１の半割杆５１２ａの綴杆係止部５５０と、第２の半割杆５１２ｂの綴杆係止部５５０とを係止することにより、環状に係合される。
また、第３の綴杆５１４を構成する第５の半割杆５１４ａと第６の半割杆５１４ｂとは、第５の半割杆５１４ａの綴杆係止部５５０と第６の半割杆５１４ｂの綴杆係止部５５０とを係止することにより、環状に係合される。【００７３】
保持部材５１６は、第１の綴杆５１２、第２の綴杆５１３、第３の綴杆５１４および第４の綴杆５１５を所定の間隔をおいて設けることができる長さを備える平面略長方形で、その両端、すなわち表紙Ａに取り付ける取付孔５２０近傍においては、平面略半円弧状に形成されている。
保持部材５１６は、被綴じ物載置部５２２の内側には保持空間を備え、その空間に作動部材５１８等を収容するように構成されている。
保持部材５１６の被綴じ物載置部５２２の両端には、その長手方向に略々その一端から他端に亘って、作動部材５１８を摺動自在に保持する保持壁５２４が設けられている。この実施の形態においては、保持部材５１６の長手方向において、第１の綴杆５１２、第２の綴杆５１３、第３の綴杆５１４および第４の綴杆５１５のそれぞれの外側近傍より内部に亘って略全体において垂下されるように、第１の保持壁５２４ａおよび第２の保持壁５２４ｂが連設され、第１の保持壁５２４ａと第２の保持壁５２４ｂとは平行で略同一の形状の板状である。そして、この第１の保持壁５２４ａおよび第２の保持壁５２４ｂと被綴じ物載置部５２２によって囲繞された保持空間内に、後に詳しく説明する作動部材５１８等が収容される。【００７４】
保持部材５１６の被綴じ物載置部５２２には、第１の綴杆５１２と第２の綴杆５１３とを、一定の間隔（日本工業規格等で決められている一定の長さ）をおいて遊貫するための、第１の貫通孔５２６と第２の貫通孔５２７がそれぞれ穿設されるとともに、第３の綴杆５１４と第４の綴杆５１５とを、一定の間隔（日本工業規格等で決められている一定の長さ）をおいて遊貫するための、第３の貫通孔５２８及び第４の貫通孔５２９がそれぞれ穿設されている。
第１の貫通孔５２６及び第２の貫通孔５２７と第３の貫通孔５２８及び第４の貫通孔５２９とは、それぞれの綴杆を構成する半割杆に対応して、保持部材５１６の幅方向において左右に分かれて一定の間隔をおいて、２つずつ穿設されている。【００７５】
作動部材５１８を構成する作動片は、前記実施の形態の綴具の作動片とは異なり長く形成された、左右一対の作動片５３０及び作動片５３２を有する。
第１の作動片５３０は、前記第１の半割杆５１２ａ、第３の半割杆５１３ａ、第５の半割杆５１４ａ及び第７の半割杆５１５ａの基部が固定されている。
第２の作動片５３２は、第２の半割杆５１２ｂ、第４の半割杆５１３ｂ、第６の半割杆５１４ｂ及び第８の半割杆５１５ｂの基部が固定されている。【００７６】
第１の作動片５３０及び第２の作動片５３２は、開閉部材収容部５３６Ａと開閉部材収容部５３６Ｂが形成され、且つ開閉部材収容部５３６Ａの表面（下面）に形成された二対の開閉部材固定部５３８ａ1と開閉部材固定部５３８ａ2及び開閉部材収容部５３６Ｂの表面（下面）に形成された開閉部材固定部５３８ｂ1と開閉部材固定部５３８ｂ2の外側近傍において、第１の作動片５３０及び第２の作動片５３２の長手方向への移動を規制する移動規制部が、２つ形成されている。
そして、開閉部材５４０は、開閉部材収容部５３６Ａの中に装填され、第１の作動片５３０の開閉部材固定部５３８ａ1と第２の作動片５３２の開閉部材固定部５３８ｂ1とに跨って突き合わせ縁５３０ａ及び突き合わせ縁５３２ａと斜交するように固定され、開閉部材５４２は、開閉部材収容部５３６Ｂの中に装填され、第１の作動片５３０の開閉部材固定部５３８ａ2と第２の作動片５３２の開閉部材固定部５３８ｂ2とに跨って突き合わせ縁５３０ａ及び突き合わせ縁５３２ａと斜交するように固定される。
開閉部材５４０の固定先端部５４０ａは第１の作動片５３０の開閉部材固定部５３８ａ1に、固定先端部５４０ｂは第２の作動片５３２の開閉部材固定部５３８ｂ1にそれぞれ固定され、開閉部材５４２の固定先端部５４２ａは第１の作動片５３０の開閉部材固定部５３８ａ2に、固定先端部５４２ｂは第２の作動片５３２の開閉部材固定部５３８ｂ2にそれぞれ固定される。【００７７】
前記第１の作動片５３０は、前記突き合わせ縁５３０ａとは離れた位置で、間隔をおいて設けられた第１の綴杆５１２の基部と第５の綴杆５１５の基部とを結ぶ方向（図３４図示Ｘ1及びＸ2方向）に近い方向にのびる突条５３０ｈが形成されている。この実施の形態においては、第１の綴杆５１２の基部と第５の綴杆５１５の基部とを結ぶ方向と平行で第１の作動片５３０の長さ方向にのびる。
前記突条５３０ｈは、間隔をおいて設けられた第１の綴杆５１２の基部と第５の綴杆５１５の基部の間で、外側端縁５３０ｂにおいて、突出部５３０ｃ3の近傍を除いて連続し
て、第１の綴杆５１２及び第５の綴杆５１５が突出する方向とは反対側に向けて突設されている。
前記突条５３０ｈは、第１の作動片５３０を構成する平板状の金属製板体を断面Ｌ字形に折り曲げて形成されている。
また、前記第２の作動片５３２は、前記突き合わせ縁５３２ａとは離れた位置で、間隔をおいて設けられた第１の綴杆５１２の基部と第５の綴杆５１５の基部とを結ぶ方向（図３４図示Ｘ1及びＸ2方向）に近い方向にのびる突条５３２ｈが形成されている。この実施の形態においては、第１の綴杆５１２の基部と第５の綴杆５１５の基部とを結ぶ方向と平行で第２の作動片５３２の長さ方向にのびる。
前記突条５３２ｈは、間隔をおいて設けられた第１の綴杆５１２の基部と第５の綴杆５１５の基部の間で、外側端縁５３２ｂにおいて、突出部５３０ｃ3の近傍を除いて連続し
て、第１の綴杆５１２及び第５の綴杆５１５が突出する方向とは反対側に向けて突設されている。
前記突条５３２ｈは、第２の作動片５３２を構成する平板状の金属製板体を断面Ｌ字形に折り曲げて形成されている。
したがって、第１の作動片５３０及び第２の作動片５３２は、第１の綴杆５１２の基部と第５の綴杆５１５の基部間におけるしなりが、突条５３０ｈ及び突条５３２ｈにより防止される。【００７８】
第１の作動片５３０は、基部で固定された第１の半割杆５１２ａ及び第７の半割杆５１５ａの基部の近傍と中央の突出部５３０ｃ3の近傍とに、第１の作動片５３０を補強して
しなりを少なくするために、ビード５３４ａ、ビード５３４ｂ及びビード５３４ｅが上面に向けて突設されている。
第２の作動片５３２は、基部で固定された第２の半割杆５１２ｂ及び第８の半割杆５１５ｂの基部の近傍と中央の突出部５３２ｃ3の近傍とに、第２の作動片５３２を補強して
しなりを少なくするために、ビード５３４ｃ、ビード５３４ｄ及びビード５３４ｆが上面に向けて突設されている。【００７９】
ビード５３４ａは、第１の半割杆５１２ａの基部と突出部５３０ｃ1との間において第
１の作動片５３０の長手方向にのびる第１直線部５３４ａ１と、突条５３０ｈの内側（第１の作動片５３０の幅方向における略々中央において）で第１の半割杆５１２ａの基部の近傍から第１の作動片５３０の長手方向にのびる第２直線部５３４ａ2と、第１直線部５
３４ａ１の内側端と第２直線部５３４ａ２の外側端との間を結ぶ斜線部５３４ａ3とを備
え、第１の作動片５３０の下面から上面に向けて一定幅を有する直線状凸部を突設してなる。
ビード５３４ｂは、第７の半割杆５１５ａの基部と突出部５３０ｃ2との間において第
１の作動片５３０の長手方向にのびる第１直線部５３４ｂ１と、突条５３０ｈの内側（第１の作動片５３０の幅方向における略々中央において）で第３の半割杆５１４ａの基部の近傍から第１の作動片５３０の長手方向にのびる第２直線部５３４ｂ2と、第１直線部５
３４ｂ１の内側端と第２直線部５３４ｂ２の外側端との間を結ぶ斜線部５３４ｂ3とを備
え、第１の作動片５３０の下面から上面に向けて一定幅を有する直線状凸部を突設してなる。
ビード５３４ｃは、第２の半割杆５１２ｂの基部と突出部５３２ｃ1との間において第
２の作動片５３２の長手方向にのびる第１直線部５３４ｃ１と、突条５３２ｈの内側（第２の作動片５３２の幅方向における略々中央において）で第２の半割杆５１２ｂの基部の近傍から第２の作動片５３２の長手方向にのびる第２直線部５３４ｃ2と、第１直線部５
３４ｃ1の内側端と第２直線部５３４ｃ2の外側端との間を結ぶ斜線部５３４ｃ3とを備え
、第２の作動片５３２の下面から上面に向けて一定幅を有する直線状凸部を突設してなる。
ビード５３４ｄは、第８の半割杆５１５ｂの基部と突出部５３２ｃ2との間において第
２の作動片５３２の長手方向にのびる第１直線部５３４ｄ１と、突条５３２ｈの内側（第２作動片５３２の幅方向における略々中央において）で第３の半割杆５１４ｂの基部の近傍から第２の作動片５３２の長手方向にのびる第２直線部５３４ｄ2と、第１直線部５３
４ｄ１の内側端と第２直線部５３４ｄ２の外側端との間を結ぶ斜線部５３４ｄ3とを備え
、第２の作動片５３２の下面から上面に向けて一定幅を有する直線状凸部を突設してなる。
ビード５３４ｅは、直線状であり、突出部５３０ｃ3の近傍において、上下に分断され
た突条５３０ｈと突条５３０ｈとの間に跨って形成されている。
ビード５３４ｆは、直線状であり、突出部５３２ｃ3の近傍において、上下に分断され
た突条５３２ｈと５３２ｈとの間に跨って形成されている。【００８０】
開閉部材は、前記実施の形態の綴具においては、一対の作動片に対応して、１個が装填されていたが、この実施の形態の綴具においては、一対の作動片５３０及び作動片５３２の長さに対応して、上下に１個ずつ、合計２個の開閉部材５４０及び開閉部材５４２が装填されている。【００８１】
突出部５３０ｃ1は第１保持部５６０により、突出部５３０ｃ2は第１保持部５６２により、突出部５３２ｃ1は第２保持部５６４により、突出部５３２ｃ2は第２保持部５６６により、それぞれ保持される。
また、突出部５３０ｃ3は第３保持部５６１により、突出部５３２ｃ3は第３保持部５６５により、それぞれ保持される。【００８２】
次に、本発明にかかる別の実施の形態である３穴真円型リング綴具について、図３７ないし図４１に基づいて説明する。
この実施の形態の綴具６１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。【００８３】
綴具６１０は、一対のそれぞれ略円環状の金属製の第１の綴杆６１２、第２の綴杆６１３及び第３の綴杆６１４と、前記第１の綴杆６１２ないし第３の綴杆６１４をそれぞれ間隔をおいて設けることができる長さを備えた保持部材６１６と、その表面に第１の綴杆６１２ないし第３の綴杆６１４が間隔をおいてそれぞれの基部が固定され、第１の綴杆６１２、第２の綴杆６１３及び第３の綴杆６１４が前記保持部材６１６に固定されるように保持部材６１６の内側に可動自在に固定された作動部材６１８とを備える。【００８４】
綴杆は、３穴タイプのために、第１の綴杆６１２、第２の綴杆６１３及び第３の綴杆６１４の３個の綴杆からなる。第１の綴杆６１２は、第１の半割杆６１２ａおよび第２の半割杆６１２ｂを備え、第２の綴杆６１３は、第３の半割杆６１３ａおよび第４の半割杆６１３ｂを備え、第３の綴杆６１４は、第５の半割杆６１４ａおよび第６の半割杆６１４ｂを備える。
そして、用紙等の被綴じ物Ｓに予め穿設された綴じ孔に挿通して、用紙等の被綴じ物Ｓを綴じることができるように、第１の半割杆６１２ａおよび第２の半割杆６１２ｂの先端と、第３の半割杆６１３ａおよび第４の半割杆６１３ｂの先端と、第５の半割杆６１４ａと第６の半割杆６１４ｂの先端とにおいて、すなわち第１の綴杆６１２、第２の綴杆６１３および第３の綴杆６１４の頂部において、綴杆係止部６５０が形成されている。【００８５】
前記綴杆を構成する第１の綴杆６１２、第２の綴杆６１３及び第３の綴杆６１４は、断面円形状金属製線材を、綴杆係止部６５０を外す方向（図３８のＯ1及びＯ2の方向）にのばし、且つ中央部分を押さえることによって綴杆を閉じる方向に対してわん曲させて形成されている。そして、第１の綴杆６１２、第２の綴杆６１３及び第３の綴杆６１４は、中央が綴杆を開く方向（第１の半割杆６１２ａ、第３の半割杆６１３ａ及び第５の半割杆６１４ａは、図３８のＯ3方向、第２の半割杆６１２ｂ、第４の半割杆６１３ｂ、第６の半
割杆６１４ｂは、図３８のＯ4方向）に膨み且つ両端が綴杆を閉じる方向にわん曲した断
面略空豆（ビーンズ）型の形状に形成されている。
すなわち、環状の第１の綴杆６１２、第２の綴杆６１３及び第３の綴杆６１４を開閉方向に見て、第１の綴杆６１２、第２の綴杆６１３及び第３の綴杆６１４の内側は波状起伏面が形成され、第１の綴杆６１２、第２の綴杆６１３及び第３の綴杆６１４の外側は半円弧状に形成されている。そして、第１の綴杆６１２、第２の綴杆６１３及び第３の綴杆６１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙等の被綴じ物Ｓにあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆６１２、第２の綴杆６１３及び第３の綴杆６１４は、細いならば綴杆係止部６５０の嵌合がうまくゆかないときがある。
そのために、第１の綴杆６１２、第２の綴杆６１３及び第３の綴杆６１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部６５０を外す方向に広げて、綴杆係止部６５０の嵌合を完全にできるように形成している。【００８６】
保持部材６１６は、第１の綴杆６１２、第２の綴杆６１３及び第３の綴杆６１４を所定の間隔をおいて設けることができる長さを備える平面略長方形で、その両端、すなわち表紙Ａに取り付ける取付孔６２０近傍においては、平面略半円弧状に形成されている。
保持部材６１６は、被綴じ物載置部６２２の内側には保持空間を備え、その空間に作動部材６１８等を収容するように構成されている。
保持部材６１６の被綴じ物載置部６２２の両端には、その長手方向に略々その一端から他端に亘って、作動部材６１８を摺動自在に保持する保持壁６２４が設けられている。この実施の形態においては、保持部材６１６の長手方向において、第１の綴杆６１２、第２の綴杆６１３及び第３の綴杆６１４のそれぞれの外側近傍より内部に亘って略全体において垂下されるように、第１の保持壁６２４ａおよび第２の保持壁６２４ｂが連設され、第１の保持壁６２４ａと第２の保持壁６２４ｂとは平行で略同一の形状の板状である。そして、この第１の保持壁６２４ａおよび第２の保持壁６２４ｂと被綴じ物載置部６２２によって囲繞された保持空間内に、後に詳しく説明する作動部材６１８等が収容される。【００８７】
保持部材６１６の被綴じ物載置部６２２には、第１の綴杆６１２と第２の綴杆６１３とに、第３の綴杆６１４とを、一定の間隔（日本工業規格等で決められている一定の長さ）をおいて遊貫するための、第１の貫通孔６２６、第２の貫通孔６２７及び第３の貫通孔６２８がそれぞれ穿設されている。
第１の貫通孔６２６と第２の貫通孔６２７と第３の貫通孔６２８とは、それぞれの綴杆を構成する半割杆に対応して、保持部材６１６の幅方向において左右に分かれて一定の間隔をおいて、２つずつ穿設されている。【００８８】
作動部材６１８を構成する作動片は、前記実施の形態の綴具１０の作動片と同様に、左右一対の作動片を有する。
前記第１の半割杆６１２ａ、第３の半割杆６１３ａ及び第５の半割杆６１４ａの基部が固定された第１の作動片６３０と第２の半割杆６１２ｂ、第４の半割杆６１３ｂ及び第６の半割杆６１４ｂの基部が固定された第２の作動片６３２とは、前記実施の形態の第１の作動片５３０および第２の作動片５３２と略同一に形成されている。【００８９】
第１の作動片６３０及び第２の作動片６３２は、二対の開閉部材収容部６３６Ａと開閉部材収容部６３６Ｂが形成され、且つ開閉部材収容部６３６Ａの表面（下面）に形成された二対の開閉部材固定部６３８ａ1と開閉部材固定部６３８ａ2及び開閉部材収容部６３６Ｂの表面（下面）に形成された開閉部材固定部６３８ｂ1と開閉部材固定部６３８ｂ2の外側近傍において、第１の作動片６３０及び第２の作動片６３２の長手方向への移動を規制する移動規制部が、２つ形成されている。
そして、開閉部材６４０は、開閉部材収容部６３６Ａの中に装填され、第１の作動片６３０の開閉部材固定部６３８ａ1と第２の作動片６３２の開閉部材固定部６３８ｂ1とに跨って突き合わせ縁６３０ａ及び突き合わせ縁６３２ａと斜めに交差するように架け渡され、すなわち斜交するように固定され、開閉部材６４２は、開閉部材収容部６３６Ｂの中に装填され、第１の作動片６３０の開閉部材固定部６３８ａ2と第２の作動片６３２の開閉
部材固定部６３８ｂ2とに跨って突き合わせ縁６３０ａ及び突き合わせ縁６３２ａと斜め
に交差するように架け渡され、すなわち斜交するように固定される。
開閉部材６４０の固定先端部６４０ａは第１の作動片６３０の開閉部材固定部６３８ａ1に、固定先端部６４０ｂは第２の作動片６３２の開閉部材固定部６３８ｂ1にそれぞれ固定され、開閉部材６４２の固定先端部６４２ａは第１の作動片６３０の開閉部材固定部６３８ａ2に、固定先端部６４２ｂは第２の作動片６３２の開閉部材固定部６３８ｂ2にそれぞれ固定される。【００９０】
前記第１の作動片６３０は、前記突き合わせ縁６３０ａとは離れた位置で、間隔をおいて設けられた第１の綴杆６１２の基部と第３の綴杆６１４の基部とを結ぶ方向（図３９図示Ｘ1及びＸ2方向）に近い方向にのびる突条６３０ｈが形成されている。この実施の形態においては、第１の綴杆６１２の基部と第３の綴杆６１４の基部とを結ぶ方向と平行で第１の作動片６３０の長さ方向にのびる。
前記突条６３０ｈは、間隔をおいて設けられた第１の綴杆６１２の基部と第３の綴杆６１４の基部の間で、外側端縁６３０ｂにおいて、突出部６３０ｃ3の近傍を除いて連続し
て、第１の綴杆６１２及び第３の綴杆６１４が突出する方向とは反対側に向けて突設されている。
前記突条６３０ｈは、第１の作動片６３０を構成する平板状の金属製板体を断面Ｌ字形に折り曲げて形成されている。
また、前記第２の作動片６３２は、前記突き合わせ縁６３２ａとは離れた位置で、間隔をおいて設けられた第１の綴杆６１２の基部と第３の綴杆６１４の基部とを結ぶ方向（図３９図示Ｘ1及びＸ2方向）に近い方向にのびる突条６３２ｈが形成されている。この実施の形態においては、第１の綴杆６１２の基部と第３の綴杆６１４の基部とを結ぶ方向と平行で第２の作動片６３２の長さ方向にのびる。
前記突条６３２ｈは、間隔をおいて設けられた第１の綴杆６１２の基部と第３の綴杆６１４の基部の間で、外側端縁６３２ｂにおいて、突出部６３２ｃ3の近傍を除いて連続し
て、第１の綴杆６１２及び第３の綴杆６１４が突出する方向とは反対側に向けて突設されている。
前記突条６３２ｈは、第２の作動片６３２を構成する平板状の金属製板体を断面Ｌ字形に折り曲げて形成されている。
したがって、第１の作動片６３０及び第２の作動片６３２は、第１の綴杆６１２の基部と第３の綴杆６１４の基部間におけるしなりが、突条６３０ｈ及び突条６３２ｈにより防止される。【００９１】
第１の作動片６３０は、基部で固定された第１の半割杆６１２ａ、第３の半割杆６１３ａ及び第５の半割杆６１４ａの基部の近傍に、第１の作動片６３０を補強してしなりを少なくするために、ビード６３４ａ、ビード６３４ｂ及びビード６３４ｅが上面に向けて突設されている。
第２の作動片６３２は、基部で固定された第２の半割杆６１２ｂ、第４の半割杆６１３ｂ及び第６の半割杆６１４ｂの基部の近傍に、第２の作動片６３２を補強してしなりを少なくするために、ビード６３４ｃ、ビード６３４ｄ及びビード６３４ｆが上面に向けて突設されている。【００９２】
ビード６３４ａは、第１の半割杆６１２ａの基部と突出部６３０ｃ1との間において第
１の作動片６３０の長手方向にのびる第１直線部６３４ａ１と、突条６３０ｈの内側（第１の作動片６３０の幅方向における略々中央において）で第１の半割杆６１２ａの基部の近傍から第１の作動片６３０の長手方向にのびる第２直線部６３４ａ2と、第１直線部６
３４ａ１の内側端と第２直線部６３４ａ２の外側端との間を結ぶ斜線部６３４ａ3とを備
え、第１の作動片６３０の下面から上面に向けて一定幅を有する直線状凸部を突設してなる。
ビード６３４ｂは、第５の半割杆６１４ａの基部と突出部６３０ｃ2との間において第
１の作動片６３０の長手方向にのびる第１直線部６３４ｂ１と、突条６３０ｈの内側（第１の作動片６３０の幅方向における略々中央において）で第５の半割杆６１４ａの基部の近傍から第１の作動片６３０の長手方向にのびる第２直線部６３４ｂ2と、第１直線部６
３４ｂ１の内側端と第２直線部６３４ｂ２の外側端との間を結ぶ斜線部６３４ｂ3とを備
え、第１の作動片６３０の下面から上面に向けて一定幅を有する直線状凸部を突設してなる。
ビード６３４ｃは、第２の半割杆６１２ｂの基部と突出部６３２ｃ1との間において第
２の作動片６３２の長手方向にのびる第１直線部６３４ｃ１と、突条６３２ｈの内側（第２の作動片６３２の幅方向における略々中央において）で第２の半割杆６１２ｂの基部の近傍から第２の作動片６３２の長手方向にのびる第２直線部６３４ｃ2と、第１直線部６
３４ｃ1の内側端と第２直線部６３４ｃ2の外側端との間を結ぶ斜線部６３４ｃ3とを備え
、第２の作動片６３２の下面から上面に向けて一定幅を有する直線状凸部を突設してなる。
ビード６３４ｄは、第６の半割杆６１４ｂの基部と突出部６３２ｃ2との間において第
２の作動片６３２の長手方向にのびる第１直線部６３４ｄ１と、突条６３２ｈの内側（第２の作動片６３２の幅方向における略々中央において）で第６の半割杆６１４ｂの基部の近傍から第２の作動片６３２の長手方向にのびる第２直線部６３４ｄ2と、第１直線部６
３４ｄ１の内側端と第２直線部６３４ｄ2の外側端との間を結ぶ斜線部６３４ｄ3とを備え、第２の作動片６３２の下面から上面に向けて一定幅を有する直線状凸部を突設してなる。
ビード６３４ｅは、第３の半割杆６１３ａの基部と突出部６３０ｃ3の間において、上
下に分断された突条６３０ｈと突条６３０ｈとの間に跨って形成されている。
ビード６３４ｅは、第３の半割杆６１３ａの基部と突出部６３０ｃ3との間において第
１の作動片６３０の長手方向にのびる第１直線部６３４ｅ１と、突条６３０ｈの内側で第５の半割杆６１３ａの基部の近傍から第１の作動片６３０の長手方向にのびる第２直線部６３４ｅ2と、第１直線部６３４ｅ１と第２直線部６３４ｅ２との間を結ぶ斜線部６３４
ｅ3とを備え、第１の作動片６３０の下面から上面に向けて一定幅を有する直線状凸部を
突設してなる。
ビード６３４ｆは、第４の半割杆６１３ｂの基部と突出部６３２ｃ3の間において、上
下に分断された突条６３２ｈと突条６３２ｈとの間に跨って形成されている。
ビード６３４ｆは、第４の半割杆６１３ｂの基部と突出部６３２ｃ3との間において第
２の作動片６３２の長手方向にのびる第１直線部６３４ｆ１と、突条６３２ｈの内側で第３の半割杆６１３ｂの基部の近傍から第２の作動片６３２の長手方向にのびる第２直線部６３４ｆ2と、第１直線部６３４ｆ１と第２直線部６３４ｆ２との間を結ぶ斜線部６３４
ｆ3とを備え、第２の作動片６３２の下面から上面に向けて一定幅を有する直線状凸部を
突設してなる。【００９３】
開閉部材は、前記実施の形態の綴具においては、一対の作動片に対応して、１個が装填されていたが、この実施の形態の綴具においては、一対の作動片に、２個の開閉部材６４０及び開閉部材６４２を装填されている。また、合計２個の開閉部材６４０及び開閉部材６４２のうち一方のみを装填してもよい。【００９４】
突出部６３０ｃ1は第１保持部６６０により、突出部６３０ｃ2は第１保持部６６２により、突６３２ｃ1は第２保持部６６４により、突出部６３２ｃ2は第２保持部６６６により、それぞれ保持される。
また、突出部６３０ｃ3は第３保持部６６１により、突出部６３２ｃ3は第３保持部６６５により、それぞれ保持される。【００９５】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。【００９６】
開閉部材４０と開閉部材固定部３８ａ及び開閉部材固定部３８ｂとは、次のように変更してもよい。
図４２ないし図４４は、図１図示綴具１０の変形例を示す図である。
図４２ないし図４４に示すように、開閉部材固定部７３８ａ及び開閉部材固定部７３８ｂは、突き合わせ縁３０ａ及び突き合わせ縁３２ａの長手方向における中央Ｃ（図４２図示）と開閉部材固定部７３８ａ及び開閉部材固定部７３８ｂとを結ぶ線Ｘ３（図４２図示）に沿って、開閉部材７４０の巻線部７４４が突き合わせ縁３０ａ及び突き合わせ縁３０ａと斜めに交差して架け渡されるように形成してもよい。
すなわち、開閉部材７４０の開閉部材固定部７３８ａは、突き合わせ縁３０ａの長手方向における中央Ｃ（図４２図示）と開閉部材固定部７３８ａを結ぶ線Ｘ３（図４２図示）に沿って、開閉部材７４０が架け渡されるように形成してもよい。
開閉部材７４０の開閉部材固定部７３８ｂは、突き合わせ縁３２ａの長手方向における中央Ｃ（図４２図示）と開閉部材固定部７３８ｂとを結ぶ線Ｘ３（図４２図示）に沿って、開閉部材７４０が架け渡されるように形成してもよい。
開閉部材固定部７３８ａの係止基部７３８ａ1及び開閉部材固定部７３８ｂの係止基部
７３８ｂ1が前記線Ｘ３に直交し、開閉部材固定部７３８ａの係止基部７３８ａ1及び開閉部材固定部７３８ｂの係止基部７３８ｂ1の先端（下端）に、それぞれ開閉部材７４０と
は反対側に向けて前記線Ｘ３（図４２図示）に沿ってのびる係止外れ止め部７３８ａ2（
開閉部材固定部７３８ａの）及び係止外れ止め部７３８ｂ2（開閉部材固定部７３８ｂの
）が形成された、側面略Ｌ字型に形成されている。開閉部材固定部７３８ａと開閉部材固定部７３８ｂとは、突き合わせ縁３０ａ及び突き合わせ縁３２ａの長手方向における中央Ｃ（図４２図示）を中心とした点対称形に形成されている。
また、開閉部材４０の一方の固定先端部４２ａ及び開閉部材４０の他方の固定先端部４２ｂは、図４３に示すように、開閉部材７４０の一方の固定先端部７４２ａ及び開閉部材７４０の他方の固定先端部７４２ｂのようにその大きさや形状を変更してもよく、また、規制腕部４６ａ及び規制腕部４６ｂは、図４３に示すように、開閉部材７４０の規制腕部７４６ａ及び開閉部材７４０の規制腕部７４６ｂのようにその長さを変えたり、規制腕部４６ａ及び規制腕部４６ｂのうち一方を無くしてもよい。【００９７】
この発明にかかる別の実施の形態である２穴真円型リング綴具について説明する。
図４５は、本発明にかかる一実施の形態である綴具を用いたファイルを示す斜視図である。図４６は、本発明にかかる一実施の形態である綴具の一例を示す斜視図であり、図４７は、保持部材の斜視図である。図４８は、作動部材及び開閉部材の斜視図解図である。図４９は、開閉部材の平面図である。図５０は、開閉部材の側面図解図で、（Ａ）は元の状態の側面図解図で（Ｂ）（Ｃ）は巻線部の円周方向に力を加えた状態の側面図解図である。図５１Ａは、閉じた状態における綴杆と作動部材を示す平面図解図であり、図５１Ｂは、閉じた状態における綴杆と作動部材を示す左側図解図であり、図５１Ｃ閉じた状態における綴杆と作動部材を示す正面図解図であり、図５１Ｄは、閉じた状態における綴杆と作動部材を示す底面図解図である。図５２は、閉じた状態における綴具の平面図である。図５３は、閉じた状態における綴具の底面図である。図５４は、閉じた状態における綴具の横断面図であり、（Ａ）は、図５３Ａ−Ａ断面図であり、（Ｂ）は、図５３Ｂ−Ｂ断面図である。図５５は、綴杆を開く状態を示す綴具の底面図である。図５６は、綴杆を開く状態を示す綴具の綴杆の図解図である。【００９８】
図４５ないし４６に示す綴具１０は、厚紙その他の比較的硬質なシート材からなる表紙Ａの略中央に形成される左右一対の折り線の内側の背表紙の内側表面に固定される。固定する方法としては、綴具１０の長手方向の両端に形成された取付孔２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。【００９９】
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、第１の綴杆１２と第２の綴杆１４とが保持部材１６に固定されるように、表面側よりのびるように第１の綴杆１２と第２の綴杆１４とを固定された一対の板状の作動片が保持部材１６の内側に移動自在に固定された、作動部材１８とを備える。【０１００】
この綴具１０の綴杆は、主綴杆たる第１の綴杆１２と副綴杆たる第２の綴杆１４とからなる開閉自在の２穴タイプである。
第１の綴杆１２と第２の綴杆１４とは、同一方向に向けて、その綴杆係止部５０を指で外すことができるように構成されている。
そして、綴杆を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。【０１０１】
保持部材１６は、第１の綴杆１２と第２の綴杆１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴杆１２および第２の綴杆１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。【０１０２】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２を構成する第１の半割杆１２ａおよび第２の半割杆１２ｂと、第２の綴杆１４を構成する第３の半割杆１４ａおよび第４の半割杆１４ｂとに対応して、保持部材１６の幅方向において左右に分かれて一定の間隔をおいて、２つずつ穿設されている。【０１０３】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図５１及び図５３図示）を対称の中心とする点対称形で、保持部材１６の保持空間内において各々をその長手方向において並置したとき、各々その内側縁において屈曲自在に係合する。【０１０４】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図５１図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図５１図示平面Ｐxyより上側）に向いて、その谷折りまたは山折りの状態を維持するように、保持部材１６の内側の保持空間部に内設されている。
平面Ｐxyとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，
Ｘ2（図５１図示）を含む平面である。【０１０５】
作動部材１８は、一方の作動片、すなわち第１の作動片３０における保持部材１６の被綴じ物載置部２２の内側面と対向する表面（すなわち上面）には、第１の綴杆１２を構成する第１の半割杆１２ａの基部が固定され、且つ、前記第１の半割杆１２ａとは一定の間隔をおいて、第２の綴杆１４を構成する第３の半割杆１４ａの基部が固定されている。
また、他方の作動片、すなわち第２の作動片３２における保持部材１６の被綴じ物載置部２２と対向する表面（すなわち上面）には、第１の綴杆１２を構成する第２の半割杆１２ｂの基部が固定され、且つ、前記第２の半割杆１２ｂと一定の間隔をおいて、第２の綴杆１４を構成する第４の半割杆１４ｂの基部が固定されている。【０１０６】
一方の作動片、すなわち第１の作動片３０は、前記保持部材１６に形成された第１の貫通孔２６に通される突出部３０ｃ1（第１の半割杆１２ａの近傍に形成）および前記保持
部材１６に形成された第２の貫通孔２８に通される突出部３０ｃ2（第３の半割杆１４ａ
の近傍に形成）が形成されている。
第２の作動片３２は、前記保持部材１６に形成された第１の貫通孔２６に通される突出部３２ｃ1（第２の半割杆１２ｂの近傍に形成）及び前記保持部材１６に形成された第２
の貫通孔２８に通される突出部３２ｃ2（第４の半割杆１４ｂの近傍に形成）が形成され
ている。
そして、一対の第１の作動片３０及び第２の作動片３２は、前記突出部３０ｃ1と突出
部３０ｃ2および突出部３２ｃ1と突出部３２ｃ2が第１の貫通孔２６と第１の貫通孔２６
及び第２の貫通孔２８と第２の貫通孔２８に通された状態で、突き合わされている。
第１の作動片３０及び第２の作動片３２は、突き合わせ縁３０ａおよび突き合わせ縁３２ａが、綴杆、すなわち第１の綴杆１２及び第２の綴杆１４を開いた際には前記保持部材１６の内面に近づき且つ前記第１の綴杆１２及び第２の綴杆１４を閉じた際には前記保持部材１６の内面から離れるように、前記第１の綴杆１２及び第２の綴杆１４を開閉する方向に揺動可能に、前記保持部材１６に保持される。【０１０７】
第１の作動片３０は、一対の作動片が突き合わされる略直線状の突き合わせ縁３０ａが内側に形成され、前記突き合わせ縁３０ａと略平行な略直線状の外側端縁３０ｂが外側に形成されている。
第２の作動片３２は、一対の作動片が突き合わされる略直線状の突き合わせ縁３２ａが内側に形成され、前記突き合わせ縁３２ａと略平行な略直線状の外側端縁３２ｂが外側に形成されている。
第１の作動片３０の外側端縁３０ｂは、突出部３０ｃ1及び突出部３０ｃ2が、形成されている。
第２の作動片３２の外側端縁３２ｂは、突出部３２ｃ1及び突出部３２ｃ2が、形成されている。
すなわち、その突き合わせ縁３０ａおよび突き合わせ縁３２ａが突き合わされ且つ外側端縁３０ｂおよび外側端縁３２ｂが保持部材１６の第１の保持壁２４ａと第２の保持壁２４ｂとの両壁内内側面に接近する。【０１０８】
前記突出部３０ｃ1と突出部３０ｃ2とは、第１の半割杆１２ａと第３の半割杆１４ａの基部の取付け位置に近い位置である第１の作動片３０の幅方向において外側で、それぞれ前後に間隔をあけて一対形成され、且つ、突出部３２ｃ1と突出部３２ｃ2とは、第２の半割杆１２ｂと第４の半割杆１４ｂの基部の取付け位置に近い位置である第２の作動片３２の幅方向において外側で、それぞれ前後に間隔をあけて一対形成され、第１の綴杆１２及び第２の綴杆１４の開閉ができるように、保持部材１６の第１の保持壁２４ａ及び第２の保持壁２４ｂより外側に突出している。
突出部３０ｃ1と突出部３０ｃ2とは、保持部材１６の第１の保持壁２４ａの第１の貫通孔２６及び第１の貫通孔２６より外側に突き出る長さを備え、また、突出部３２ｃ1と突
出部３２ｃ2とは、保持部材１６の第２の保持壁２４ｂの第２の貫通孔２８及び第２の貫
通孔２８より外側に突き出る長さを備え、且つ、作動部材１８が綴杆の開閉時に保持部材１６の長手方向に移動可能な幅を有する舌状である。
作動片３０及び作動片３２は、金属またプラスチックの薄板からなり、作動片３０及び作動片３２と突出部３０ｃ1、突出部３０ｃ2、突出部３２ｃ1及び突出部３２ｃ2とは一体成形されてなる。【０１０９】
前記開閉部材４０は、第１の綴杆１２及び第２の綴杆１４が固定された表面とは反対側の裏面側において、作動部材１８に固定され、前記第１の綴杆１２及び第２の綴杆１４を開くときに、保持部材１６内で、前記作動片３０及び作動片３２を保持部材１６の長手方向に移動させるとともに保持部材１６の内面に近づいた方向に保持されるように、第１の綴杆１２及び第２の綴杆１４を開く方向に変化させるように形成されている。【０１１０】
前記作動部材４０は、前記第１の綴杆１２及び第２の綴杆１４を固定された表面側とは反対側の裏面側において、第１の綴杆１２及び第２の綴杆１４を開く方向に付勢する開閉部材４０が固定され作動部材４０に固定されている。
そして、前記第１の綴杆１２及び第２の綴杆１４を閉じたときには、作動片３０及び作動片３２は、保持部材１６の内面より離れた位置において、その突き合わせ縁３０ａ及び突き合わせ縁３２ａが突き合わせた状態において、平面状に保持され、そして、前記第１の綴杆１２及び第２の綴杆１４を開いたときには、作動片３０及び作動片３２は、その突き合わせ縁３０ａ及び突き合わせ縁３２ａが突き合わせた状態において保持部材１６の内面に近づいた方向に向いて山折り状に保持されるように、保持部材１６に固定されている。【０１１１】
前記第１の作動片３０は、突き合わせ縁３０ａの両端近傍であって、第１の半割杆１２ａ及び第３半割杆の１４ａの基部が固定された領域より突き合わせ縁３０ａ寄りを、突き合わせ縁３０ａの両端近傍を突き合わせ縁３０ａに沿って周囲の基準面ＬＰ1より開閉部材４０を固定される面側に曲げて凹まされて第１の作動片の向こう側凹み部１３０ｄ及び第１の作動片の手前側凹み部１３０ｅを形成されている。そして、第１の作動片の手前側凹み部１３０ｅ及び第１の作動片の向こう側凹み部１３０ｄにより前記基準面ＬＰ1より係合部を有する第１の作動片の向こう側第２係合部１３６ｂ4が形成されている。【０１１２】
また、前記第２の作動片３２は、突き合わせ縁３２ａの両端近傍であって、第２の半割杆１２ｂ及び第４の半割杆１４ｂの基部が固定された領域より突き合わせ縁３２ａ寄りを、突き合わせ縁３２ａの両端近傍を突き合わせ縁３２ａに沿って周囲の基準面ＬＰ2より開閉部材４０を固定される面側に曲げて凹まされて第２の作動片の手前側凹み部１３２ｅ及び第２の作動片の向こう側凹み部１３２ｄを形成されている。そして、該第２の作動片の手前側凹み部１３２ｅ及び第２の作動片の向こう側凹み部１３２ｄにより前記基準面より低い係合面を有する第２作動片の向こう側第２係合部１３６ｂ1を形成されている。【０１１３】
前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ開閉部材４０を固定される面とは反対側に曲げて基準面ＬＰ1より低い係合面を有する第１の作動片の向こう側第１係合部１３６ａ1を形成されるとともに、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ前記基準面ＬＰ2より低い係合面を有する第２の作動片の向こう側第２係合部１３６ｂ1を形成され、前記第１の作動片の向こう側第１係合部１３６ａ1の係合面と前記第２の作動片の向こう側第２係合部１３６ｂ1の係合面とは、前記基準面ＬＰ1及び基準面ＬＰ2と略々同じ高さ又は低い高さにおいて、係合されている。【０１１４】
また、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ開閉部材４０を固定される面とは反対側に曲げて基準面ＬＰ2より低い係合面を有する第２の作動片の手前側第１係合部１３６ａ3を形成されるとともに、前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ前記基準面ＬＰ1より低い係合面を有する第１の作動片の手前側第２係合部１３６ｂ3を形成され、前記第２の作動片の手前側第１係合部１３６ａ3の係合面と前記第１の作動片の手前側第２係合部１３６ｂ3の係合面とは、前記基準面ＬＰ1及び基準面ＬＰ2と略々同じ高さ又は低い高さにおいて、係合されている。【０１１５】
前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ開閉部材４０を固定される面とは反対側に曲げて基準面ＬＰ1より低い係合面を有する第１の作動片の手前側第１係合部１３６ａ2を形成されるとともに、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ前記基準面ＬＰ2より低い係合面を有する第２の作動片の手前側第２係合部１３６ｂ2を形成され、前記第１の作動片の手前側第１係合部１３６ａ2の係合面と前記第２の作動片の手前側第２係合部１３６ｂ2の係合面とは、前記基準面ＬＰ1及び基準面ＬＰ2と略々同じ高さ又は低い高さにおいて、係合されている。【０１１６】
また、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ開閉部材４０を固定される面とは反対側に曲げて基準面ＬＰ2より低い係合面を有する第２の作動片の向こう側第１係合部１３６ａ4を形成されるとともに、前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ前記基準面ＬＰ1より低い係合面を有する第１の作動片の向こう側第２係合部１３６ｂ4を形成され、前記第２の作動片の向こう側第１係合部１３６ａ4の係合面と前記第１の作動片の向こう側第２係合部１３６ｂ4の係合面とは、前記基準面ＬＰ1及び基準面ＬＰ2と略々同じ高さ又は低い高さにおいて、係合されている。【０１１７】
前記第１の作動片３０の第１係合部１３６ａの係合面と前記第２の作動片３２の第２係合部１３６ｂの係合面とを、前記基準面ＬＰ1及び基準面ＬＰ2と略々同じ高さ又は低い高さにおいて係合されている。
前記第２の作動片３２の第１係合部１３６ａの係合面と前記第１の作動片３０の第２係合部１３６ｂの係合面とを、前記基準面ＬＰ1及び基準面ＬＰ2と略々同じ高さ又は低い高さにおいて係合されている。
第１係合部１３６ａは、第１の作動片の向こう側第１係合部１３６ａ1、第１作動片の手前側第１係合部１３６ａ2、第２の作動片の手前側第１係合部１３６ａ3及び第２の作動片の向こう側第１係合部１３６ａ4を含む。
第２係合部１３６ｂは、第２の作動片の向こう側第２係合部１３６ｂ1、第２の作動片の手前側第２係合部１３６ｂ2、第１の作動片の手前側第２係合部１３６ｂ3及び第１の作動片の向こう側第２係合部１３６ｂ4を含む。【０１１８】
前記第１の作動片３０は、第１の係合部１３６ａが形成され且つ第２の作動片３２と同じように第２の係合部１３６ｂが形成されるとともに、前記第２の作動片３２は、第２の係合部１３６ｂが形成され且つ第１の作動片３０と同じように第１の係合部１３６ａが形成され、対向する第１の作動片３０及び第２の作動片３２は、第１係合部１３６ａと第２係合部１３６ｂとが係合して、突き合わせ縁３０ａ及び突き合わせ縁３２ａを中心にして第１の作動片３０と第２の作動片３２とが揺動するように形成されている。
このように、前記作動部材１８及び開閉部材４０を保持部材１６の保持空間内において保持され且つ移動できるように、一対の作動片すなわち、第１の作動片３０及び第２の
作動片３２の突き合わせ縁、すなわち、突き合わせ縁３０ａ及び突き合わせ縁３２ａに、移動中にも突き合わせ状態を維持するための係合部すなわち、第１の係合部１３６ａ及び第２の係合部１３６ｂを、開閉部材４０を固定された面側に向けて突出して形成されているので、保持部材１６の高さを低くして低背化を図ることができる。【０１１９】
第１係合部１３６ａは、保持部材１６の被綴じ物載置部２２の内面側に向けて、作動部材１８の厚み分を凹み部（第１の作動片の向こう側凹み部１３０ｄ、第１の作動片の手前側凹み部１３０ｅ、第２の作動片の向こう側凹み部１３２ｄ、第２の作動片の手前側凹み部１３２ｅ、）を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備えている。
最も外側の第１の作動片の向こう側第１係合部１３６ａ1及び第２の作動片の手前側第１係合部１３６ａ3は、第１の作動片３０と第２の作動片３２を逆方向に移動させたときにおいても作動部材１８の端縁より内側に位置する幅を備えている。
最も外側の第１の作動片の向こう側第１係合部１３６ａ1と内側の第２の作動片の向こう側第１係合部１３６ａ4及び最も外側の第２の作動片の手前側第１係合部１３６ａ3と内側の第１の作動片の手前側第１係合部１３６ａ2とは、第１の綴杆１２及び第２の綴杆１４の基部が取付けられた部位を挟んで適宜な間隔をおいて形成されている。【０１２０】
そして、前記第１の綴杆１２および第２の綴杆１４が閉じるときには、図５４に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち水平で平面状の状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図５９に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。【０１２１】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図５１図示
））および第２の半割杆１２ｂと第４の半割杆１４ｂとを結ぶ線（Ｘ2（図５１図示））と
平行な方向に、第１の作動片３０と第２の作動片３２とを移動させることができるように摺動自在に内設されている。【０１２２】
第１の作動片３０及び第２の作動片３２は、第１の作動片の向こう側凹み部１３０ｄ、第１の作動片の手前側凹み部１３０ｅ、第２の作動片の向こう側凹み部１３２ｄ及び第２の作動片の手前側凹み部１３２ｅに、内側の第１の作動片の手前側第１係合部１３６ａ2及び第２の作動片の向こう側第１係合部１３６ａ4の内側近傍において、第１の作動片３０及び第２の作動片３２の長手方向への移動を規制する移動規制部が形成される。
移動規制部は、第１の作動片３０の突き合わせ縁３０ａに形成された規制凹部３０ｆ及び規制凸起３０ｇと、第２の作動片３２の突き合わせ縁３２ａに形成された規制凹部３２ｆ及び規制凸起３２ｇとから形成される。
規制凹部３０ｆは、凹み３６ａの外側近傍において、突き合わせ縁３０ａより幅方向において凹んだ平面視コ字型の欠きであり、規制凸起３２ｇは、前記規制凹部３０ｆと遊嵌するように形成された平面視コ字型の凸起であり、規制凹部３０ｆに規制凸起３２ｇが遊嵌されて、規制凹部３０ｆ内において第１の作動片３０及び第２の作動片３２がその長手方向に互い違いに移動するように形成されている。
規制凹部３２ｆは、凹み３６ｂの外側近傍において、突き合わせ縁３２ａより幅方向において凹んだ平面視コ字型の欠きであり、規制凸起３０ｇは、前記規制凹部３２ｆと遊嵌するように形成された平面視コ字型の凸起であり、規制凹部３２ｆに規制凸起３０ｇが遊嵌されて、規制凹部３２ｆ内において第１の作動片３０及び第２の作動片３２がその長手方向に互い違いに移動するように形成されている。【０１２３】
第１の作動片３０の凹み３６ａ内で突き合わせ縁３０ａ側及び第２の作動片３２の凹み３６ｂ内で突き合わせ縁３２ａ側において、第１の綴杆１２と第２の綴杆１４とを開閉方向に変化させる開閉部材４０が設けられている。
前記開閉部材４０は、前記作動部材１８を構成する一対の作動片すなわち作動片３０と作動片３２との間において、一対の作動片３０と作動片３２をそれぞれ逆方向に移動させるとともに、綴杆すなわち第１の綴杆１２及び第２の綴杆１４の開閉状態を保持させるように、第１の作動片３０に間隔をおいて固定された綴杆すなわち第１の半割杆１２ａ及び第３の半割杆１４ａの基部を結ぶ方向と斜めに交差する方向であり、且つ作動片３２に間隔をおいて固定された綴杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図５０（Ａ）に示すように、巻線部４４の円周方向に規制腕部４６ａと規制腕部４６ｂとが平行に突き出されている。【０１２４】
前記開閉部材４０は、第１の綴杆１２と第２の綴杆１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図５０（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図４９及び図５０（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。【０１２５】
規制腕部４６ａ及び規制腕部４６ｂは、固定先端部４２ａ及び固定先端部４２ｂの第１の作動片３０及び第２の作動片３２に固定される側から巻線部４４の中心軸と直交する方向にのび、一方の規制腕部４６ａと他方の規制腕部４６ｂとは、ねじりモーメントが発生しない元の状態は、図４９及び図５０（Ａ）に示すように、巻線部４４の円周方向に略平行に突き出され、互いに反対向きにのびる。
一方の規制腕部４６ａは、固定先端部４２ａが第１の作動片３０の開閉部材固定部３８ａに固定されたとき、第１の作動片３０の裏面にその先端が突き当たり、他方の規制腕部４６ｂは、固定先端部４２ｂが第２の作動片３２の開閉部材固定部３８ｂに固定されたとき、第２の作動片３２の裏面（下面）にその先端が突き当たり、丸フックの固定先端部４２ａ及び固定先端部４２ｂが大きく傾くことなく、常に正規の状態にて開閉部材固定部３８ａ及び開閉部材固定部３８ｂに固定されるように構成されている。
ねじりモーメントが発生しない元の状態においては、一方の規制腕部４６ａともう一方の規制腕部４６ｂとは平行になるように形成されている。【０１２６】
開閉部材４０は、その固定先端部４２ａの一端が一方の作動片、すなわち第１の作動片３０の裏面（下面）に形成された開閉部材固定部３８ａに係止固定され、開閉部材４０の固定先端部４２ｂ一端が、他方の作動片、すなわち第２の作動片３２の裏面（下面）に形成された開閉部材固定部３８ｂに係止固定されている。
開閉部材固定部３８ａは、開閉部材収容部３６の凹み３６ａの裏面（下面）であって、第１の作動片３０の長手方向の中心Ｃ（図５１及び図５３図示）より第１の綴杆１２及び第２の綴杆１４を開くときに第１の作動片３０の移動する方向側にずれた位置に形成され、開閉部材固定部３８ｂは、開閉部材収容部３６の凹み３６ｂの裏面（下面）であって、第２の作動片３２の長手方向の中心Ｃ（図５１及び図５３図示）より第１の綴じ杆１２及び第２の綴じ杆１４を開くときに第２の作動片３２の移動する方向側にずれた位置に形成されている。【０１２７】
開閉部材固定部３８ａは、第１の作動片３０の裏面に続く係止基部３８ａ1と、係止基
部３８ａ1の先端（下端）に開閉部材４０とは反対側に向けてのびる係止外れ止め部３８
ａ2が突設された、側面Ｌ字形である。
開閉部材固定部３８ｂは、第２の作動片３２の裏面に続く係止基部３８ｂ1と、係止基
部３８ｂ1の先端（下端）に開閉部材４０とは反対側に向けてのびる係止外れ止め部３８
ｂ2が突設された、側面Ｌ字形である。
開閉部材固定部３８ａと開閉部材固定部３８ｂとは、第１の作動片３０及び第２の作動片３２の長手方向の中心Ｃを中心として、点対称に形成されている。【０１２８】
開閉部材４０は、第１の作動片３０と第２の作動片３２との突き合わせ縁３０ａおよび突き合わせ縁３２ａが、谷折り状態（図５４図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の半割杆１２ａを固定する部位と半割杆１４ａを固定する部位とを結ぶ線（前後軸Ｘ1（図５１図示））および第２の作動片３２の半割杆１２ｂを固定する
部位と半割杆１４ｂを固定する部位とを結ぶ線（前後軸Ｘ2（図５１図示））と斜めに交差
する方向に架け渡されている。【０１２９】
第１の作動片３０の開閉部材固定部３８ａと第２の作動片３２の開閉部材固定部３８ｂとは、突き合わせ縁３０ａ及び突き合わせ縁３２ａの長手方向における中央Ｃ（図５１及び図５３図示）を回転軸として点対称となるように形成され、開閉部材４０が突き合わせ縁３０ａ及び突き合わせ縁３２ａの長手方向における中央Ｃ（図５１及び図５３図示）より均一な長さによって固定先端部４２ａが開閉部材固定部３８ａに、固定先端部４２ｂが開閉部材固定部３８ｂに係止されて、均一な力が第１の作動片３０及び第２の作動片３２にかかるように構成されている。
第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴杆１２及び第２の綴杆１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態になったときにおいても、第１の作動片３０の最も外側の縁（外側端縁３０ｂ）と保持部材１６の第１の保持壁２４ａとの間及び第２の作動片３２の最も外側の縁（外側端縁３２ｂ）と保持部材１６の第２の保持壁２４ｂとの間に適宜な間隙が生じ、保持部材１６の保持空間内において作動部材１８の第１の作動片３０及び第２の作動片３２が円滑に移動できる。【０１３０】
開閉部材固定部３８ａ及び開閉部材固定部３８ｂは、図５１に示すように、突き合わせ縁３０ａ及び突き合わせ縁３２ａの長手方向における中央Ｃ（図５１Ｄ図示）と開閉部材固定部３８ａ及び開閉部材固定部３８ｂとを結ぶ線Ｘ３（図５１Ｄ図示）に沿って、開閉部材４０が突き合わせ縁３０ａ及び突き合わせ縁３０ａと斜めに交差して架け渡されるように形成されている。
すなわち、開閉部材４０の開閉部材固定部３８ａは、突き合わせ縁３０ａの長手方向における中央Ｃ（図５１Ｄ図示）と開閉部材固定部３８ａを結ぶ線Ｘ３（図５１Ｄ図示）に沿って、開閉部材４０が架け渡されるように形成されている。
開閉部材４０の開閉部材固定部３８ｂは、突き合わせ縁３２ａの長手方向における中央Ｃ（図５１Ｄ図示）と開閉部材固定部３８ｂとを結ぶ線Ｘ３（図５１Ｄ図示）に沿って、開閉部材４０が架け渡されるように形成されている。
開閉部材固定部３８ａの係止基部３８ａ1及び開閉部材固定部３８ｂの係止基部３８ｂ1が前記線Ｘ３に直交し、開閉部材固定部３８ａの係止基部３８ａ1及び開閉部材固定部３８ｂの係止基部３８ｂ1の先端（下端）に、それぞれ開閉部材４０とは反対側に向けて前記線Ｘ３（図５１Ｄ図示）に沿ってのびる係止外れ止め部３８ａ2（開閉部材固定部３８ａの）及び係止外れ止め部３８ｂ2（開閉部材固定部３８ｂの）が形成された、側面略Ｌ字型に形成されている。開閉部材固定部３８ａと開閉部材固定部３８ｂとは、突き合わせ縁３０ａ及び突き合わせ縁３２ａの長手方向における中央Ｃ（図５１Ｄ図示）を中心とした点対称形に形成されている。【０１３１】
そして、１対の前記第１の作動片３０及び第２の作動片３２は、前記保持部材１６の長手方向において互いに逆方向に移動させることにより、前記半割杆の組み合わせによる前記第１の綴杆１２及び第２の綴杆１４が分離され、前記第１の綴杆１２及び第２の綴杆１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。【０１３２】
そして、開閉部材４０の弾性により、作動部材１８を構成する第１の作動片３０及び第２の作動片３２は、第１の綴杆１２と第２の綴杆１４を手で開き始めたとき、すなわち、第１の綴杆１２と第２の綴杆１４のそれぞれの綴杆係止部５０を外したとき、伸びていた開閉部材４０の巻線部４４を更に伸ばす方向に作用させ、第１の綴杆１２の第１の半割杆１２ａと第２の半割杆１２ｂとが離れる方向（第１の半割杆１２ａはＯ1方向で、第２の
半割杆１２ｂはＯ2方向（図５１図示））および第２の綴杆１４の第３の半割杆１４ａと第
４の半割杆１４ｂとが離れる方向（第３の半割杆１４ａはＯ1方向で、第４の半割杆１４
ｂはＯ2方向（図５１図示））に移動し、第１の作動片３０と第２の作動片３２とをそれぞ
れ逆方向（第１の作動片３０はＯ1方向で、第２の作動片３２はＯ2方向（図５１図示））に移動させるように作用する（図５５参照）。【０１３３】
さらに、開閉部材４０は、第１の半割杆１２ａと第２の半割杆１２ｂとをおよび第３の半割杆１４ａと第４の半割杆１４ｂとを円周方向（図５１図示の左右軸Ｙ1および左右軸Ｙ2方向）に引き離すように作用する。ねじられていた開閉部材４０は、図５０（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴杆１２及び第２の綴杆１４の円周方向（第１の半割杆１２ａおよび第３の半割杆１４ａはＯ3方向、第２の半割杆１２ｂおよび第４の半割杆１４ｂはＯ4方向（図５１図示））に引き離すように作用する（図５８（Ａ）参照）。【０１３４】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図５１図示））に移動し、且つ、第２の作動片３２は、綴杆
係止部５０を閉じる位置の方向（Ｏ2とは反対の方向（図５１図示））に移動する。（図５８（Ｂ）及び５９参照）。
すなわち、第１の作動片３０及び第２の作動片３２は、平面状態から山折り状態に変わる。第１の綴杆１２及び第２の綴杆１４は、開く方向（第１の半割杆１２ａ及び第３の半割杆１４ａはＯ3
方向、第２の半割杆１２ｂ及び第４の半割杆１４ｂはＯ4方向）に回転して開く。
開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。【０１３５】
保持部材１６の被綴じ物載置部２２には、被綴じ物載置部２２の長手方向に延びる膨出部２２ａが形成され、膨出部２２ａは、その内側に窪み部が形成され、作動部材１８の係合部３０ｄ及び３２ｅが上側に向いて回転し且つ係合部３０ｅ及び３２ｄが上側に向いて回転するとともに、開閉部材４０が上側に向いて移動したときに、被綴じ物載置部２２の内面と当接しないようにするために、被綴じ物載置部２２の長手方向に延びて形成されている。
そして、前記保持部材１６は、作動部材１８に間隔をおいて設けられた第１の綴杆１２及び第２の綴杆１４の基部を結ぶ方向に近い方向にのびる保持壁２４及び被綴じ物載置部２２を有し、前記保持部材１６の保持壁２４及び被綴じ物載置部２２により、作動部材１８を保持部材１６の内側に保持するための保持部が形成され、前記作動部材１６及び開閉部材４０は、前記第１の綴杆１２及び第２の綴杆１４を開閉するとき、前記保持空間内において移動するように構成されている。【０１３６】
前記保持部材１６は、前記したように、作動部材１８に間隔をおいて設けられた第１の綴杆１２と第２の綴杆１４との基部を結ぶ方向（図５１図示Ｘ1及びＸ2方向）に近い方向にのびる、第１の保持壁２４ａと第２の保持壁２４ｂとからなる保持壁２４を有し、前記保持壁２４は、作動部材１８に間隔をおいて設けられた第１の綴杆１２と第２の綴杆１４の基部を結ぶ方向（図５１図示Ｘ1及びＸ2方向）と交差する方向にのびて、保持壁２４の外側に向いて突出する第１の作動片３０の突出部３０ｃ1と突出部３０ｃ2及び第２の作動片３２の突出部３２ｃ1と突出部３２ｃ2を保持する保持部、すなわち第１の保持壁２４ａに形成された第１の保持部６０及び第１の保持部６２と、第２の保持壁２４ｂに形成された第２の保持部６４及び第２の保持部６６とを有している。
該第１の保持部６０及び第１の保持部６２は、前記保持壁２４の一部を作動部材１８の突出部３０ｃ1と突出部３０ｃ2より外側に打ち出された第１の保持部６０及び第１の保持部６２が、保持部材１６の内側に嵌装された作動部材１８の突出部３０ｃ1と突出部３０ｃ2を保持するように、保持壁２４（第１の保持壁２４ａ）の内側に向けて凹まされてなる。
また、第２の保持部６４及び第２の保持部６６は、前記保持壁２４の一部を作動部材１８の突出部３２ｃ1と突出部３２ｃ2より外側に打ち出された第２の保持部６４及び第２の保持部６６が、保持部材１６の内側に嵌装された作動部材１８の突出部３２ｃ1と突出部３２ｃ2を保持するように、保持壁２４（第２の保持壁２４ｂ）の内側に向けて凹まされてなる。【０１３７】
前記第１の保持部６０及び第１の保持部６２と第２の保持部６４及び第２の保持部６６は、前記作動部材１８の第１の作動片３０及び第２の作動片３２の下面に沿って、前記保持壁２４の下縁との間に間隔をおいて細い切り込み６８ａと切り込み７０ａ及び切り込み７２ａと切り込み７４ａが形成され、該切り込み６８ａと切り込み７０ａ及び切り込み７２ａと切り込み７４ａと保持壁２４の下縁との間における保持壁２４の外方に向けて打ち出された領域により、第１の保持部６０及び第１の保持部６２と第２の保持部６４及び第２の保持部６６が形成されている（図６６（Ａ）（Ｂ）参照）。
そして、第１の保持部６０及び第１の保持部６２と第２の保持部６４及び第２の保持部６６を構成する該領域が、保持部材１６の内側に嵌装された作動部材１８の突出部３０ｃ1と突出部３０ｃ2及び突出部３２ｃ1と突出部３２ｃ2の下面を保持するように内側に向けて打ち出され、保持壁２４の該切り込み６８ａと切り込み７０ａ及び切り込み７２ａと切り込み７４ａと保持壁２４の下縁との間の領域以外の領域より内側に向けて凹まされて、第１の保持部６０及び第１の保持部６２と第２の保持部６４及び第２の保持部６６が形成されている（図６７（Ａ）（Ｂ）参照）。【０１３８】
第１の綴杆１２は、略円環状の綴杆となるように、半円弧状の第１の半割杆１２ａと第２の半割杆１２ｂとから構成され、第２の綴杆１４は、略円環状の綴杆となるように、半円弧状の第３の半割杆１４ａと第４の半割杆１４ｂとから構成されている。そして、用紙等の被綴じ物Ｓに予め穿設された綴じ孔に挿通して、用紙等の被綴じ物Ｓを綴じることができるように、第１の半割杆１２ａおよび第２の半割杆１２ｂと、第３の半割杆１４ａと第４の半割杆１４ｂの先端、すなわち第１の綴杆１２および第２の綴杆１４の頂部において、綴杆係止部５０が形成されている。【０１３９】
前記綴杆を構成する第１の綴杆１２及び第２の綴杆１４は、断面円形状金属製線材を、綴杆係止部５０を外す方向（図５１のＯ1及びＯ2の方向）にのばし、且つ中央部分を押さえることによって綴杆を閉じる方向に対してわん曲させて形成されている。そして、第１の綴杆１２及び第２の綴杆１４は、中央が綴杆を開く方向（第１の半割杆１２ａ及び第３の半割杆１４ａは、図５１のＯ3方向、第２の半割杆１２ｂ及び第４の半割杆１４ｂは、図５１のＯ4方向）に膨み且つ両端が綴杆を閉じる方向にわん曲した断面略空豆（ビーンズ）型の形状に形成されている。
すなわち、環状の第１の綴杆１２及び第２の綴杆１４を開閉方向に見て、第１の綴杆１２及び第２の綴杆１４の内側は波状起伏面が形成され、第１の綴杆１２及び第２の綴杆１４の外側は半円弧状に形成されている。そして、第１の綴杆１２及び第２の綴杆１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆１２及び第２の綴杆１４は、細いならば綴杆係止部５０の嵌合がうまくゆかないときがある。
そのために、第１の綴杆１２及び第２の綴杆１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。【０１４０】
この実施の形態においては、第１の綴杆１２を構成する第１の半割杆１２ａ及び第２の半割杆１２ｂと第２の綴杆１４を構成する第３の半割杆１４ａ及び第４の半割杆１４ｂとは、同じ形状、すなわち曲率（曲率半径）が同じものである。
第１の綴杆１２を構成する第１の半割杆１２ａ及び第２の半割杆１２ｂは、第１の半割杆１２ａの自由端の綴杆係止部５０と、第２の半割杆１２ｂの自由端の綴杆係止部５０とを係止することにより、環状に連結される。
また、第２の綴杆１４を構成する第３の半割杆１４ａと第４の半割杆１４ｂとは、第３の半割杆１４ａの自由端の綴杆係止部５０と、第４の半割杆１４ｂの自由端の綴杆係止部５０とを係止することにより、環状に連結される。【０１４１】
第１の綴杆１２及び第２の綴杆１４は、それぞれの基部が第１の作動片３０及び第２の作動片３２に固着された部分（４箇所）を通る左右軸Ｙ1，Ｙ2および前後軸Ｘ1，Ｘ2（図５１図示）を含む平面Ｐxyと垂直な平面を構成するように、第１の作動片３０と第２の作動片３２より立設されている。そして、第１の綴杆１２の軸Ｚ1（図５１図示）が構成する円形面と第２の綴杆１４の軸Ｚ2（図５１図示）が構成する円形面とは、平行で、且つ、第１の綴杆１２と第２の綴杆１４が第１の作動片３０と第２の作動片３２と固着された部位を通る平面Ｐxyと垂直となるように構成されている。【０１４２】
前記綴杆は、第６０図〜第６５図に示すように、直接指で閉じられる主綴杆たる第１の綴杆１２と、該第１の綴杆１２の閉じる方向に向けての作動に追動する副綴杆たる第２の綴杆１４とにより構成されている。
そして、第１の綴杆１２と第２の綴杆１４とは、同一方向（図５５のＯ1及びＯ2方向）に向けて、その綴杆係止部５０を指で外すことができるように構成されている。
第１の綴杆１２を構成する第１の半割杆１２ａの先端に形成された綴杆係止部５０を構成する先端の凸部５２ａ及びその凸部５２ａに続く凹部５２ｂと、第２の半割杆１２ｂの綴杆係止部５０を構成する先端の凸部５４ａ及びその先端の凸部５４ａに続く凹部５４ｂとは、第１の綴杆１２を閉じたとき係合するように逆方向に向けて突き出しあるいは凹み形成されている。
凸部５２ａ及び凸部５４ａは、それぞれ先端から内側に向けて湾曲凸面を有する傾斜対向面５２ｃ及び湾曲凸面を有する傾斜対向面５４ｃと、傾斜対向面５２ｃ及び傾斜対向面５４ｃに続き、凸部５２ａ及び凸部５４ａの後端（基部側）から除々に先端側（すなわち閉じる方向）に入り込んだ傾斜対向面５２ｄ及び傾斜対向面５４ｄが形成され、後端近傍が鉤状で、全体として鉤鼻状に形成されている。
凹部５２ｂは、基部側から先端に向けて湾曲凹面を有する傾斜対向面を備え、凹部５４ｂは、同様に基部側から先端に向けて湾曲凹面を有する傾斜対向面を備えている。
また、第２の綴杆１４を構成する第３の半割杆１４ａの先端に形成された綴杆係止部５０を構成する凸部５６ａ及びその凸部５６ａに続く凹部５６ｂと、第４の半割杆１４ｂの綴杆係止部５０を構成する先端の凸部５８ａ及びその先端の凸部５８ａに続く凹部５８ｂとは、第２の綴杆１４を閉じたとき係合するように逆方向に向けて突き出しあるいは凹み形成されている。
凸部５６ａ及び凸部５８ａは、それぞれ先端から内側に向けて湾曲凸面を有する傾斜対向面５６ｃ及び湾曲凸面を有する傾斜対向面５８ｃと、傾斜対向面５６ｃ及び傾斜対向面５８ｃに続き、凸部５６ａ及び凸部５８ａの後端（基部側）から除々に先端側（すなわち閉じる方向）に入り込んだ傾斜対向面５６ｄ及び傾斜対向面５８ｄが形成され、後端近傍が鉤状で、全体として鉤鼻状に形成されている。
凹部５６ｂは、基部側から先端に向けて湾曲凹面を有する傾斜対向面を備え、凹部５８ｂは、同様に湾曲凹面を有する傾斜対向面を備えている。【０１４３】
第１の半割杆１２ａの綴杆係止部５０を構成する凸部５２ａ及び第３の半割杆１４ａの綴杆係止部５０を構成する凸部５６ａは、同一方向に向けて突き出し設けられ、先端部から基部側にかけて形成された湾曲凸面を備え、両方が同一形状に形成されている。
また、第１の半割杆１２ａの綴杆係止部５０を構成する凹部５２ｂ及び第３の半割杆１４ａの綴杆係止部５０を構成する凹部５６ｂは、同一方向に向けて凹み形成され、凸部５４ａ及び凸部５６ａの後端から基部側にかけて形成された湾曲凹面を備え、両方が同一形状に形成されている。
第２の半割杆１２ｂの綴杆係止部５０を構成する凸部５４ａ及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆１２ｂの綴杆係止部５０を構成する凹部５４ｂ及び第４の半割杆１４ｂの綴杆係止部５０を構成する凹部５８ｂは、同一方向に向けて凹み形成され、凸部５４ａ及び凸部５８ａの後端から基部側にかけて形成された湾曲凹面を備え、両方が同一形状に形成されている。
第１の半割杆１２ａの凸部５２ａ及び凹部５２ｂと第２の半割杆１２ｂの凸部５４ａ及び凹部５４ｂとは点対称に形成され、第３の半割杆１４ａの凸部５６ａ及び凹部５６ｂと第４の半割杆１４ｂの凸部５８ａ及び凹部５８ｂとは点対称に形成されている。【０１４４】
第１の綴杆１２の凸部５２ａの傾斜対向面５２ｃ及び凹部５４ｂの傾斜対向面は、第１の綴杆１２の軸方向とは斜交するように形成され、開閉するときには、傾斜対向面５２ｃと凹部５４ｂの傾斜対向面とが一点を共有し合う内接関係で接する。
第１の綴杆１２の凸部５２ａの傾斜対向面５２ｃ及び凸部５４ａの傾斜対向面５４ｃは、第１の綴杆１２の軸方向とは斜交するように形成され、開閉するときには、傾斜対向面５２ｃと傾斜対向面５４ｃとが一点を共有し合う外接関係で接する。
第２の綴杆１４の凸部５６ａの傾斜対向面５６ｃ及び凹部５８ｂの傾斜対向面は、第２の綴杆１４の軸方向とは斜交するように形成され、開閉するときには、傾斜対向面５６ｃと凹部５８ｂの傾斜対向面とが一点を共有し合う内接関係で接する。
第２の綴杆１４の凸部５６ａの傾斜対向面５６ｃ及び凸部５８ａの傾斜対向面５８ｃは、第２の綴杆１４の軸方向とは斜交するように形成され、開閉するときには傾斜対向面５６ｃと傾斜対向面５８ｃとが一点を共有し合う外接関係で接する。【０１４５】
主綴杆たる第１の綴杆１２を２本の指で挟んで綴杆を閉じ始めるとき、第２の綴杆１４の第３の半割杆１４ａの凸部５６ａと第２の綴杆１４の第４の半割杆１４ｂの凹部５８ｂとが当接する前に（図６３参照）、第１の綴杆１２の第１の半割杆１２ａの凸部５２ａと第１の綴杆１２の第２の半割杆１２ｂの凸部５４ａとが当接し、更に第１の綴杆１２を閉じるように作動させると、第１の綴杆１２の第１の半割杆１２ａの凹部５２ｂが第２の半割杆１２ｂの凸部５４ａ上を摺動するとともに、第１の綴杆１２の第１の半割杆１２ａの凸部５２ａが第２の半割杆１２ｂの凹部５４ｂに嵌合される正規の係止位置を通り過ぎて、第１の半割杆１２ａの凸部５２ａが第２の半割杆１２ｂの凹部５４ｂの傾斜対向面上を摺動してずり上がる（図６４参照）。
このように、第１の綴杆１２を閉じる方向に作動させると、第２の綴杆１４の第３の半割杆１４ａの凸部５６ａと第２の綴杆１４の第４の半割杆１４ｂの凸部５８ａとが当接し、更に、第１の綴杆１２を閉じるように作動させると、第２の綴杆１４の第３の半割杆１４ａの凸部５６ａが第４の半割杆１４ｂの凸部５８ａの傾斜対向面５８ｃ上を摺動し（図６３参照）、更に第１の綴杆１２の第１の半割杆１２ａの凸部５２ａが第２の半割杆１２ｂの凹部５４ｂの傾斜対向面をずり上がると、第２の綴杆１４の第３の半割杆１４ａの凸部５６ａ（第４の半割杆１４ｂの凸部５８ａ）が第４の半割杆１４ｂの凹部５８ｂ（第３の半割杆１４ａの凹部５６ｂ）に嵌まり込み嵌合する（図６４参照）。
その後、第１の綴杆１２から指を離し閉じる力を解放すると、開閉部材４０の作用により第１の綴杆１２はわずかに開く方向に逆戻りして、第１の綴杆１２は、第２の綴杆１４と同様に、第１の半割杆１２ａの凸部５２ａ（第２の半割杆１２ｂの凸部５４ａ）が第２の半割杆１２ｂの凹部５４ｂ（第１の半割杆１２ａの凹部５２ｂ）に嵌まり込み嵌合する（図６５参照）。【０１４６】
綴杆を閉じるとき、第１の作動片３０及び第２の作動片３２は、山折り状態（図５９参照）から徐々に平面状態（図５４参照）に変わるとともに、同列に並んだ状態から、一旦綴杆係止部５０の外れる方向（第１の作動片３０はＯ1方向、第２の作動片３２はＯ2方向）に移動して、たがいちがいに並んだ状態となり（図６４参照）、その後逆戻りして同列に並ぶ。
それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に当接し、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に当接する（図５５参照）。そのために、綴杆を閉じるとき、第１の綴杆１２の第１の半割杆１２ａの凸部５２ａが第２の半割杆１２ｂの凹部５４ｂに嵌合される正規の停止位置を通り過ぎて、第１の半割杆１２ａの凸部５２ａが第２の半割杆１２ｂの凹部５４ｂの傾斜対向面上を摺動してずり上がりオーバーランするとき、第１の綴杆１２の移動距離を規制して適宜な位置でオーバーランが停止され、第１の綴杆１２の綴杆係止部５０から指を外せば開閉部材４０の元の状態に戻ろうとする力が作用して、第１の作動片３０及び第２の作動片３２は、一旦綴杆係止部５０の外れる方向（第１の作動片３０はＯ1方向、第２の作動片３２はＯ2方向）に移動してたがいちがいに並んだ状態から、逆戻りして同列に並び、綴杆係止部５０が嵌合する（図５３、５４、６３、６４及び６５参照）。【０１４７】
このように、主綴杆たる第１の綴杆１２を閉じ始めると、直接指で閉じられない副綴杆たる第２の綴杆１４が閉じる方向に移動を始め、更に第１の綴杆１２が閉じて正規の係止位置を通り過ぎるまで移動すると、第２の綴杆１４の係合が進み第１の綴杆１２より先に第２の綴杆１４が完全に係止されるので、直接指で閉じられない副綴杆たる第２の綴杆１４が確実に係止された後、主綴杆たる第１の綴杆１２が確実に係止される。
したがって、第１の綴杆１２を指で摘んで先に閉じる方向に移動させたときに、オーバーランするように第１の綴杆１２を摘まめば、確実に第２の綴杆１４を正規の位置に係止でき、第１の綴杆１２の操作のみで、閉じることができる。
このように、第１の綴杆１２を指で操作することにより第２の綴杆１４を閉じることができるので、ワンタッチ綴具としての利便性が高い。【０１４８】
また、第１の綴杆１２の頂部を指でねじることにより第１の綴杆１２の綴杆係止部５０を外したとき、第１の作動片３０と第２の作動片３２には、ねじられていた開閉部材４０が元の状態に戻ろうとする力、すなわち一方の固定先端部４２ａと他方の固定先端部４２ｂとが、図５０（Ｂ）（Ｃ）矢印方向に示すように、巻線部４４の円周方向に回転して元の状態に戻ろうとするように力が働くことにより、第１の綴杆１２は開く。
そして、第１の綴杆１２及び第２の綴杆１４は、その綴杆係止部５０が外され（図５５参照）、第１の作動片３０及び第２の作動片３２は、平面状態から山折り状態に変わるとともに、綴杆係止部５０の外れる方向（第１の作動片３０はＯ1方向、第２の作動片３２はＯ2方向）に移動する（図５８（Ａ）参照）。それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に突き当たり、且つ移動規制部を構成する第２の作動片３２の規制凸起３２ｇが第１の作動片３０の規制凹部３０ｆ内を移動して、規制凹部３０ｆにおける綴杆係止部２方向とは反対側の端縁に突き当たる（図５８（Ｂ）参照）。
第１の綴杆１２から手を離すと、第１の綴杆１２及び第２の綴杆１４は、開閉部材４０の一方の固定先端部４２ａと他方の固定先端部４２ｂとが、図５０（Ｂ）（Ｃ）矢印方向に示すように、巻線部４４の円周方向に回転して元の状態に戻ろうとするように第１の作動片３０及び第２の作動片３２に力を働かせることにより、更に開き（第１の半割杆１２ａ及び第３の半割杆１４ａはＯ3方向、第２の半割杆１２ｂ及び第４の半割杆１４ｂはＯ4方向）、且つ、開閉部材４０の巻線部４４が縮むことにより開閉部材４０の固定先端部４２ａと他方の固定先端部４２ｂとを平面視反対方向に移動するように力が働くことにより、第１の作動片３０と第２の作動片３２とは、逆方向に移動する（図５８（Ａ）（Ｂ）参照）。
すなわち、作動部材１８及び開閉部材４０は、第２の綴杆１４を構成する第３の半割杆１４ａの凸部５６ａと第４の半割杆１４ｂの凸部５８ａとを開く方向に作用し、そして、第１の綴杆１２の第１の半割杆１２ａの凸部５２ａと第２の半割杆１２ｂの凸部５４ａとを引き離す方向に作用するとともに、第２の綴杆１４を構成する第３の半割杆１４ａの凸部５６ａと第４の半割杆１４ｂの凸部５８ａとを引き離すように作用する。【０１４９】
このように、この実施の形態においては、第１の綴杆１２又は第２の綴杆１４の頂部を指でねじることにより、第１の綴杆１２の第１の半割杆１２ａおよび第２の半割杆１２ｂの綴杆係止部５０と、第２の綴杆１４の第３の半割杆１４ａおよび第４の半割杆１４ｂの綴杆係止部５０を外すことができる。【０１５０】
また、第１の綴杆１２の第１の半割杆１２ａと第２の半割杆１２ｂの綴杆係止部５０および第２の綴杆１４の第３の半割杆１４ａと第４の半割杆１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。【０１５１】
次に、作動部材１８を保持部材１６の保持空間内に装填する方法について、主として図６６及び図６７に基づいて説明する。
保持部材１６は、第１の作動片３０と第２の作動片３２を装填する前には、第１の保持壁２４ａの第１の保持部６０及び第１の保持部６２と第２の保持壁２４ｂの第２の保持部６４及び第２の保持部６６とが、第１の保持壁２４ａ及び第２の保持壁２４ｂの他の領域より外側に向けて膨出している（図６６（Ｂ）参照）。
すなわち、第１の保持壁２４ａは、第１の貫通孔２６の近傍において第１の保持部６０及び第１の保持部６２を形成するための第１の保持壁２４ａの下縁との間に間隔をおいて細い切り込み６８ａ及び切り込み７０ａが形成され、該切り込み６８ａ及び切り込み７０ａと第１の保持壁２４ａの下縁との間における領域が第１の保持壁２４ａより外側に向けて打ち出されて、第１の保持部６０及び第１の保持部６２が形成される（図６６（Ｂ）参照）。
また、第２の保持壁２４ｂは、第２の貫通孔２８の近傍において第２の保持部６４及び第２の保持部６６を形成するための第２の保持壁２４ｂの下縁との間に間隔をおいて細い切り込み７２ａ及び切り込み７４ａが形成され、該切り込み７２ａ及び切り込み７４ａと第２の保持壁２４ｂの下縁との間における領域が第２の保持壁２４ｂより外側に向けて打ち出されて、第２の保持部６４及び第２の保持部６６が形成される（図６６（Ａ）参照）。
作動部材１８を保持部材１６の保持空間内に装填するときは、まず、第１の作動片３０を保持部材１６内に装填し、次に、第２の作動片３２を保持部材１６内に装填する（図６７（Ａ）参照）。
このとき、第１の作動片３０の突出部３０ｃ1が第１の保持部６０の内側に、第１の作
動片３０の突出部３０ｃ2が第１の保持部６２の内側に位置し、第２の作動片３２の突出
部３２ｃ1が第２の保持部６４の内側に、第２の作動片３２の突出部３２ｃ2が第２の保持部６６の内側に位置する。
次に、第１の保持部６０、第１の保持部６２、第２の保持部６４及び第２の保持部６６を、第１の保持壁２４ａ及び第２の保持壁２４ｂの内側に向けて打ち込み、平面円弧状の第１の保持部６０、第１の保持部６２、第２の保持部６４及び第２の保持部６６を形成する（図６７（Ｂ）参照）。
而して、第１の保持部６０が突出部３０ｃ1の下面を、第１の保持部６２が突出部３０
ｃ2の下面を、第２の保持部６４が突出部３２ｃ1の下面を、第２の保持部６６が突出部３２ｃ2の下面をそれぞれ保持するように形成される。そして、突出部３０ｃ1は第１の貫通孔２６より外側に、突出部３０ｃ2は第２の貫通孔２８より外側に、突出部３２ｃ1は第１の貫通孔２６より外側に、突出部３２ｃ2は第２の貫通孔２８より外側に突き出る。【０１５２】
次に、開閉部材４０を作動部材１８に装填する方法について、図４８ないし５０に基づいて説明する。
第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向にばねに荷重を加えて、巻線部４４（コイル）の中心軸まわりにねじりモーメントを受け、素線に曲げ応力を発生させるようにして、開閉部材４０を固定先端部４２ａが第１の作動片３０に、固定先端部４２ｂが第２の作動片３２に固定する。
この場合、開閉部材４０は、巻線部４４にねじりモーメントなどの負荷が加わっていない状態（図５０（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図４９及び図５０（Ａ）図示））で、固定先端部４２ａ及び４２ｂが開閉部材固定部３８ａ及び開閉部材固定部３８ｂにそれぞれ固定する。
ばねに荷重を加える荷重の方向としては、巻線部４４（コイル）を巻き込む方向に向くように構成されている。【０１５３】
前記実施の形態によれば、一対の作動片（第１の作動片３０及び第２の作動片３２）には、保持部材１６に形成された貫通孔（第１の貫通孔２６及び第２の貫通孔２８）に通される突出部（突出部３０ｃ1、突出部３０ｃ2、突出部３２ｃ1、及び突出部３２ｃ2）が形成されているので、作動片（第１の作動片３０及び第２の作動片３２）に綴杆（第１の綴杆１２、第２の綴杆１４）の基部を例えばカシメ止めをしても作動片（第１の作動片３０及び第２の作動片３２）にかかるストレスを少なくするために面積を大きくすることができる。そのために、作動片（第１の作動片３０及び第２の作動片３２）全体の強度を増すことができる。【０１５４】
前記実施の形態の保持部とは異なり、図６８及び図６９において示すように、保持壁の下端縁より突き出し設けられた方形凸部を内側に向けて折り曲げて、第１の保持壁２４ａに第１の保持部１６０及び第１の保持部１６２が、第２の保持壁２４ｂに第２の保持部１６４及び第２の保持部１６６が形成され、作動部材１８の第１の作動片３０及び第２の作動片３２に形成された（第１の綴杆１２及び第２の綴杆１４が突出する方向とは反対側に向けて突設されている）突条２３０ｈ及び突条２３２ｈの下端縁を、第１の保持壁２４ａの第１の保持部１６０及び第１の保持部１６２、第２の保持壁２４ｂの第２の保持部１６４及び第２の保持部１６６により保持するように構成してもよい。
第１の作動片３０及び第２の作動片３２は、その長さ方向に、第１の保持壁２４ａの第１の保持部１６０と第１の保持部１６２及び第２の保持壁２４ｂの第２の保持部１６４と第２の保持部１６６の上面を摺動して移動することができる。【０１５５】
前記実施の形態とは異なり、作動部材を、図７０及び図７１に示すように変更してもよい。
図７０及び図７１図示第１の作動片３０は、突き合わせ縁３０ａとは離れた位置で、間隔をおいて設けられた第１の綴杆１２の基部と第２の綴杆１４の基部とを結ぶ方向（図７０図示Ｘ1及びＸ2方向）に近い方向にのびる突条２３０ｈが形成されている。この実施の形態においては、第１の綴杆１２の基部と第２の綴杆１４の基部とを結ぶ方向と平行で第１の作動片３０の長さ方向にのびる。
前記突条２３０ｈは、間隔をおいて設けられた第１の綴杆１２の基部と第２の綴杆１４の基部の間で外側端縁３０ｂの突出部３０ｃ1と突出部３０ｃ2との間において、連続して、第１の綴杆１２及び第２の綴杆１４が突出する方向とは反対側に向けて突設されている。
前記突条２３０ｈは、第１の作動片３０を構成する平板状の金属製板体を断面Ｌ字形に折り曲げて形成されている。
また、図７０及び図７１図示第２の作動片３２は、突き合わせ縁３２ａとは離れた位置で、間隔をおいて設けられた第１の綴杆１２の基部と第２の綴杆１４の基部とを結ぶ方向（図７０図示Ｘ1及びＸ2方向）に近い方向にのびる突条２３２ｈが形成されている。この実施の形態においては、第１の綴杆１２の基部と第２の綴杆１４の基部とを結ぶ方向と平行で第２の作動片３２の長さ方向にのびる。
前記突条２３２ｈは、間隔をおいて設けられた第１の綴杆１２の基部と第２の綴杆１４の基部の間で外側端縁３２ｂの突出部３２ｃ1と突出部３２ｃ2との間において、連続して、第１の綴杆１２及び第２の綴杆１４が突出する方向とは反対側に向けて突設されている。
前記突条２３２ｈは、第２の作動片３２を構成する平板状の金属製板体を断面Ｌ字形に折り曲げて形成されている。
したがって、第１の作動片３０及び第２の作動片３２は、第１の綴杆１２の基部と第２の綴杆１４の基部間におけるしなりが、突条２３０ｈ及び突条２３２ｈにより防止される。【０１５６】
図７０及び図７１図示第１の作動片３０は、基部で固定された第１の半割杆１２ａ及び第３の半割杆１４ａの基部の近傍に、第１の作動片３０を補強してしなりを少なくするために、ビード２３４ａ及びビード２３４ｂが上面に向けて突設されている。
図７０及び図７１図示第２の作動片３２は、基部で固定された第２の半割杆１２ｂ及び第４の半割杆１４ｂの基部の近傍に、第２の作動片３２を補強してしなりを少なくするために、ビード２３４ｃ及びビード２３４ｄが上面に向けて突設されている。【０１５７】
ビード２３４ａは、第１の半割杆１２ａの基部と突出部３０ｃ1との間において第１の
作動片３０の長手方向にのびる第１直線部２３４ａ１と、突条２３０ｈの内側（第１の作動片３０の幅方向における略々中央において）で第１の半割杆１２ａの基部の近傍から第１の作動片３０の長手方向にのびる第２直線部２３４ａ2と、第１直線部２３４ａ１の内
側端と第２直線部２３４ａ２の外側端との間を結ぶ斜線部２３４ａ3とを備え、第１の作
動片３０の下面から上面に向けて一定幅を有する直線状凸部を突設してなる。
ビード２３４ｂは、第３の半割杆１４ａの基部と突出部３０ｃ2との間において第１の
作動片３０の長手方向にのびる第１直線部２３４ｂ１と、突条２３０ｈの内側（第１の作動片３０の幅方向における略々中央において）で第３の半割杆１４ａの基部の近傍から第１の作動片３０の長手方向にのびる第２直線部２３４ｂ2と、第１直線部２３４ｂ１の内
側端と第２直線部２３４ｂ２の外側端との間を結ぶ斜線部２３４ｂ3とを備え、第１の作
動片３０の下面から上面に向けて一定幅を有する直線状凸部を突設してなる。
ビード２３４ｃは、第２の半割杆１２ｂの基部と突出部３２ｃ1との間において第２の
作動片３２の長手方向にのびる第１直線部２３４ｃ１と、突条２３２ｈの内側（第２の作動片３２の幅方向における略々中央において）で第２の半割杆１２ｂの基部の近傍から第２の作動片３２の長手方向にのびる第２直線部２３４ｃ2と、第１直線部２３４ｃ1の内側端と第２直線部２３４ｃ2の外側端との間を結ぶ斜線部２３４ｃ3とを備え、第２の作動片３２の下面から上面に向けて一定幅を有する直線状凸部を突設してなる。
ビード２３４ｄは、第４の半割杆１４ｂの基部と突出部３２ｃ2との間において第２の
作動片３２の長手方向にのびる第１直線部２３４ｄ１と、突条２３２ｈの内側（第２の作動片３２の幅方向における略々中央において）で第３の半割杆１４ｂの基部の近傍から第２の作動片３２の長手方向にのびる第２直線部２３４ｄ2と、第１直線部２３４ｄ１の内
側端と第２直線部２３４ｄ２の外側端との間を結ぶ斜線部２３４ｄ3とを備え、第２の作
動片３２の下面から上面に向けて一定幅を有する直線状凸部を突設してなる。【０１５８】
表紙は、第１の綴杆１２及び第２の綴杆１４に綴じられた用箋等の被綴じ物Ｓが多くなったとき、第１の綴杆１２及び第２の綴杆１４がたわむことを防止するために、次のような表紙３１０としてもよい。
表紙３１０は、前記綴具の保持部材を固定する背表紙３１６と、前記背表紙３１６の両端に、開閉自在に延設された表表紙３１２及び裏表紙３１４とを備え、図７２ないし７４に示すように、表表紙３１２と裏表紙３１４が背表紙３１６に対して立設状態となるように連設されている。
そして、表表紙３１２及び裏表紙３１４は、背表紙３１６寄りに開閉用の薄肉ヒンジ部３１８Ａ，３１８Ｂが設けられている。表表紙３１２及び裏表紙３１４と背表紙３１６との連設部の構成としては、プラスチック型表紙体に略Ｖ字溝からなる連設部３２０を形成してその溝底で折り曲げる構成を採用している。すなわち、図７４に示す通り、表表紙３１２及び裏表紙３１４と背表紙３１６との連設部３２０となる略Ｖ字溝を設け、この連設部３２０の溝底で折り曲げて背表紙３１６に対し表表紙３１２及び裏表紙３１４が立設状態に連設されるようにしたものである。連設部３２０を利用した場合、この連設部３２０の開き角度を変えることによって背表紙３１６の構造を変更することができる。【０１５９】
表表紙３１２及び裏表紙３１４の開閉を可能にする薄肉ヒンジ部３１８Ａ，３１８Ｂは、断面略Ｖ字溝であり、連設部３２０から若干小口寄りの位置において表表紙３１２及び裏表紙３１４に設けられる。【０１６０】
このような表紙３１０を熱可塑性樹脂製シート材からなる表紙体を用いて成形する一例たる製造としては、例えば熱可塑性樹脂のシート材からなる表紙体に互いに平行な２本の略Ｖ字溝からなる連設部３２０を形成し、この連設部３２０のやや内側寄りの位置において互いに平行な略Ｖ字溝からなる連設部３２０をヒートプレス成形すると同時に表紙体に略Ｖ字溝からなる連設部３２０を閉塞する方向の加圧力を加えて互いの溝底を折り曲げるようにしている。熱可塑性樹脂製のシート材単体以外に、熱可塑性樹脂製シート材と表装材との２層構造も利用し得る。また、この２層構造において、厚紙とクロスの２層構造とすれば、略Ｖ字溝からなる連設部３２０の溝壁同志を接着剤で接着する構成も採用し得る。【０１６１】
前記表表紙３１２及び／又は裏表紙３１４は、前記閉じられた第１の綴杆１２及び第２の綴杆１４と対向する領域に、綴具１０の一部分を挿入して第１の綴杆１２及び第２の綴杆１４の移動を規制する綴杆固定手段３２２，３２４が設けられている。
綴杆固定手段３２２，３２４は、第１の綴杆１２及び第２の綴杆１４の移動側の側面と対向するように、第１の綴杆１２及び第２の綴杆１４が嵌挿又は緩挿される貫通孔又は段差によって構成されている。
この綴杆固定手段３２２，３２４は、第１の綴杆１２及び第２の綴杆１４の回転方向に伸びる長孔であり、長孔は、第１の綴杆１２及び第２の綴杆１４の嵌挿又は緩挿される部位の長さ及び幅に対応した長さ及び幅を有する上下一対の直線状孔縁と、該直線状孔縁の両左端及び両右端の間に連設された円弧状孔縁とを有する長孔によって形成されている。【０１６２】
閉じた第１の綴杆１２及び第２の綴杆１４の幅は、表紙３１０の背表紙３１６の背幅及び平行に対向した表表紙３１２と裏表紙３１４との間の幅よりも広く形成されている。
第１の綴杆１２及び第２の綴杆１４は、第１の作動片３０及び第２の作動片３２に取り付けられた基部よりやや上部から綴杆係止部５０のやや外側に至るまで、略平行に閉じられた表表紙３１２と裏表紙３１４に形成された綴杆固定手段３２２，３２４を構成する長孔の中に嵌挿される。長孔の上下一対の直線状孔縁は、第１の綴杆１２及び第２の綴杆１４の上下側面に当接し、円弧状孔縁は、第１の綴杆１２及び第２の綴杆１４の左右の円周面に当接する。【０１６３】
そして、ファイル・バインダ３００の表表紙３１２と裏表紙３１４とを平行に閉じた状態で第１の綴杆１２を天側とし第２の綴杆１４を地側にしてファイル・バインダ３００を立てたとき、第１の綴杆１２の第１の半割杆１２ａ及び第２の綴杆１４の第３の半割杆１４ａ側に綴じられた用箋等の被綴じ物Ｐが偏っているときに衝撃が加わったりして、第１の綴杆１２の第１の半割杆１２ａ及び第２の綴杆１４の第３の半割杆１４ａが第１の綴杆１２の第２の半割杆１２ｂ及び第２の綴杆１４の第４の半割杆１４ｂと外れる下向きに移動したとしても、第１の綴杆１２及び第２の綴杆１４の移動が綴杆固定手段３２４で規制され、綴杆固定手段３２４の下側の孔縁に係止されて、第１の綴杆１２の第１の半割杆１２ａと第１の綴杆１２の第２の半割杆１２ｂ及び第２の綴杆１４の第３の半割杆１４ａと第２の綴杆１４の第４の半割杆１４ｂとが綴杆係止部５０で外れることがない。【０１６４】
綴具１０を表紙Ａに取り付けるには、第１の保持壁２４ａおよび第２の保持壁２４ｂの下端縁を接合して取付孔２０，２０にボルトナットや鋲により取り付ければよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。
綴杆の数に対応して、保持部材及び作動部材の長さがのびるとともに保持部材の第１の貫通孔及び第２の貫通孔の間に１または複数の第１の貫通孔及び第２の貫通孔と同様な貫通孔を形成し、作動部材に固定された綴杆を貫挿できるようにすればよい。
また、綴杆の形状は、略Ｏの字型ではなく、図７５において示すように、略Ｄの字型にしてもよい。略Ｄの字型の第１の綴杆４１２及び第２の綴杆４１４を形成するには、第２の半割杆４１２ｂ及び第４の半割杆４１４ｂは、前記実施の形態と比較的近い略Ｃの字型に形成し、第１の半割杆４１２ａ及び第３の半割杆４１４ａは略倒Ｌ字型に形成し、第１の半割杆４１２ａと第２の半割杆４１２ｂ及び第３の半割杆４１４ａと第４の半割杆４１４ｂとを閉じたとき、略Ｄの字型となるように形成する。【０１６５】
開閉部材は、前記実施の形態の綴具においては、一対の作動片に対応して、１個が装填されていたが、合計２個の開閉部材を装填してもよい。
また、作動部材を構成する第１の作動片及び第２の作動片は、それぞれ一体成形されていたが、綴杆の数が増加（４穴、２０穴、２６穴、３０穴など）するに従って、第１の作動片及び第２の作動片をそれぞれ分割してもよい。【０１６６】
次に、本発明にかかる別の実施の形態である４穴真円型リング綴具について、図７６ないし図７７に基づいて説明する。
この実施の形態の綴具５１０は、前記実施の形態の綴具１０と略同様の構成であるが、主として、綴杆の数が増加したことに伴う、保持部材の構成、作動部材の構成および開閉部材の構成が異なるので、それらを中心に以下説明する。【０１６７】
綴具５１０は、一対のそれぞれ略円環状の金属製の第１の綴杆５１２、第２の綴杆５１３、第３の綴杆５１４および第４の綴杆５１５と、前記第１の綴杆５１２および第４の綴杆５１５をそれぞれ間隔をおいて設けることができる長さを備えた保持部材５１６と、その表面に第１の綴杆５１２および第４の綴杆５１５が間隔をおいてそれぞれの基部が固定され、第１の綴杆５１２第２の綴杆５１３、第３の綴杆５１４および第４の綴杆５１５が前記保持部材５１６に固定されるように保持部材５１６の内側に可動自在に固定された作動部材５１８とを備える。【０１６８】
綴杆は、４穴タイプのために、第１の綴杆５１２、第２の綴杆５１３、第３の綴杆５１４および第４の綴杆５１５の４個の綴杆からなる。第１の綴杆５１２は、第１の半割杆５１２ａおよび第２の半割杆５１２ｂを備え、第２の綴杆５１３は、第３の半割杆５１３ａおよび第４の半割杆５１３ｂを備え、第３の綴杆５１４は、第５の半割杆５１４ａおよび第６の半割杆５１４ｂを備え、第４の綴杆５１５は、第７の半割杆５１５ａおよび第８の半割杆５１５ｂを備える。
そして、用紙等の被綴じ物Ｓに予め穿設された綴じ孔に挿通して、用紙等の被綴じ物Ｓを綴じることができるように、第１の半割杆５１２ａおよび第２の半割杆５１２ｂの先端と、第３の半割杆５１３ａおよび第４の半割杆５１３ｂの先端と、第５の半割杆５１４ａおよび第６の半割杆５１４ｂの先端と、第７の半割杆５１５ａおよび第８の半割杆５１５ｂの先端とにおいて、すなわち第１の綴杆５１２、第２の綴杆５１３、第３の綴杆５１４および第４の綴杆５１５の頂部において、綴杆係止部５５０が形成されている。
第１の綴杆５１２を構成する第１の半割杆５１２ａと第２の半割杆５１２ｂとは、第１の半割杆５１２ａの綴杆係止部５５０と、第２の半割杆５１２ｂの綴杆係止部５５０とを係止することにより、環状に係合される。
また、第３の綴杆５１４を構成する第５の半割杆５１４ａと第６の半割杆５１４ｂとは、第５の半割杆５１４ａの綴杆係止部５５０と第６の半割杆５１４ｂの綴杆係止部５５０とを係止することにより、環状に係合される。【０１６９】
保持部材５１６は、第１の綴杆５１２、第２の綴杆５１３、第３の綴杆５１４および第４の綴杆５１５を所定の間隔をおいて設けることができる長さを備える平面略長方形で、その両端、すなわち表紙Ａに取り付ける取付孔５２０近傍においては、平面略半円弧状に形成されている。
保持部材５１６は、被綴じ物載置部５２２の内側には保持空間を備え、その空間に作動部材５１８等を収容するように構成されている。
保持部材５１６の被綴じ物載置部５２２の両端には、その長手方向に略々その一端から他端に亘って、作動部材５１８を摺動自在に保持する保持壁５２４が設けられている。この実施の形態においては、保持部材５１６の長手方向において、第１の綴杆５１２、第２の綴杆５１３、第３の綴杆５１４および第４の綴杆５１５のそれぞれの外側近傍より内部に亘って略全体において垂下されるように、第１の保持壁５２４ａおよび第２の保持壁５２４ｂが連設され、第１の保持壁５２４ａと第２の保持壁５２４ｂとは平行で略同一の形状の板状である。そして、この第１の保持壁５２４ａおよび第２の保持壁５２４ｂと被綴じ物載置部５２２によって囲繞された保持空間内に、後に詳しく説明する作動部材５１８等が収容される。【０１７０】
保持部材５１６の被綴じ物載置部５２２には、第１の綴杆５１２と第２の綴杆５１３とを、一定の間隔（日本工業規格等で決められている一定の長さ）をおいて遊貫するための、第１の貫通孔５２６と第２の貫通孔５２７がそれぞれ穿設されるとともに、第３の綴杆５１４と第４の綴杆５１５とを、一定の間隔（日本工業規格等で決められている一定の長さ）をおいて遊貫するための、第３の貫通孔５２８及び第４の貫通孔５２９がそれぞれ穿設されている。
第１の貫通孔５２６及び第２の貫通孔５２７と第３の貫通孔５２８及び第４の貫通孔５２９とは、それぞれの綴杆を構成する半割杆に対応して、保持部材５１６の幅方向において左右に分かれて一定の間隔をおいて、２つずつ穿設されている。【０１７１】
作動部材５１８を構成する作動片は、前記実施の形態の綴具の作動片とは異なり長く形成された、左右一対の作動片５３０及び作動片５３２を有する。
第１の作動片５３０は、前記第１の半割杆５１２ａ、第３の半割杆５１３ａ、第５の半割杆５１４ａ及び第７の半割杆５１５ａの基部が固定されている。
第２の作動片５３２は、第２の半割杆５１２ｂ、第４の半割杆５１３ｂ、第６の半割杆５１４ｂ及び第８の半割杆５１５ｂの基部が固定されている。【０１７２】
前記第１の作動片５３０の第１係合部５３６ａの係合面と前記第２の作動片５３２の第２係合部５３６ｂの係合面とを、前記基準面ＬＰ1及び基準面ＬＰ2と略々同じ高さ又は低い高さにおいて係合されている。
前記第２の作動片５３２の第１係合部５３６ａの係合面と前記第１の作動片５３０の第２係合部５３６ｂの係合面とを、前記基準面ＬＰ1及び基準面ＬＰ2と略々同じ高さ又は低い高さにおいて係合されている。
第１係合部５３６ａは、第１の作動片の向こう側第１係合部５３６ａ1、第１作動片の手前側第１係合部５３６ａ2、第２の作動片の手前側第１係合部５３６ａ3及び第２の作動片の向こう側第１係合部５３６ａ4を含む。
第２係合部５３６ｂは、第２の作動片の向こう側第２係合部５３６ｂ1、第２の作動片の手前側第２係合部５３６ｂ2、第１の作動片の手前側第２係合部５３６ｂ3及び第１の作動片の向こう側第２係合部５３６ｂ4を含む。【０１７３】
第１の作動片５３０及び第２の作動片５３２は、第１の作動片の向こう側凹み部７３０ｄ、第１の作動片の手前側凹み部中央７３０ｅ、第２の作動片の向こう側凹み部７３２ｄ及び第２の作動片の手前側凹み部７３２ｅが形成され、且つ、第１の作動片の向こう側凹み部７３０ｄに第１の作動片の向こう側第１係合部５３６ａ1を形成され、第２の作動片の向こう側凹み部７３２ｄに第２の作動片の向こう側第２係合部５３６ｂ1を形成され、第２の作動片の手前側凹み部７３２ｅに第２の作動片の手前側第１係合部５３６ａ3を形成され、第１の作動片の手前側凹み部７３０ｅに第１の作動片の手前側第２係合部５３６ｂ3を形成され、第１の作動片の手前側凹み部７３０ｅに第１の作動片の手前側第１係合部５３６ａ2を形成され、第２の作動片の手前側凹み部７３２ｅに第２の作動片の手前側第２係合部５３６ｂ2を形成され、第２の作動片の向こう側凹み部７３２ｄに第２の作動片の向こう側第１係合部５３６ａ4を形成され、第１の作動片の向こう側凹み部７３０ｄに第１の作動片の向こう側第２係合部５３６ｂ4を形成されている。【０１７４】
第１の作動片の向こう側凹み部７３０ｄ及び第２の作動片の向こう側凹み部７３２ｄと第１の作動片の手前凹み部７３０ｅ及び第２の作動片の手前側凹み部７３２ｅは、第１の作動片５３０及び第２の作動片５３２の長さ方向において、上下に分かれて上下２対ずつ形成されている。
又、第１の作動片の向こう側第１係合部５３６ａ1及び第２の作動片の向こう側第１係合部５３６ａ4と第１の作動片の手前側第１係合部５３６ａ2及び第２の作動片の手前側第１係合部５３６ａ3も、第１の作動片５３０及び第２の作動片５３２の長さ方向において、上下に分かれて上下２対ずつ形成されている。
なお、前記実施の形態と同様に、規制凹部５３０ｆ、５３２ｆと規制凸部５３０ｇ、５３２ｇも同様に形成されている。【０１７５】
そして、開閉部材５４０は、第１の作動片５３０の開閉部材固定部５３８ａ1と第２の作動片５３２の開閉部材固定部５３８ｂ1とに跨って突き合わせ縁５３０ａ及び突き合わせ縁５３２ａと斜交するように固定され、開閉部材５４２は、第１の作動片５３０の開閉部材固定部５３８ａ2と第２の作動片５３２の開閉部材固定部５３８ｂ2とに跨って突き合わせ縁５３０ａ及び突き合わせ縁５３２ａと斜交するように固定される。
開閉部材５４０の固定先端部５４０ａは第１の作動片５３０の開閉部材固定部５３８ａ1に、固定先端部５４０ｂは第２の作動片５３２の開閉部材固定部５３８ｂ1にそれぞれ固定され、開閉部材５４２の固定先端部５４２ａは第１の作動片５３０の開閉部材固定部５３８ａ2に、固定先端部５４２ｂは第２の作動片５３２の開閉部材固定部５３８ｂ2にそれぞれ固定される。【０１７６】
前記第１の作動片５３０は、前記突き合わせ縁５３０ａとは離れた位置で、間隔をおいて設けられた第１の綴杆５１２の基部と第５の綴杆５１５の基部とを結ぶ方向（図７８図示Ｘ1及びＸ2方向）に近い方向にのびる突条５３０ｈが形成されている。この実施の形態においては、第１の綴杆５１２の基部と第５の綴杆５１５の基部とを結ぶ方向と平行で第１の作動片５３０の長さ方向にのびる。
前記突条５３０ｈは、間隔をおいて設けられた第１の綴杆５１２の基部と第５の綴杆５１５の基部の間で、外側端縁５３０ｂにおいて、突出部５３０ｃ3の近傍を除いて連続し
て、第１の綴杆５１２及び第５の綴杆５１５が突出する方向とは反対側に向けて突設されている。
前記突条５３０ｈは、第１の作動片５３０を構成する平板状の金属製板体を断面Ｌ字形に折り曲げて形成されている。
また、前記第２の作動片５３２は、前記突き合わせ縁５３２ａとは離れた位置で、間隔をおいて設けられた第１の綴杆５１２の基部と第５の綴杆５１５の基部とを結ぶ方向（図７８図示Ｘ1及びＸ2方向）に近い方向にのびる突条５３２ｈが形成されている。この実施の形態においては、第１の綴杆５１２の基部と第５の綴杆５１５の基部とを結ぶ方向と平行で第２の作動片５３２の長さ方向にのびる。
前記突条５３２ｈは、間隔をおいて設けられた第１の綴杆５１２の基部と第５の綴杆５１５の基部の間で、外側端縁５３２ｂにおいて、突出部５３０ｃ3の近傍を除いて連続し
て、第１の綴杆５１２及び第５の綴杆５１５が突出する方向とは反対側に向けて突設されている。
前記突条５３２ｈは、第２の作動片５３２を構成する平板状の金属製板体を断面Ｌ字形に折り曲げて形成されている。
したがって、第１の作動片５３０及び第２の作動片５３２は、第１の綴杆５１２の基部と第５の綴杆５１５の基部間におけるしなりが、突条５３０ｈ及び突条５３２ｈにより防止される。【０１７７】
第１の作動片５３０は、基部で固定された第１の半割杆５１２ａ及び第７の半割杆５１５ａの基部の近傍と中央の突出部５３０ｃ3の近傍とに、第１の作動片５３０を補強して
しなりを少なくするために、ビード５３４ａ、ビード５３４ｂ及びビード５３４ｅが上面に向けて突設されている。
第２の作動片５３２は、基部で固定された第２の半割杆５１２ｂ及び第８の半割杆５１５ｂの基部の近傍と中央の突出部５３２ｃ3の近傍とに、第２の作動片５３２を補強して
しなりを少なくするために、ビード５３４ｃ、ビード５３４ｄ及びビード５３４ｆが上面に向けて突設されている。【０１７８】
ビード５３４ａは、第１の半割杆５１２ａの基部と突出部５３０ｃ1との間において第
１の作動片５３０の長手方向にのびる第１直線部５３４ａ１と、突条５３０ｈの内側（第１の作動片５３０の幅方向における略々中央において）で第１の半割杆５１２ａの基部の近傍から第１の作動片５３０の長手方向にのびる第２直線部５３４ａ2と、第１直線部５
３４ａ１の内側端と第２直線部５３４ａ２の外側端との間を結ぶ斜線部５３４ａ3とを備
え、第１の作動片５３０の下面から上面に向けて一定幅を有する直線状凸部を突設してなる。
ビード５３４ｂは、第７の半割杆５１５ａの基部と突出部５３０ｃ2との間において第
１の作動片５３０の長手方向にのびる第１直線部５３４ｂ１と、突条５３０ｈの内側（第１の作動片５３０の幅方向における略々中央において）で第３の半割杆５１４ａの基部の近傍から第１の作動片５３０の長手方向にのびる第２直線部５３４ｂ2と、第１直線部５
３４ｂ１の内側端と第２直線部５３４ｂ２の外側端との間を結ぶ斜線部５３４ｂ3とを備
え、第１の作動片５３０の下面から上面に向けて一定幅を有する直線状凸部を突設してなる。
ビード５３４ｃは、第２の半割杆５１２ｂの基部と突出部５３２ｃ1との間において第
２の作動片５３２の長手方向にのびる第１直線部５３４ｃ１と、突条５３２ｈの内側（第２の作動片５３２の幅方向における略々中央において）で第２の半割杆５１２ｂの基部の近傍から第２の作動片５３２の長手方向にのびる第２直線部５３４ｃ2と、第１直線部５
３４ｃ1の内側端と第２直線部５３４ｃ2の外側端との間を結ぶ斜線部５３４ｃ3とを備え
、第２の作動片５３２の下面から上面に向けて一定幅を有する直線状凸部を突設してなる。
ビード５３４ｄは、第８の半割杆５１５ｂの基部と突出部５３２ｃ2との間において第
２の作動片５３２の長手方向にのびる第１直線部５３４ｄ１と、突条５３２ｈの内側（第２作動片５３２の幅方向における略々中央において）で第３の半割杆５１４ｂの基部の近傍から第２の作動片５３２の長手方向にのびる第２直線部５３４ｄ2と、第１直線部５３
４ｄ１の内側端と第２直線部５３４ｄ２の外側端との間を結ぶ斜線部５３４ｄ3とを備え
、第２の作動片５３２の下面から上面に向けて一定幅を有する直線状凸部を突設してなる。
ビード５３４ｅは、直線状であり、突出部５３０ｃ3の近傍において、上下に分断され
た突条５３０ｈと突条５３０ｈとの間に跨って形成されている。
ビード５３４ｆは、直線状であり、突出部５３２ｃ3の近傍において、上下に分断され
た突条５３２ｈと５３２ｈとの間に跨って形成されている。【０１７９】
開閉部材は、前記実施の形態の綴具においては、一対の作動片に対応して、１個が装填されていたが、この実施の形態の綴具においては、一対の作動片５３０及び作動片５３２の長さに対応して、上下に１個ずつ、合計２個の開閉部材５４０及び開閉部材５４２が装填されている。【０１８０】
突出部５３０ｃ1は第１保持部５６０により、突出部５３０ｃ2は第１保持部５６２により、突出部５３２ｃ1は第２保持部５６４により、突出部５３２ｃ2は第２保持部５６６により、それぞれ保持される。
また、突出部５３０ｃ3は第３保持部５６１により、突出部５３２ｃ3は第３保持部５６５により、それぞれ保持される。【０１８１】
次に、本発明にかかる別の実施の形態である３穴真円型リング綴具について、図８１ないし図８５に基づいて説明する。
この実施の形態の綴具６１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。【０１８２】
綴具６１０は、一対のそれぞれ略円環状の金属製の第１の綴杆６１２、第２の綴杆６１３及び第３の綴杆６１４と、前記第１の綴杆６１２ないし第３の綴杆６１４をそれぞれ間隔をおいて設けることができる長さを備えた保持部材６１６と、その表面に第１の綴杆６１２ないし第３の綴杆６１４が間隔をおいてそれぞれの基部が固定され、第１の綴杆６１２、第２の綴杆６１３及び第３の綴杆６１４が前記保持部材６１６に固定されるように保持部材６１６の内側に可動自在に固定された作動部材６１８とを備える。【０１８３】
綴杆は、３穴タイプのために、第１の綴杆６１２、第２の綴杆６１３及び第３の綴杆６１４の３個の綴杆からなる。第１の綴杆６１２は、第１の半割杆６１２ａおよび第２の半割杆６１２ｂを備え、第２の綴杆６１３は、第３の半割杆６１３ａおよび第４の半割杆６１３ｂを備え、第３の綴杆６１４は、第５の半割杆６１４ａおよび第６の半割杆６１４ｂを備える。
そして、用紙等の被綴じ物Ｓに予め穿設された綴じ孔に挿通して、用紙等の被綴じ物Ｓを綴じることができるように、第１の半割杆６１２ａおよび第２の半割杆６１２ｂの先端と、第３の半割杆６１３ａおよび第４の半割杆６１３ｂの先端と、第５の半割杆６１４ａと第６の半割杆６１４ｂの先端とにおいて、すなわち第１の綴杆６１２、第２の綴杆６１３および第３の綴杆６１４の頂部において、綴杆係止部６５０が形成されている。【０１８４】
前記綴杆を構成する第１の綴杆６１２、第２の綴杆６１３及び第３の綴杆６１４は、断面円形状金属製線材を、綴杆係止部６５０を外す方向（図８２のＯ1及びＯ2の方向）にのばし、且つ中央部分を押さえることによって綴杆を閉じる方向に対してわん曲させて形成されている。そして、第１の綴杆６１２、第２の綴杆６１３及び第３の綴杆６１４は、中央が綴杆を開く方向（第１の半割杆６１２ａ、第３の半割杆６１３ａ及び第５の半割杆６１４ａは、図３８のＯ3方向、第２の半割杆６１２ｂ、第４の半割杆６１３ｂ、第６の半
割杆６１４ｂは、図８２のＯ4方向）に膨み且つ両端が綴杆を閉じる方向にわん曲した断
面略空豆（ビーンズ）型の形状に形成されている。
すなわち、環状の第１の綴杆６１２、第２の綴杆６１３及び第３の綴杆６１４を開閉方向に見て、第１の綴杆６１２、第２の綴杆６１３及び第３の綴杆６１４の内側は波状起伏面が形成され、第１の綴杆６１２、第２の綴杆６１３及び第３の綴杆６１４の外側は半円弧状に形成されている。そして、第１の綴杆６１２、第２の綴杆６１３及び第３の綴杆６１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙等の被綴じ物Ｓにあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆６１２、第２の綴杆６１３及び第３の綴杆６１４は、細いならば綴杆係止部６５０の嵌合がうまくゆかないときがある。
そのために、第１の綴杆６１２、第２の綴杆６１３及び第３の綴杆６１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部６５０を外す方向に広げて、綴杆係止部６５０の嵌合を完全にできるように形成している。【０１８５】
保持部材６１６は、第１の綴杆６１２、第２の綴杆６１３及び第３の綴杆６１４を所定の間隔をおいて設けることができる長さを備える平面略長方形で、その両端、すなわち表紙Ａに取り付ける取付孔６２０近傍においては、平面略半円弧状に形成されている。
保持部材６１６は、被綴じ物載置部６２２の内側には保持空間を備え、その空間に作動部材６１８等を収容するように構成されている。
保持部材６１６の被綴じ物載置部６２２の両端には、その長手方向に略々その一端から他端に亘って、作動部材６１８を摺動自在に保持する保持壁６２４が設けられている。この実施の形態においては、保持部材６１６の長手方向において、第１の綴杆６１２、第２の綴杆６１３及び第３の綴杆６１４のそれぞれの外側近傍より内部に亘って略全体において垂下されるように、第１の保持壁６２４ａおよび第２の保持壁６２４ｂが連設され、第１の保持壁６２４ａと第２の保持壁６２４ｂとは平行で略同一の形状の板状である。そして、この第１の保持壁６２４ａおよび第２の保持壁６２４ｂと被綴じ物載置部６２２によって囲繞された保持空間内に、後に詳しく説明する作動部材６１８等が収容される。【０１８６】
保持部材６１６の被綴じ物載置部６２２には、第１の綴杆６１２と第２の綴杆６１３とに、第３の綴杆６１４とを、一定の間隔（日本工業規格等で決められている一定の長さ）をおいて遊貫するための、第１の貫通孔６２６、第２の貫通孔６２７及び第３の貫通孔６２８がそれぞれ穿設されている。
第１の貫通孔６２６と第２の貫通孔６２７と第３の貫通孔６２８とは、それぞれの綴杆を構成する半割杆に対応して、保持部材６１６の幅方向において左右に分かれて一定の間隔をおいて、２つずつ穿設されている。【０１８７】
作動部材６１８を構成する作動片は、前記実施の形態の綴具１０の作動片と同様に、左右一対の作動片を有する。
前記第１の半割杆６１２ａ、第３の半割杆６１３ａ及び第５の半割杆６１４ａの基部が固定された第１の作動片６３０と第２の半割杆６１２ｂ、第４の半割杆６１３ｂ及び第６の半割杆６１４ｂの基部が固定された第２の作動片６３２とは、前記実施の形態の第１の作動片５３０および第２の作動片５３２と略同一に形成されている。【０１８８】
前記第１の作動片６３０の第１係合部６３６ａの係合面と前記第２の作動片６３２の第２係合部６３６ｂの係合面とを、前記基準面ＬＰ1及び基準面ＬＰ2と略々同じ高さ又は低い高さにおいて係合されている。
前記第２の作動片６３２の第１係合部６３６ａの係合面と前記第１の作動片６３０の第２係合部１３６ｂの係合面とを、前記基準面ＬＰ1及び基準面ＬＰ2と略々同じ高さ又は低い高さにおいて係合されている。
第１係合部６３６ａは、第１の作動片の向こう側第１係合部６３６ａ1、第１作動片の手前側第１係合部６３６ａ2、第２の作動片の手前側第１係合部６３６ａ3及び第２の作動片の向こう側第１係合部６３６ａ4を含む。
第２係合部６３６ｂは、第２の作動片の向こう側第２係合部６３６ｂ1、第２の作動片の手前側第２係合部６３６ｂ2、第１の作動片の手前側第２係合部６３６ｂ3及び第１の作動片の向こう側第２係合部６３６ｂ4を含む。
また、この実施の形態においては、第１の作動片６３０及び第２の作動片６３２の長手方向における中央においても、第１係合部６３６ａ及び第２係合部６３６ｂが形成されている。
中央の第１係合部６３６ａ及び第２係合部６３６ｂは、第１の作動片の中央の凹み部８３０ｄ5及び第１係合部６３６ａ5並びに第２の作動片の凹み部８３２ｄ5及び第１係合部６３６ａ6が形成されている。【０１８９】
第１の作動片６３０及び第２の作動片６３２は、第１の作動片の向こう側凹み部８３０ｄ、第１の作動片の手前側凹み部８３０ｅ、第２の作動片の向こう側凹み部８３２ｄ及び第２の作動片の手前側凹み部８３２ｅが形成され、且つ、第１の作動片の向こう側凹み部８３０ｄに第１の作動片の向こう側第１係合部６３６ａ1を形成され、第２の作動片の向こう側凹み部８３２ｄに第２の作動片の向こう側第２係合部６３６ｂ1を形成され、第２の作動片の手前側凹み部８３２ｅに第２の作動片の手前側第１係合部６３６ａ3を形成され、第１の作動片の手前側凹み部８３０ｅに第１の作動片の手前側第２係合部６３６ｂ3を形成され、第２の作動片の手前側凹み部８３２ｅに第１の作動片の手前側第１係合部６３６ａ2を形成され、第２の作動片の手前側凹み部８３２ｅに第２の作動片の手前側第２係合部６３６ｂ2を形成され、第２の作動片の向こう側凹み部８３２ｄに第２の作動片の向こう側第１係合部６３６ａ4を形成され、第１の作動片の向こう側凹み部８３０ｄに第１の作動片の向こう側第２係合部６３６ｂ4を形成されている。
なお、前記実施の形態と同様に、規制凹部６３０ｆ、６３２ｆと規制凸部６３０ｇ、６３２ｇも同様に形成されている。【０１９０】
そして、開閉部材６４０は、第１の作動片６３０の開閉部材固定部６３８ａ1と第２の作動片６３２の開閉部材固定部６３８ｂ1とに跨って突き合わせ縁６３０ａ及び突き合わせ縁６３２ａと斜めに交差するように架け渡され、すなわち斜交するように固定され、開閉部材６４２は、第１の作動片６３０の開閉部材固定部６３８ａ2と第２の作動片６３２の開閉部材固定部６３８ｂ2とに跨って突き合わせ縁６３０ａ及び突き合わせ縁６３２ａと斜めに交差するように架け渡され、すなわち斜交するように固定される。
開閉部材６４０の固定先端部６４０ａは第１の作動片６３０の開閉部材固定部６３８ａ1に、固定先端部６４０ｂは第２の作動片６３２の開閉部材固定部６３８ｂ1にそれぞれ固定され、開閉部材６４２の固定先端部６４２ａは第１の作動片６３０の開閉部材固定部６３８ａ2に、固定先端部６４２ｂは第２の作動片６３２の開閉部材固定部６３８ｂ2にそれぞれ固定される。【０１９１】
前記第１の作動片６３０は、前記突き合わせ縁６３０ａとは離れた位置で、間隔をおいて設けられた第１の綴杆６１２の基部と第３の綴杆６１４の基部とを結ぶ方向（図８３図示Ｘ1及びＸ2方向）に近い方向にのびる突条６３０ｈが形成されている。この実施の形態においては、第１の綴杆６１２の基部と第３の綴杆６１４の基部とを結ぶ方向と平行で第１の作動片６３０の長さ方向にのびる。
前記突条６３０ｈは、間隔をおいて設けられた第１の綴杆６１２の基部と第３の綴杆６１４の基部の間で、外側端縁６３０ｂにおいて、突出部６３０ｃ3の近傍を除いて連続し
て、第１の綴杆６１２及び第３の綴杆６１４が突出する方向とは反対側に向けて突設されている。
前記突条６３０ｈは、第１の作動片６３０を構成する平板状の金属製板体を断面Ｌ字形に折り曲げて形成されている。
また、前記第２の作動片６３２は、前記突き合わせ縁６３２ａとは離れた位置で、間隔をおいて設けられた第１の綴杆６１２の基部と第３の綴杆６１４の基部とを結ぶ方向（図８３図示Ｘ1及びＸ2方向）に近い方向にのびる突条６３２ｈが形成されている。この実施の形態においては、第１の綴杆６１２の基部と第３の綴杆６１４の基部とを結ぶ方向と平行で第２の作動片６３２の長さ方向にのびる。
前記突条６３２ｈは、間隔をおいて設けられた第１の綴杆６１２の基部と第３の綴杆６１４の基部の間で、外側端縁６３２ｂにおいて、突出部６３２ｃ3の近傍を除いて連続し
て、第１の綴杆６１２及び第３の綴杆６１４が突出する方向とは反対側に向けて突設されている。
前記突条６３２ｈは、第２の作動片６３２を構成する平板状の金属製板体を断面Ｌ字形に折り曲げて形成されている。
したがって、第１の作動片６３０及び第２の作動片６３２は、第１の綴杆６１２の基部と第３の綴杆６１４の基部間におけるしなりが、突条６３０ｈ及び突条６３２ｈにより防止される。【０１９２】
第１の作動片６３０は、基部で固定された第１の半割杆６１２ａ、第３の半割杆６１３ａ及び第５の半割杆６１４ａの基部の近傍に、第１の作動片６３０を補強してしなりを少なくするために、ビード６３４ａ、ビード６３４ｂ及びビード６３４ｅが上面に向けて突設されている。
第２の作動片６３２は、基部で固定された第２の半割杆６１２ｂ、第４の半割杆６１３ｂ及び第６の半割杆６１４ｂの基部の近傍に、第２の作動片６３２を補強してしなりを少なくするために、ビード６３４ｃ、ビード６３４ｄ及びビード６３４ｆが上面に向けて突設されている。【０１９３】
ビード６３４ａは、第１の半割杆６１２ａの基部と突出部６３０ｃ1との間において第
１の作動片６３０の長手方向にのびる第１直線部６３４ａ１と、突条６３０ｈの内側（第１の作動片６３０の幅方向における略々中央において）で第１の半割杆６１２ａの基部の近傍から第１の作動片６３０の長手方向にのびる第２直線部６３４ａ2と、第１直線部６
３４ａ１の内側端と第２直線部６３４ａ２の外側端との間を結ぶ斜線部６３４ａ3とを備
え、第１の作動片６３０の下面から上面に向けて一定幅を有する直線状凸部を突設してなる。
ビード６３４ｂは、第５の半割杆６１４ａの基部と突出部６３０ｃ2との間において第
１の作動片６３０の長手方向にのびる第１直線部６３４ｂ１と、突条６３０ｈの内側（第１の作動片６３０の幅方向における略々中央において）で第５の半割杆６１４ａの基部の近傍から第１の作動片６３０の長手方向にのびる第２直線部６３４ｂ2と、第１直線部６
３４ｂ１の内側端と第２直線部６３４ｂ２の外側端との間を結ぶ斜線部６３４ｂ3とを備
え、第１の作動片６３０の下面から上面に向けて一定幅を有する直線状凸部を突設してなる。
ビード６３４ｃは、第２の半割杆６１２ｂの基部と突出部６３２ｃ1との間において第
２の作動片６３２の長手方向にのびる第１直線部６３４ｃ１と、突条６３２ｈの内側（第２の作動片６３２の幅方向における略々中央において）で第２の半割杆６１２ｂの基部の近傍から第２の作動片６３２の長手方向にのびる第２直線部６３４ｃ2と、第１直線部６
３４ｃ1の内側端と第２直線部６３４ｃ2の外側端との間を結ぶ斜線部６３４ｃ3とを備え
、第２の作動片６３２の下面から上面に向けて一定幅を有する直線状凸部を突設してなる。
ビード６３４ｄは、第６の半割杆６１４ｂの基部と突出部６３２ｃ2との間において第
２の作動片６３２の長手方向にのびる第１直線部６３４ｄ１と、突条６３２ｈの内側（第２の作動片６３２の幅方向における略々中央において）で第６の半割杆６１４ｂの基部の近傍から第２の作動片６３２の長手方向にのびる第２直線部６３４ｄ2と、第１直線部６
３４ｄ１の内側端と第２直線部６３４ｄ2の外側端との間を結ぶ斜線部６３４ｄ3とを備え、第２の作動片６３２の下面から上面に向けて一定幅を有する直線状凸部を突設してなる。
ビード６３４ｅは、第３の半割杆６１３ａの基部と突出部６３０ｃ3の間において、上
下に分断された突条６３０ｈと突条６３０ｈとの間に跨って形成されている。
ビード６３４ｅは、第３の半割杆６１３ａの基部と突出部６３０ｃ3との間において第
１の作動片６３０の長手方向にのびる第１直線部６３４ｅ１と、突条６３０ｈの内側で第５の半割杆６１３ａの基部の近傍から第１の作動片６３０の長手方向にのびる第２直線部６３４ｅ2と、第１直線部６３４ｅ１と第２直線部６３４ｅ２との間を結ぶ斜線部６３４
ｅ3とを備え、第１の作動片６３０の下面から上面に向けて一定幅を有する直線状凸部を
突設してなる。
ビード６３４ｆは、第４の半割杆６１３ｂの基部と突出部６３２ｃ3の間において、上
下に分断された突条６３２ｈと突条６３２ｈとの間に跨って形成されている。
ビード６３４ｆは、第４の半割杆６１３ｂの基部と突出部６３２ｃ3との間において第
２の作動片６３２の長手方向にのびる第１直線部６３４ｆ１と、突条６３２ｈの内側で第３の半割杆６１３ｂの基部の近傍から第２の作動片６３２の長手方向にのびる第２直線部６３４ｆ2と、第１直線部６３４ｆ１と第２直線部６３４ｆ２との間を結ぶ斜線部６３４
ｆ3とを備え、第２の作動片６３２の下面から上面に向けて一定幅を有する直線状凸部を
突設してなる。【０１９４】
開閉部材は、前記実施の形態の綴具においては、一対の作動片に対応して、１個が装填されていたが、この実施の形態の綴具においては、一対の作動片に、２個の開閉部材６４０及び開閉部材６４１を装填されている。また、合計２個の開閉部材６４０及び６４１のうち一方のみを装填してもよい。【０１９５】
突出部６３０ｃ1は第１保持部６６０により、突出部６３０ｃ2は第１保持部６６２により、突６３２ｃ1は第２保持部６６４により、突出部６３２ｃ2は第２保持部６６６により、それぞれ保持される。
また、突出部６３０ｃ3は第３保持部６６１により、突出部６３２ｃ3は第３保持部６６５により、それぞれ保持される。【０１９６】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。【０１９７】
開閉部材４０と開閉部材固定部３８ａ及び開閉部材固定部３８ｂとは、次のように変更してもよい。
開閉部材４０の一方の固定先端部４２ａ及び開閉部材４０の他方の固定先端部４２ｂは、開閉部材４０の一方の固定先端部４２ａ及び開閉部材４０の他方の固定先端部４２ｂのようにその大きさや形状を変更してもよく、また、規制腕部４６ａ及び規制腕部４６ｂは、開閉部材４０の規制腕部４６ａ及び開閉部材４０の規制腕部４６ｂの長さを変えたり、規制腕部４６ａ及び規制腕部４６ｂのうち一方を無くしてもよい。
【産業上の利用可能性】
【０１９８】
この発明に係る綴具は、ファイル・バインダ等の用箋等を綴じる綴具として用いることができる。
【図１】
2008093434.tif 000003
【図２】
2008093434.tif 000004
【図３】
2008093434.tif 000005
【図４】
2008093434.tif 000006
【図５】
2008093434.tif 000007
【図６】
2008093434.tif 000008
【図７】
2008093434.tif 000009
【図８】
2008093434.tif 000010
【図９】
2008093434.tif 000011
【図１０】
2008093434.tif 000012
【図１１】
2008093434.tif 000013
【図１２】
2008093434.tif 000014
【図１３】
2008093434.tif 000015
【図１４】
2008093434.tif 000016
【図１５】
2008093434.tif 000017
【図１６】
2008093434.tif 000018
【図１７】
2008093434.tif 000019
【図１８】
2008093434.tif 000020
【図１９】
2008093434.tif 000021
【図２０】
2008093434.tif 000022
【図２１】
2008093434.tif 000023
【図２２】
2008093434.tif 000024
【図２３】
2008093434.tif 000025
【図２４】
2008093434.tif 000026
【図２５】
2008093434.tif 000027
【図２６】
2008093434.tif 000028
【図２７】
2008093434.tif 000029
【図２８】
2008093434.tif 000030
【図２９】
2008093434.tif 000031
【図３０】
2008093434.tif 000032
【図３１】
2008093434.tif 000033
【図３２】
2008093434.tif 000034
【図３３】
2008093434.tif 000035
【図３４】
2008093434.tif 000036
【図３５】
2008093434.tif 000037
【図３６】
2008093434.tif 000038
【図３７】
2008093434.tif 000039
【図３８】
2008093434.tif 000040
【図３９】
2008093434.tif 000041
【図４０】
2008093434.tif 000042
【図４１】
2008093434.tif 000043
【図４２】
2008093434.tif 000044
【図４３】
2008093434.tif 000045
【図４４】
2008093434.tif 000046
【図４５】
2008093434.tif 000047
【図４６】
2008093434.tif 000048
【図４７】
2008093434.tif 000049
【図４８】
2008093434.tif 000050
【図４９】
2008093434.tif 000051
【図５０】
2008093434.tif 000052
【図５１Ａ】
2008093434.tif 000053
【図５１Ｂ】
2008093434.tif 000054
【図５１Ｃ】
2008093434.tif 000055
【図５１Ｄ】
2008093434.tif 000056
【図５２】
2008093434.tif 000057
【図５３】
2008093434.tif 000058
【図５４】
2008093434.tif 000059
【図５５】
2008093434.tif 000060
【図５６】
2008093434.tif 000061
【図５７】
2008093434.tif 000062
【図５８】
2008093434.tif 000063
【図５９】
2008093434.tif 000064
【図６０】
2008093434.tif 000065
【図６１】
2008093434.tif 000066
【図６２】
2008093434.tif 000067
【図６３】
2008093434.tif 000068
【図６４】
2008093434.tif 000069
【図６５】
2008093434.tif 000070
【図６６】
2008093434.tif 000071
【図６７】
2008093434.tif 000072
【図６８】
2008093434.tif 000073
【図６９】
2008093434.tif 000074
【図７０】
2008093434.tif 000075
【図７１】
2008093434.tif 000076
【図７２】
2008093434.tif 000077
【図７３】
2008093434.tif 000078
【図７４】
2008093434.tif 000079
【図７５】
2008093434.tif 000080
【図７６】
2008093434.tif 000081
【図７７】
2008093434.tif 000082
【図７８】
2008093434.tif 000083
【図７９】
2008093434.tif 000084
【図８０】
2008093434.tif 000085
【図８１】
2008093434.tif 000086
【図８２】
2008093434.tif 000087
【図８３】
2008093434.tif 000088
【図８４】
2008093434.tif 000089
【図８５】
2008093434.tif 000090
【国際調査報告】
2008093434.tif 000091
2008093434.tif 000092
2008093434.tif 000093
2008093434.tif 000094